(57)【要約】【課題】ヒートポンプ部の暖房運転が停止された場合であっても、ヒートポンプ部の運転効率を高めることができる給湯暖房システムを提供すること。【解決手段】制御装置７０は、液体熱交換器３０１を暖房機として機能させヒートポンプ部３０の暖房運転を実行しているときに、暖房運転を停止する信号を受信すると、液体熱交換器３０１の熱を移動させ液体熱交換器３０１の内部における熱媒体を冷却する動作の制御を実行する。【選択図】図１９
2019117000.tif 000002
【特許請求の範囲】
【請求項１】
水供給源から供給された水を貯留するタンクを有するタンク部と、
供給された水をバーナの燃焼により加熱する燃焼装置を有するガス湯沸かし部と、
熱媒体を循環させる熱媒体循環路を有し、前記熱媒体と液体熱交換器に供給された水との間において熱交換を行うヒートポンプ部と、
前記燃焼装置および前記ヒートポンプ部の少なくともいずれかと、浴槽と、を接続し水を循環させる浴槽系統の管路と、
前記燃焼装置および前記ヒートポンプ部の少なくともいずれかと、暖房装置と、を接続し水を循環させる暖房系統の管路と、
前記タンク部と前記ガス湯沸かし部と前記ヒートポンプ部との動作を制御する制御装置と、
を備え、
前記制御装置は、前記液体熱交換器を暖房機として機能させ前記ヒートポンプ部の暖房運転を実行しているときに、前記暖房運転を停止する信号を受信すると、前記液体熱交換器の熱を移動させ前記液体熱交換器の内部における前記熱媒体を冷却する動作の制御を実行することを特徴とする給湯暖房システム。
【請求項２】
前記制御装置は、前記暖房運転を停止する信号を受信すると、前記液体熱交換器の熱を前記タンク部に移動させ前記タンクの内部の水を加熱する動作の制御を実行することを特徴とする請求項１に記載の給湯暖房システム。
【請求項３】
前記ガス湯沸かし部は、浴槽系統の管路の水を送り出す風呂ポンプを有し、
前記制御装置は、前記ヒートポンプ部の前記暖房運転を実行することで前記浴槽の内部の水を前記風呂ポンプにより循環させて加熱する追い焚き動作を実行しているときに、前記浴槽の内部の水の温度と設定温度との間の差が所定温度以内になると前記暖房運転を停止するとともに前記風呂ポンプの運転を継続し、前記浴槽の内部の水の温度が設定温度に到達すると前記風呂ポンプの運転を停止する動作の制御を実行することを特徴とする請求項１に記載の給湯暖房システム。
【発明の詳細な説明】
【技術分野】
【０００１】
本発明は、給湯暖房システムに関し、具体的には給湯機能と追い焚き機能と暖房機能と蓄熱機能とを有する給湯暖房システムに関する。
【背景技術】
【０００２】
特許文献１には、屋内ファンと、屋内コイルファンと、屋外コイルと、屋外コイルファンと、冷媒管と、冷媒管中の弁と、を備えた冷却装置が開示されている。特許文献１に記載された技術によれば、暖房モードにおける定常運転中では、装置の冷媒のほとんどは凝縮器２と冷媒管１０の内部に高温の液体として存在する。圧縮機が運転を停止している間に冷媒弁が完全に閉じられていないと、冷媒は凝縮器と冷媒管１０から蒸発器へ流れる。したがって、冷媒に含まれている熱エネルギーが蒸発器コイルを通じて屋外空気中に失われる。また、圧縮機を始動させる時には、蒸発器コイル中の過剰の冷媒を凝縮器コイルへ送り返す必要がある。そのため、定常運転状態に達するまでの時間が長くなる。そこで、特許文献１に記載された冷却装置は、凝縮器コイルと冷媒管１０の内部に液状の高温冷媒が含まれるように、圧縮機が運転を停止させられた直後に弁８を閉じる。
【０００３】
ところで、一般的に、ヒートポンプ部を備えた給湯暖房システムがある。このような給湯暖房システムは、ヒートポンプ部の四方切替弁を暖房側に切り替えてヒートポンプ部の暖房運転を行い、床暖房や浴室暖房の運転を行う場合がある。この場合において、床暖房や浴室暖房の運転が停止され、ヒートポンプ部の暖房運転が停止すると、ヒートポンプ部の室内側の水熱交換器での放熱が止まる。そのため、室内側の水熱交換器内では、液体状態の冷媒の量が少なくなる。一方で、室外側の水熱交換器内では、液体状態の冷媒の量が増える。そうすると、ヒートポンプ部の次回の運転開始時において、運転能力が回復するために時間を要してしまう。そのため、ヒートポンプ部の運転効率が悪化するという問題がある。
【０００４】
また、ヒートポンプ部を備えた給湯暖房システムは、ヒートポンプ部の四方切替弁を暖房側に切り替えてヒートポンプ部の暖房運転を行い、ヒートポンプ部の室内側の水熱交換器での加熱により浴槽内の湯の追い焚きを行う場合がある。この場合において、浴槽内の湯の温度が設定温度に到達し、ヒートポンプ部の暖房運転が停止すると、ヒートポンプ部の室内側の水熱交換器での放熱が止まる。そうすると、床暖房や浴室暖房の運転が停止される場合と同様に、ヒートポンプ部の次回の運転開始時において、運転能力が回復するために時間を要してしまう。そのため、ヒートポンプ部の運転効率が悪化するという問題がある。
【先行技術文献】
【特許文献】
【０００５】
【特許文献１】特開昭６４−５４１７６号公報
【発明の概要】
【発明が解決しようとする課題】
【０００６】
本発明は、前記課題を解決するためになされたものであり、ヒートポンプ部の暖房運転が停止された場合であっても、ヒートポンプ部の運転効率を高めることができる給湯暖房システムを提供することを目的とする。
【課題を解決するための手段】
【０００７】
前記課題は、本発明によれば、水供給源から供給された水を貯留するタンクを有するタンク部と、供給された水をバーナの燃焼により加熱する燃焼装置を有するガス湯沸かし部と、熱媒体を循環させる熱媒体循環路を有し、前記熱媒体と液体熱交換器に供給された水との間において熱交換を行うヒートポンプ部と、前記燃焼装置および前記ヒートポンプ部の少なくともいずれかと、浴槽と、を接続し水を循環させる浴槽系統の管路と、前記燃焼装置および前記ヒートポンプ部の少なくともいずれかと、暖房装置と、を接続し水を循環させる暖房系統の管路と、前記タンク部と前記ガス湯沸かし部と前記ヒートポンプ部との動作を制御する制御装置と、を備え、前記制御装置は、前記液体熱交換器を暖房機として機能させ前記ヒートポンプ部の暖房運転を実行しているときに、前記暖房運転を停止する信号を受信すると、前記液体熱交換器の熱を移動させ前記液体熱交換器の内部における前記熱媒体を冷却する動作の制御を実行することを特徴とする給湯暖房システムにより解決される。
【０００８】
前記構成によれば、制御装置は、液体熱交換器を暖房機として機能させヒートポンプ部の暖房運転を実行しているときに、ヒートポンプ部の暖房運転を停止する信号を受信すると、液体熱交換器の熱を移動させ液体熱交換器の内部における熱媒体を冷却する動作の制御を実行する。そのため、ヒートポンプ部の暖房運転が停止された場合であっても、液体熱交換器内において液体状態の熱媒体の量を確保することができる。すなわち、ヒートポンプ部の液体熱交換器内の熱媒体を液体の状態で留めておくことができる。そのため、ヒートポンプ部の次回の運転開始時において、液体の熱媒体がヒートポンプ部の液体熱交換器内に存在するため、ヒートポンプ部を起動する際に運転能力が回復するための時間を短縮することができる。これにより、ヒートポンプ部の運転効率を高めることができる。
【０００９】
好ましくは、前記制御装置は、前記暖房運転を停止する信号を受信すると、前記液体熱交換器の熱を前記タンク部に移動させ前記タンクの内部の水を加熱する動作の制御を実行することを特徴とする。
【００１０】
前記構成によれば、制御装置は、暖房運転を停止する信号を受信すると、液体熱交換器の熱をタンク部に移動させタンクの内部の水を加熱する。そのため、ヒートポンプ部の暖房運転が停止された場合であっても、ヒートポンプ部の液体熱交換器内の熱媒体を液体の状態で留めておくことができる。そのため、ヒートポンプ部の次回の運転開始時において、液体の熱媒体がヒートポンプ部の液体熱交換器内に存在するため、ヒートポンプ部を起動する際に運転能力が回復するための時間を短縮することができる。これにより、ヒートポンプ部の運転効率を高めることができる。
【００１１】
好ましくは、前記ガス湯沸かし部は、浴槽系統の管路の水を送り出す風呂ポンプを有し、前記制御装置は、前記ヒートポンプ部の前記暖房運転を実行することで前記浴槽の内部の水を前記風呂ポンプにより循環させて加熱する追い焚き動作を実行しているときに、前記浴槽の内部の水の温度と設定温度との間の差が所定温度以内になると前記暖房運転を停止するとともに前記風呂ポンプの運転を継続し、前記浴槽の内部の水の温度が設定温度に到達すると前記風呂ポンプの運転を停止する動作の制御を実行することを特徴とする。
【００１２】
前記構成によれば、制御装置は、浴槽の内部の水を風呂ポンプにより循環させて加熱する追い焚き動作を実行しているときに、浴槽の内部の水の温度と設定温度との間の差が所定温度以内になると暖房運転を停止するとともに風呂ポンプの運転を継続する。これにより、液体熱交換器の内部における熱媒体を冷却することができる。また、制御装置は、浴槽の内部の水の温度が設定温度に到達すると風呂ポンプの運転を停止する。つまり、制御装置は、ヒートポンプ部の暖房運転を停止した後に、風呂ポンプの運転を停止する。そのため、浴槽の内部の水の温度を上昇させるための熱として液体熱交換器の残熱を利用することができる。これにより、熱エネルギーの損失を抑え、熱効率を高めることができる。また、液体熱交換器の内部における熱媒体を冷却することができるため、ヒートポンプ部の暖房運転が停止された場合であっても、ヒートポンプ部の液体熱交換器内の熱媒体を液体の状態で留めておくことができる。そのため、ヒートポンプ部の次回の運転開始時において、液体の熱媒体がヒートポンプ部の液体熱交換器内に存在するため、ヒートポンプ部を起動する際に運転能力が回復するための時間を短縮することができる。これにより、ヒートポンプ部の運転効率を高めることができる。
【発明の効果】
【００１３】
本発明によれば、ヒートポンプ部の暖房運転が停止された場合であっても、ヒートポンプ部の運転効率を高めることができる給湯暖房システムを提供することができる。
【図面の簡単な説明】
【００１４】
【図１】本発明の第１の実施形態に係る給湯暖房システムを表す平面図である。
【図２】本実施形態に係る給湯暖房システムを表す配管図である。
【図３】本実施形態に係る給湯暖房システムの給水予熱動作を説明する図である。
【図４】本実施形態に係る給湯暖房システムの給湯動作および蓄熱利用給湯動作を説明する図である。
【図５】本実施形態に係る給湯暖房システムのドレン排出動作を説明する図である。
【図６】本実施形態に係る給湯暖房システムのドレン排出動作を説明する図である。
【図７】本実施形態に係る給湯暖房システムの第１の湯張り動作および蓄熱湯張り動作を説明する図である。
【図８】本実施形態に係る給湯暖房システムの第２の湯張り動作を説明する図である。
【図９】本実施形態に係る給湯暖房システムの第１の追い焚き動作を説明する図である。
【図１０】本実施形態に係る給湯暖房システムの第２の追い焚き動作を説明する図である。
【図１１】本実施形態に係る給湯暖房システムの第３の追い焚き動作を説明する図である。
【図１２】本実施形態に係る給湯暖房システムの浴湯熱ヒートポンプ部回収動作を説明する図である。
【図１３】本実施形態に係る給湯暖房システムの浴湯熱回収動作を説明する図である。
【図１４】本実施形態に係る給湯暖房システムの低温暖房動作を説明する図である。
【図１５】本実施形態に係る給湯暖房システムの低温低負荷暖房動作を説明する図である。
【図１６】本実施形態に係る給湯暖房システムの低温低負荷暖房動作を説明する図である。
【図１７】本実施形態に係る給湯暖房システムの第１の高温暖房動作を説明する図である。
【図１８】本実施形態に係る給湯暖房システムの第２の高温暖房動作を説明する図である。
【図１９】本実施形態に係る給湯暖房システムの第１のヒートポンプ部停止動作を説明する図である。
【図２０】本変形例に係る給湯暖房システムの第１のヒートポンプ部停止動作を説明する図である。
【図２１】本変形例に係る給湯暖房システムの第１のヒートポンプ部停止動作を説明する図である。
【図２２】本変形例に係る給湯暖房システムの第２のヒートポンプ部停止動作を説明する図である。
【図２３】本発明の第２の実施形態に係る給湯暖房システムを表す配管図である。
【図２４】本実施形態に係る給湯暖房システムの給水予熱動作を説明する図である。
【図２５】本実施形態に係る給湯暖房システムの給湯動作および蓄熱利用給湯動作を説明する図である。
【図２６】本実施形態に係る給湯暖房システムのドレン排出動作を説明する図である。
【図２７】本実施形態に係る給湯暖房システムのドレン排出動作を説明する図である。
【図２８】本実施形態に係る給湯暖房システムの第１の湯張り動作および蓄熱湯張り動作を説明する図である。
【図２９】本実施形態に係る給湯暖房システムの第２の湯張り動作および蓄熱湯張り動作を説明する図である。
【図３０】本実施形態に係る給湯暖房システムの第１の追い焚き動作を説明する図である。
【図３１】本実施形態に係る給湯暖房システムの第２の追い焚き動作を説明する図である。
【図３２】本実施形態に係る給湯暖房システムの第３の追い焚き動作を説明する図である。
【図３３】本実施形態に係る給湯暖房システムの浴湯熱ヒートポンプ部回収動作を説明する図である。
【図３４】本実施形態に係る給湯暖房システムの浴湯熱ヒートポンプ部回収動作を説明する図である。
【図３５】本実施形態に係る給湯暖房システムの浴湯熱回収動作を説明する図である。
【図３６】本実施形態に係る給湯暖房システムの低温暖房動作を説明する図である。
【図３７】本実施形態に係る給湯暖房システムの低温低負荷暖房動作を説明する図である。
【図３８】本実施形態に係る給湯暖房システムの低温低負荷暖房動作を説明する図である。
【図３９】本実施形態に係る給湯暖房システムの第１の高温暖房動作を説明する図である。
【図４０】本実施形態に係る給湯暖房システムの第２の高温暖房動作を説明する図である。
【図４１】本実施形態に係る給湯暖房システムの第１のヒートポンプ部停止動作を説明する図である。
【図４２】本実施形態に係る給湯暖房システムの第２のヒートポンプ部停止動作を説明する図である。
【発明を実施するための形態】
【００１５】
以下に、本発明の好ましい実施形態を、図面を参照して詳しく説明するが、理解の便宜のため、まず、本発明の実施形態の主要な特徴を列記し、その後、該実施形態を詳細に説明する。
なお、以下に説明する実施形態は、本発明の好適な具体例であるから、技術的に好ましい種々の限定が付されているが、本発明の範囲は、以下の説明において特に本発明を限定する旨の記載がない限り、これらの態様に限られるものではない。また、各図面中、同様の構成要素には同一の符号を付して詳細な説明は適宜省略する。
【００１６】
〔特徴１：小型化〕
本実施形態の給湯暖房システム２は、タンク部１０と、ガス湯沸かし部２０と、ヒートポンプ部３０と、暖房装置４０と、浴槽５０と、を備える。これらの各装置は、管、各種の弁、および圧力調整用のシスターン２３７等を介して相互に連結されている。特に、従来では、暖房装置４０と浴槽５０とを管で直接つなぐと、暖房装置４０内の汚水が浴槽水に混入する恐れがある等の問題がある。そのため、暖房経路（暖房系統の管路）と浴槽経路（浴槽系統の管路）とを管で繋げることは非常識であり、水―水熱交換機を用いて熱交換するのが常識であった。
【００１７】
これに対して、本実施形態の給湯暖房システム２は、暖房経路と浴槽経路において共通する管路（以下、「共通管」という）６９１、６９２（図２の塗りつぶし部分参照）を有し、風呂往き三方弁（風呂往き切替弁）２４６（図２参照）および風呂戻り四方弁（風呂戻り切替弁）２４９（図２参照）を利用することで暖房経路と浴槽経路とを変更できるようにしている。従って、比較的大きなスペースをとる水―水熱交換機が不要となった分、管路の小型化を図ることができる。また、風呂往き三方弁２４６および風呂戻り四方弁２４９を用いることで、浴槽５０の水が、暖房装置４０の水と混合することを抑えることができる。
【００１８】
また、所定の装置に存在する余分な熱ないし湯水をその他の装置に回すようにコントロールすることで（即ち、熱を融通し合うことで）、装置の小型化も図っている。
かくして、小さなスペースしかないマンションや狭小住宅等であっても、高効率の給湯暖房システム２を利用することができる。
そして、このように各装置を管などで繋ぐことで、各装置間を湯水が流通可能となる。これにより、「機能性の向上」「効率性の向上」「快適性の向上」「コストダウン」を更に図れるようになった。以下、これを説明する。
【００１９】
〔特徴２：機能性の向上〕
本実施形態では、機能性の向上を図っている。
例えば、本実施形態に係る給湯暖房システム２は、浴槽５０の残湯などをタンク部１０の熱交換器（図２の場合、プレート熱交換器）１０３に送ることで、該残湯の熱をタンク部１０に回収可能な「浴湯熱回収機能」を有している。この機能によれば、エネルギーの無駄を省いて、タンク部１０内に温水を作ることが出来ると共に、浴槽５０の残湯を冷却して菌の繁殖を抑制できる。そして、本実施形態では、この浴湯熱回収機能を向上させている。一例をあげれば、浴槽５０の湯をヒートポンプ部３０まで送って、ヒートポンプ部３０でその熱を回収すると共に、冷房時にヒートポンプ部３０から生じる廃熱を加えた上で、タンク部１０まで湯を送る。これにより、タンク部１０での熱回収機能を向上させている。
【００２０】
また、本実施形態のタンク部１０は例えばマンションのパイプシャフトに収容可能なほど小型である。そこで、タンク部１０の湯が所定の温度になったら、その湯を他の装置に回して利用し、タンク部１０では可及的に次々に新たな湯を生成できる状態にする。これにより、大型の貯湯タンク並みの機能を発揮させている。例えば、本実施形態に係る給湯暖房システム２は、ヒートポンプ部３０の冷房運転時の廃熱を利用してタンク部１０に湯を生成する「廃熱回収機能」を有している。この廃熱回収の際に、湯張りの予約がされている場合において、タンク部１０の湯が基準の温度になったら、タンク部１０の湯を率先して浴槽５０に送る。そして、タンク部１０内の湯が所定量に低下したら再び廃熱回収機能を利用してタンク部１０に湯を生成し、その湯を再び浴槽５０に送るという動作を繰り返している。これにより、小型のタンク部１０であっても、浴槽５０への所定量の湯張りが可能となる。
【００２１】
〔特徴３：効率性の向上〕
次に、本実施形態では、上記各装置の効率の向上を図っている。
例えば、ヒートポンプ部３０の起動時の効率向上を図っている。即ち、ヒートポンプ部３０は、停止時に室外の気体熱交換器３０３が冷却機になって、気体熱交換器３０３内の熱媒体（例えばＲ２９０、Ｒ３２）が液体になる。そうすると、次回の起動に時間を要して効率が悪化するという特性を有する。そこで、気体熱交換器３０３内における熱媒体の液化を防止する構造ないし制御を採用することで、ヒートポンプ部３０の効率の向上を図っている。熱媒体の液化の防止手段としては、本実施形態では、ヒートポンプ部３０の停止に先立ち、第１の液体熱交換器３０１内で液体となる熱媒体の量を増やす為に、第１の液体熱交換器３０１の残熱をタンク部１０に回して、第１の液体熱交換器３０１内及びその周辺の熱媒体循環路３５１内の圧力を気体熱交換器３０３よりも下げて、熱媒体が気体熱交換器３０３に回らないように制御する方法が用いられている。これにより、気体熱交換器３０３内での熱媒体の液化を防止して、ヒートポンプ部３０の起動時の効率が向上する。さらに、タンク部１０の湯を効率よく生成することもできる。
【００２２】
また、本実施形態では、管路内での自然放熱量を抑制することでも効率の向上を図っている。即ち、上述のように各装置を互いに管で連結すると、湯が流れる管の経路の切替えに伴って、該切替え前に使用していた管が使われなくなる。そして、そこに湯が残ってしまう場合がある。そこで、管の経路を切り替える際に、湯が残る所定の管に湯を残さないように制御したり、或いは、所定の管に湯が残っても、その湯を送り出してから経路を切り替えたりしている。これにより、湯が管に取り残される事態を防止して無駄を省き、効率の向上を図ることができる。
【００２３】
また、本実施形態では、ヒートポンプ部３０に低い温度の液体（湯水）を送り込むことで、フルパワーで運転することが高効率なヒートポンプ部３０の効率を上げることができる。
例えば、ヒートポンプ部３０だけでは加熱不足なために、ヒートポンプ部３０とガス湯沸かし部２０との双方を用いて加熱する場合、先ずヒートポンプ部３０で加熱する。その後、所定の不足分の熱を加えるために、ガス湯沸かし部２０で加熱するという順序にしている。これにより、ヒートポンプ部３０には低い給水温度の液体が送り込まれ、効率を上げることができる。
【００２４】
また、浴槽５０の湯を保温だけする場合は、効率性を考慮してヒートポンプ部３０だけで保温するのが理想的である。しかし、熱い湯がヒートポンプ部３０に送り込まれると、ヒートポンプ部３０の高効率性が没却される。そこで、浴槽５０の湯を一旦タンク部１０に回し、タンク部１０で奪熱して温水を生成した後に、低い給水温度の液体をヒートポンプ部３０に送り込んでいる。これにより、ヒートポンプ部３０の効率を上げることができる。
【００２５】
また、本実施形態では、ヒートポンプ部３０だけで加熱した湯を暖房装置４０や浴槽５０に送り込む際、できるだけガス湯沸かし部２０を介さない経路にしている。これにより、ガス湯沸かし部２０の風呂熱交換器２０７から自然放熱される事態を回避して、効率を上げることができる。
【００２６】
〔特徴４：快適性の向上〕
次に、本実施形態では、快適性の向上を図っている。
例えば、本実施形態では、夏場に涼しい浴室内でシャワーを浴びることができる。即ち、ヒートポンプ部３０で冷却した水を暖房装置４０に送ることで浴室を冷房することができる。また、このヒートポンプ部３０で冷却した際に発生した熱をタンク部１０で回収して湯を生成することができる。そして、タンク部１０の湯の温度が所定温度よりも低い場合には、ガス湯沸かし部２０で不足分を加熱し、この加熱した湯をシャワーとして使用することができる。
【００２７】
また、本実施形態では、目標設定温度などが異なるために通常は同時期に終了することがない浴室の暖房と追焚とを同時期に終了させることで、暖かい浴室に入浴することができる。また、寒暖の差で生じる脳卒中や心臓発作などを防止することができる。即ち、本実施形態では、ガス湯沸かし部２０で加熱した熱い湯を、暖房装置４０への暖房経路と浴槽５０への追焚経路の双方に振り分けている。この際、暖房装置４０を通過した後の冷えた湯を追焚経路にコントロールしながら混合している。これにより、浴槽５０に火傷するような熱湯を送り込むことなく、暖房終了時間と追焚終了時間とを同期させることができる。
【００２８】
この点、ガス湯沸かし部２０から暖房装置４０への湯の通常の供給ルートを逆にして、ガス湯沸かし部２０、暖房装置４０、浴槽５０の順に湯を送り込むことでも、除々に湯温が低下していく。そのため、浴槽５０に火傷するような熱湯を送り込むことなく、暖房終了時間と追焚終了時間とを同期させることができる。さらに、この場合、暖房装置４０から浴槽５０に湯を送り込む際、風呂往き管６２１、６２２と風呂戻り管６２３、６２４の双方で浴槽５０に湯を送り込んで、最短での入浴が可能となる。
【００２９】
〔特徴５：トラブルの回避〕
以上のように、本発明の実施形態では、「小型化」「機能性の向上」「効率性の向上」「快適性の向上」を図っているが、そのような構成及び／又は制御を行う結果、種々のトラブルが発生する恐れが想定される。そこで、本実施形態では、該トラブルを回避するための更なる構成ないし制御を行っている。
【００３０】
例えば、上述のように、本実施形態は、浴槽５０の残湯の熱をタンク部１０で回収する「浴湯熱回収機能」を有している。この浴湯熱回収の経路には、シスターン２３７が存在しないように調整弁を設けている。これにより、開放型のシスターン２３７から湯が溢れ出て、シスターン２３７を格納する例えばマンションのパイプシャフトやそれに通じる廊下等が濡れる恐れを防止している。
【００３１】
また、ヒートポンプ部３０をマンションのパイプシャフト内に設置した場合、発生したドレン水を通常の室外機のようにそのまま排出すると、パイプシャフトを通じて廊下等が濡れる恐れがある。この点、本実施形態では、ヒートポンプ部３０と浴室の排水口とを管で接続して、発生したドレン水をその排水口内に排水するようにしている。
【００３２】
また、各装置を相互に連結している本実施形態では、浴槽５０以外の装置で発生したレジオネラ菌等が浴槽水に混入する恐れを防止している。例えば、所定の装置を使用しない時期（例えば暖房装置４０を使用しない春や秋）に、その装置及びその周辺の管内で滞留水が発生して、そこに菌が発生する恐れがある。これに対して、一定期間不使用な装置及び管がある場合、或いはそれが想定される場合、該不使用な装置及び管内の排水及び／又は注水を行い、換水を行うようにしている。この点、管路にある風呂ポンプ２３５を用いて換水作業を行うと、様々な経路があること等から、時間がかかってしまう。そのため、水道局から供給される水を、水圧をコントロールしながら不使用の装置及び管内に注水して、短時間で換水するのが好ましい。
【００３３】
また、上述のように、ヒートポンプ部３０の冷房運転時の廃熱を利用してタンク部１０に湯を貯める「廃熱回収機能」を有している。この廃熱回収機能は、冷房運転時にのみ行われる。そのため、冬期にはこの廃熱回収のための経路内の水が凍結する恐れがある。そこで、本実施形態では、冬期が到来したら、或いは、温度が所定の基準値を下回ったら、廃熱回収のための経路内の水を自動で抜くように制御している。さらに、この水を抜いた後に、夏が到来したら、或いは温度が所定の基準値を上回ったら、廃熱回収のための経路内に自動注水するのが好ましい。これにより、夏場の冷房及び廃熱回収機能を問題なく行うことができる。
【００３４】
また、上述のように、種々の場面で自動注水を行うと、使用者が命令もしていないのに、押し出された水が浴槽に入って水浸しになる恐れがある。これに対して、本実施形態では、自動注水した際に押し出される水が排水口に回るように弁を制御している。
また、上述のように排水を行った場合、その後、注水をしても管内に空気が混入する恐れがある。そこで、排水作業を行った後には、浴槽５０又はシスターン２３７を通らない運転経路があっても、浴槽５０又はシスターン２３７を通るように経路を変更して空気抜き運転するようにしている。
【００３５】
〔特徴６：コストダウン〕
本実施形態では、給水管１５１は、ガス湯沸かし部２０、及び共通管６９１を介して、シスターン２３７と連結している。そうすると、シスターン２３７内の水量が所定の基準値を下回ったら、給水管１５１、ガス湯沸かし部２０、及び共通管６９１を介して、シスターン２３７に給水することができる。これにより、従来必要であったシスターン専用の補給水電磁弁が不要となり、コストダウンを図ることができる。
【００３６】
〔実施形態〕
図１は、本発明の第１の実施形態に係る給湯暖房システムを表す平面図である。
なお、図１（ａ）は、本実施形態に係る給湯暖房システムを表す正面図である。図１（ｂ）は、本実施形態に係る給湯暖房システムを表す側面図である。
【００３７】
本実施形態に係る給湯暖房システム２は、ガス湯沸かし部２０とヒートポンプ部３０とを組み合わせたハイブリッド器具であり、例えば集合住宅の各住戸や戸建て住宅等に用いられるセントラルヒーティング等の用途に適用される。ヒートポンプ部３０は、吸気部３１と排気部３２とを有し、ガス湯沸かし部２０を挟むように配置されている。言い換えれば、ガス湯沸かし部２０は、ヒートポンプ部３０の吸気部３１と、ヒートポンプ部３０の排気部３２と、の間において、ヒートポンプ部３０と並んで配置されている。
【００３８】
ガス湯沸かし部２０は、例えば上下方向に長く形成された長方形状の筐体２１を有する。ガス湯沸かし部２０の筐体２１は、前面カバーにより覆われている。筐体２１の前面カバーには、複数の吸気口２２８と、排気口２２６と、が設けられている。吸気口２２８は、前面カバーの前面および側面に設けられている。排気口２２６は、前面カバーの前面の上部に設けられている。
【００３９】
ヒートポンプ部３０は、例えば上から見てほぼＵ字型に形成された筐体３３を有し、ガス湯沸かし部２０の左右の領域および後の領域にわたって配置されている。ヒートポンプ部３０の吸気部３１の前面カバーには、ほぼ全面に渡って複数の吸気口３１５が設けられている。また、ヒートポンプ部３０の排気部３２の前面カバーには、ほぼ全面に渡って複数の排気口３２５が設けられている。なお、ガス湯沸かし部２０の吸気口２２８および排気口２２６、ならびにヒートポンプ部３０の吸気口３１５および排気口３２５のそれぞれの配置および数は、図１に表した例には限定されない。
【００４０】
図２は、本実施形態に係る給湯暖房システムを表す配管図である。
図２に表したように、本実施形態に係る給湯暖房システム２は、タンク部１０と、ガス湯沸かし部２０と、ヒートポンプ部３０と、暖房装置４０と、制御装置７０と、を備える。タンク部１０と、ガス湯沸かし部２０と、ヒートポンプ部３０と、制御装置７０と、は図１に表した筐体２１および筐体３３の内部に設けられている。
【００４１】
タンク部１０は、タンク１０１と、減圧弁１０２と、プレート熱交換器１０３と、を有する。
タンク１０１は、水供給源（例えば水道）から供給された水を貯留する。タンク１０１の容量は、例えば約１０リットル（Ｌ）以上、２０Ｌ以下程度である。但し、タンク１０１の容量は、これだけには限定されない。タンク１０１は、密閉型であり、外側のうちの少なくとも一部を断熱材によって覆われている。
【００４２】
なお、本実施形態に係る給湯暖房システム２が備える各管路を流れる液体は、水だけには限定されない。但し、本実施形態の説明では、給湯暖房システム２の各管路を流れる液体が水である場合を例に挙げる。また、本願明細書において、単に「水」という場合には、加熱されていない冷水だけではなく、加熱された温水あるいは湯が「水」に含まれることがある。
【００４３】
タンク１０１の表面には、第１のタンク表面サーミスタ１１１と、第２のタンク表面サーミスタ１１２と、プレート熱交換器１０３と、が設けられている。タンク１０１の内部には、タンク内サーミスタ１１３が設けられている。第１のタンク表面サーミスタ１１１と、第２のタンク表面サーミスタ１１２と、タンク内サーミスタ１１３と、はこの順にタンク１０１の下部から上部に向かって略均等間隔で設けられている。第１のタンク表面サーミスタ１１１は、プレート熱交換器１０３の下端部に対応するタンク１０１の表面の温度を検出する。第２のタンク表面サーミスタ１１２は、プレート熱交換器１０３の上端部に対応するタンク１０１の表面の温度を検出する。タンク内サーミスタ１１３は、タンク１０１の上部に接続された湯導入管１５３に排出される水の温度を検出する。
【００４４】
減圧弁１０２は、水供給源から供給された水を導く給水管１５１の途中に設けられ、逆止弁を有する。減圧弁１０２は、水供給源から供給された水の圧力を下げる。また、減圧弁１０２は、減圧弁１０２を通過した後の水の圧力を略一定にして安定化させる。
【００４５】
プレート熱交換器１０３は、タンク１０１の下部の表面に設けられている。プレート熱交換器１０３は、プレート熱交換器１０３の内部を流れる水（例えば温水）と、タンク１０１の内部に貯留された水（例えば冷水）と、の間においてプレート熱交換器１０３の外装とタンク１０１の外装とがある２重絶縁の形で熱交換を行うことができる。プレート熱交換器１０３は、いわゆる液−液熱交換器である。
【００４６】
減圧弁１０２の下流側において、給水管１５１は、タンク１０１の下部に接続されている。また、減圧弁１０２とタンク１０１との間における給水管１５１には、給水管１５１から分岐した水導入管１５２が接続されている。水導入管１５２には、水制御弁１１４と、水量センサ１１５と、水温サーミスタ１１６と、が設けられている。水制御弁１１４は、弁の開度を調整し、水導入管１５２を流れる水の流量を制御する。水量センサ１１５は、水導入管１５２を流れる水の流量を検出する。水温サーミスタ１１６は、水導入管１５２を流れる水の温度を検出する。減圧弁１０２とタンク１０１との間における給水管１５１から分岐した管の端部には、水抜き栓１０４が設けられている。
【００４７】
タンク１０１の上部には、湯導入管１５３が接続されている。湯導入管１５３には、湯制御弁１１７と、湯量センサ１１８と、湯温サーミスタ１１９と、が設けられている。湯制御弁１１７は、弁の開度を調整し、湯導入管１５３を流れる湯の流量を制御する。湯量センサ１１８は、湯導入管１５３を流れる湯の流量を検出する。湯温サーミスタ１１９は、湯導入管１５３を流れる湯の温度を検出する。
【００４８】
水導入管１５２および湯導入管１５３は、混合水導入管１５４として合流している。水導入管１５２を流れた水と、湯導入管１５３を流れた水と、は混合水導入管１５４で混合水として合流し、ガス湯沸かし部２０に向かって流れる。混合水導入管１５４には、混合サーミスタ１２１が設けられている。混合サーミスタ１２１は、混合水導入管１５４を流れる水の温度を検出する。
【００４９】
ガス湯沸かし部２０は、燃焼装置２０１と、中和器２３１と、ドレンタンク２３３と、風呂ポンプ２３５と、回収ポンプ２３６と、シスターン２３７と、を有する。
【００５０】
燃焼装置２０１の燃焼室２０２には、第１のバーナ２０３と、第２のバーナ２０４と、給湯潜熱熱交換器２０５と、給湯熱交換器２０６と、風呂熱交換器２０７と、が設けられている。また、燃焼装置２０１には、点火プラグ２１５と、フレームロッド２１６と、過熱防止装置（温度ヒューズ）２１７と、が取り付けられている。
【００５１】
第１のバーナ２０３および第２のバーナ２０４は、給湯熱交換器２０６および風呂熱交換器２０７の近傍に設けられ、給湯熱交換器２０６および風呂熱交換器２０７を加熱する。給湯熱交換器２０６は、多数のフィンを有し、第１のバーナ２０３および第２のバーナ２０４の少なくともいずれかにより加熱される。風呂熱交換器２０７は、給湯熱交換器２０６と同様に、多数のフィンを有し、第１のバーナ２０３および第２のバーナ２０４の少なくともいずれかにより加熱される。給湯潜熱熱交換器２０５は、給湯熱交換器２０６および風呂熱交換器２０７の上側に設けられ、燃焼室２０２の排ガスに含まれる潜熱を回収する。すなわち、給湯潜熱熱交換器２０５は、第１のバーナ２０３および第２のバーナ２０４の少なくともいずれかの燃焼により給湯熱交換器２０６および風呂熱交換器２０７が熱交換を行った後の燃焼排気と接触する位置に設けられている。このようにして、燃焼装置２０１は、第１のバーナ２０３および第２のバーナ２０４の少なくともいずれかの燃焼により、供給された水を加熱することができる。
【００５２】
燃焼室２０２には、燃焼ファン２０８と、ガス管６０１と、が接続されている。ガス管６０１は、第１のガス分岐管６０２および第２のガス分岐管６０３を介して燃焼室２０２に接続されている。
【００５３】
燃焼ファン２０８は、第１のバーナ２０３および第２のバーナ２０４の燃焼に必要な空気を燃焼室２０２に送る。ガス管６０１は、第１のガス分岐管６０２と、第２のガス分岐管６０３と、に分岐している。ガス管６０１は、第１のガス分岐管６０２を介して、第１のバーナ２０３に対して燃焼に必要なガスを導く。また、ガス管６０１は、第２のガス分岐管６０３を介して、第２のバーナ２０４に対して燃焼に必要なガスを導く。
【００５４】
ガス管６０１には、元ガス電磁弁２１１と、ガス比例弁２１２と、が設けられている。第１のガス分岐管６０２には、第１のガス電磁弁２１３が設けられている。第２のガス分岐管６０３には、第２のガス電磁弁２１４が設けられている。元ガス電磁弁２１１は、第１のバーナ２０３および第２のバーナ２０４に対するガスの供給および停止を制御する。ガス比例弁２１２は、対応する第１のバーナ２０３および第２のバーナ２０４への供給燃料量を弁開度でもって制御する。第１のガス電磁弁２１３および第２のガス電磁弁２１４は、対応する第１のバーナ２０３および第２のバーナ２０４への燃料供給・停止を制御する。
【００５５】
燃焼装置２０１の燃焼室２０２には、ドレン（水）の受け部としての給湯受け皿２２５がさらに設けられている。燃焼室２０２において燃焼排気中に存在する水蒸気が比較的低い温度の給湯潜熱熱交換器２０５の表面で結露し滴下すると、滴下したドレンは、給湯受け皿２２５に溜められる。給湯受け皿２２５は、ドレン排出管６３９を通して中和器２３１に接続されている。
【００５６】
中和器２３１は、中和器水位電極２３２を有し、ドレン排出管６３９を通して給湯受け皿２２５から導かれたドレンの中和処理を行う。ドレンタンク２３３は、水位電極２３４を有し、中和器２３１により中和処理されたドレンを貯留する。図２に表した矢印Ａ３および矢印Ａ４のように、ドレンタンク２３３から溢れたドレンは、適宜排水される。
【００５７】
シスターン２３７は、水位電極２３８と、オーバーフロー弁２３９と、を有する容器であり、内部に水を貯留している。シスターン２３７は、オーバーフロー弁２３９が開くことにより大気開放される。つまり、シスターン２３７は、空気抜きの貯留槽として機能する。オーバーフロー弁２３９の開閉動作は、制御装置７０により制御される。つまり、オーバーフロー弁２３９は、所定以上の圧力がかかると自動的に開く動作を行うわけではなく、制御装置７０から送信された信号に基づいて開閉動作を行う。
【００５８】
ヒートポンプ部３０は、熱媒体循環路３５１と、第１の液体熱交換器３０１と、第２の液体熱交換器３０２と、気体熱交換器３０３と、圧縮機３０４と、膨張弁３０５と、ファン３０６と、四方切替弁３０７と、除霜弁３０８と、を有する。熱媒体循環路３５１は、例えばフロンガスＲ４１０Ａなどの熱媒体を循環させる管路であり、第１の液体熱交換器３０１および第２の液体熱交換器３０２の内部を通過している。気体熱交換器３０３、圧縮機３０４および膨張弁３０５は、熱媒体循環路３５１に接続されている。第１の液体熱交換器３０１は、熱媒体循環路３５１により気体熱交換器３０３と直列に接続されている。第２の液体熱交換器３０２は、熱媒体循環路３５１により気体熱交換器３０３と直列に接続されている。
【００５９】
第１の液体熱交換器３０１は、熱媒体循環路３５１を流れる熱媒体と、ガス湯沸かし部２０から第１の液体熱交換器３０１の内部に導かれた水（液体）と、の間において非接触で熱交換を行うことができる。すなわち、第１の液体熱交換器３０１の内部において、熱媒体循環路３５１は、ガス湯沸かし部２０からヒートポンプ部３０に向かって供給された水が通る第１の液体熱交換器３０１の内管３５２と熱的に接続されている。第１の液体熱交換器３０１は、いわゆる液−液熱交換器である。
【００６０】
第２の液体熱交換器３０２は、熱媒体循環路３５１を流れる熱媒体と、タンク部１０のプレート熱交換器１０３から第２の液体熱交換器３０２の内部に導かれた水（液体）と、の間において非接触で熱交換を行うことができる。すなわち、第２の液体熱交換器３０２の内部において、熱媒体循環路３５１は、タンク部１０からヒートポンプ部３０に向かって供給された水が通る第２の液体熱交換器３０２の内管３５３と熱的に接続されている。第２の液体熱交換器３０２は、第１の液体熱交換器３０１と同様に、いわゆる液−液熱交換器である。
【００６１】
気体熱交換器３０３は、ファン３０６によって送風された外気（気体）と、熱媒体循環路３５１を流れる熱媒体と、の間で熱交換を行う。
【００６２】
圧縮機３０４は、熱媒体循環路３５１の内部の熱媒体を圧縮する。具体的には、圧縮機３０４には、比較的高温で低圧の気体状態の熱媒体が供給される。熱媒体は、圧縮機３０４によって圧縮され、高温高圧の気体状態になる。圧縮機３０４は、図２に表した矢印Ａ５のように、圧縮後の高温高圧の気体状態の熱媒体を四方切替弁３０７に供給する。このとき、高温高圧の気体状態は、液体になりやすい（液体になる寸前）の状態である。
【００６３】
膨張弁３０５は、熱媒体循環路３５１の内部の熱媒体を減圧する。具体的には、膨張弁３０５には、比較的低温で高圧の液体状態の熱媒体が供給される。熱媒体は、膨張弁３０５を通過することによって減圧され、低温低圧の液体状態になる。このとき、低温低圧の液体状態は、気体になりやすい（気体になる寸前）の状態である。
【００６４】
四方切替弁３０７は、熱媒体循環路３５１の内部における熱媒体の流れを切り替える。圧縮機３０４から送り出された熱媒体が四方切替弁３０７を介して第１の液体熱交換器３０１に供給される場合には、高温高圧の気体状態の熱媒体が第１の液体熱交換器３０１に供給される。そのため、この場合において、第１の液体熱交換器３０１は、暖房機として機能し、ガス湯沸かし部２０から供給された水を加熱する。このとき、第１の液体熱交換器３０１の内部において熱媒体循環路３５１を流れる熱媒体は、熱交換の結果として熱を奪われる。そして、第２の液体熱交換器３０２には、膨張弁３０５を通過した低温低圧の液体状態の熱媒体が気体熱交換器３０３を介して供給される。そのため、この場合において、第２の液体熱交換器３０２は、冷房機として機能する。
【００６５】
一方で、圧縮機３０４から送り出された熱媒体が四方切替弁３０７を介して第２の液体熱交換器３０２に供給される場合には、高温高圧の気体状態の熱媒体が第２の液体熱交換器３０２に供給される。そのため、この場合において、第２の液体熱交換器３０２は、暖房機として機能し、タンク部１０のプレート熱交換器１０３から供給された水を加熱する。このとき、第２の液体熱交換器３０２の内部において熱媒体循環路３５１を流れる熱媒体は、熱交換の結果として熱を奪われる。そして、第１の液体熱交換器３０１には、膨張弁３０５を通過した低温低圧の液体状態の熱媒体が供給される。そのため、この場合において、第１の液体熱交換器３０１は、冷房機として機能し、ガス湯沸かし部２０から供給された水を冷却する。
【００６６】
このように、第１の液体熱交換器３０１が冷房機として機能し、第２の液体熱交換器３０２が暖房機として機能する場合には、熱媒体は、図２に表した四方切替弁３０７の破線部分を通過する。一方で、第１の液体熱交換器３０１が暖房機として機能し、第２の液体熱交換器３０２が冷房機として機能する場合には、熱媒体は、図２に表した四方切替弁３０７の実線部分を通過する。
【００６７】
除霜弁３０８は、熱媒体循環路３５１から分岐した熱媒体バイパス管３５４に設けられている。除霜弁３０８は、弁の開度を調整して膨張弁３０５による熱媒体の減圧の度合を調整することにより、第１の液体熱交換器３０１、第２の液体熱交換器３０２および気体熱交換器３０３の少なくともいずれかに付着した霜を取り除くことができる。
【００６８】
熱媒体循環路３５１には、圧力センサ３１４が設けられている。圧力センサ３１４は、熱媒体循環路３５１を循環する熱媒体の圧力を検出することができる。
【００６９】
暖房装置４０は、高温暖房装置４０１と、低温暖房装置４０２と、を有する。高温暖房装置４０１としては、例えば浴室暖房機などが挙げられる。低温暖房装置４０２としては、例えば温水マットなどが挙げられる。
【００７０】
高温暖房装置４０１には、予め設定された温度（例えば約８０℃程度）の湯がガス湯沸かし部２０から熱動弁４０４を介して供給される。例えば、高温暖房装置４０１が浴室暖房機である場合には、暖房ファン４０３が駆動することにより、浴室の内部に温風が供給される。高温暖房装置４０１を通過した湯は、液体合流部４０５を介してシスターン２３７に導かれる。
【００７１】
低温暖房装置４０２には、予め設定された温度（例えば約６０℃程度）の湯がガス湯沸かし部２０に設けられた低温往き熱動弁２４１を介して供給される。低温暖房装置４０２を通過した湯は、液体合流部４０５を介してシスターン２３７に導かれる。
【００７２】
制御装置７０は、タンク部１０と、ガス湯沸かし部２０と、ヒートポンプ部３０と、暖房装置４０と、に電気的に接続されており、タンク部１０と、ガス湯沸かし部２０と、ヒートポンプ部３０と、暖房装置４０と、の動作を制御する。
【００７３】
次に、タンク部１０と、ガス湯沸かし部２０と、ヒートポンプ部３０と、暖房装置４０と、浴槽５０と、の相互の接続について、図面を参照して説明する。
本実施形態に係る給湯暖房システム２では、タンク部１０は、ガス湯沸かし部２０に対して管路で接続されている。ガス湯沸かし部２０は、ヒートポンプ部３０と、暖房装置４０と、浴槽５０と、に対して管路で接続されている。ヒートポンプ部３０は、ガス湯沸かし部２０を介して暖房装置４０および浴槽５０に管路で接続されている。暖房装置４０は、ガス湯沸かし部２０を介して浴槽５０に管路で接続されている。
【００７４】
この際、ガス湯沸かし部２０とタンク部１０とを直接接続するための管路、およびヒートポンプ部３０において生成された熱をタンク部１０に回収するための管路を除き、タンク部１０と、ガス湯沸かし部２０と、ヒートポンプ部３０と、暖房装置４０と、浴槽５０と、は第１の共通管６９１（図２に表した塗りつぶし部分参照）および第２の共通管６９２（図２に表した塗りつぶし部分参照）の少なくとも一部を介して互いに接続されている。すなわち、浴槽系統の管路の一部は、暖房系統の管路の一部と共通している。
【００７５】
第１の共通管６９１は、風呂熱交換器２０７の出口管６０９と、第１の風呂往き管６１９と、を有し、風呂熱交換器２０７の入口管６０８と、風呂往き三方弁２４６と、に接続されている。図２に表した矢印Ａ１のように、第１の共通管６９１を流れる水は、風呂熱交換器２０７から浴槽５０に向かって流れる。第１の共通管６９１の上流側の端部は、風呂熱交換器２０７の内部において、風呂熱交換器２０７の入口管６０８に接続されている。第１の共通管６９１の下流側の端部は、風呂往き三方弁２４６に接続されている。
【００７６】
第２の共通管６９２は、第３の風呂戻り管６２５と、風呂ポンプ入口管６２６と、風呂ポンプ出口管６１４と、風呂熱交換器２０７の入口管６０８と、を有し、風呂戻り四方弁２４９と、風呂熱交換器２０７の出口管６０９と、に接続されている。図２に表した矢印Ａ２のように、第２の共通管６９２を流れる水は、風呂ポンプ２３５から風呂熱交換器２０７に向かって流れる。第２の共通管６９２の上流側の端部は、風呂戻り四方弁２４９に接続されている。第２の共通管６９２の下流側の端部は、風呂熱交換器２０７の内部において、風呂熱交換器２０７の出口管６０９に接続されている。
【００７７】
〔ガス湯沸かし部と浴槽との接続〕
まず、ガス湯沸かし部２０と、浴槽５０と、の接続について説明する。ここで説明する管路は、ガス湯沸かし部２０と浴槽５０とを接続する浴槽系統の管路の一例である。ガス湯沸かし部２０と浴槽５０とを接続する管路は、第１の共通管６９１と、第２の風呂往き管６２１と、第３の風呂往き管６２２と、第１の風呂戻り管６２３と、第２の風呂戻り管６２４と、第２の共通管６９２と、を有する。
【００７８】
第１の共通管６９１のうちの風呂熱交換器２０７の出口管６０９は、風呂往き四方弁２４５を介して第１の風呂往き管６１９に接続されている。第１の風呂往き管６１９は、風呂往き三方弁２４６を介して第２の風呂往き管６２１に接続されている。第２の風呂往き管６２１は、循環金具（図示せず）を介して浴槽５０に接続された第３の風呂往き管６２２に接続されている。風呂往き三方弁２４６は、第１の風呂往き管６１９に導かれた水が、浴槽５０に導かれる状態と、暖房装置４０の高温暖房装置４０１に導かれる状態と、を切り替える。すなわち、風呂往き三方弁２４６は、第１の風呂往き管６１９に導かれた水が、第２の風呂往き管６２１に導かれる状態と、第１の高温暖房往き管６２７に導かれる状態と、を切り替える。風呂往き三方弁２４６は、水が浴槽系統の管路を流れる状態と、水が暖房系統の管路を流れる状態と、を切り替える切替弁に相当する。
【００７９】
浴槽５０には、第３の風呂往き管６２２とは異なる第１の風呂戻り管６２３が循環金具（図示せず）を介して接続されている。第１の風呂戻り管６２３は、第２の風呂戻り管６２４に接続され、風呂戻り四方弁２４９を介して第２の共通管６９２のうちの第３の風呂戻り管６２５に接続されている。第３の風呂戻り管６２５は、プレート四方弁２５１を介して風呂ポンプ入口管６２６に接続されている。風呂ポンプ入口管６２６は、風呂ポンプ２３５を介して風呂ポンプ出口管６１４に接続されている。そして、風呂ポンプ出口管６１４は、風呂熱交換器２０７の入口管６０８に接続されている。
【００８０】
風呂熱交換器２０７の出口管６０９には、第１の風呂往きサーミスタ２５６が設けられている。第１の風呂往きサーミスタ２５６は、風呂熱交換器２０７の出口管６０９を流れる水の温度を検出する。
【００８１】
第２の風呂往き管６２１には、第２の風呂往きサーミスタ２５７が設けられている。第２の風呂往きサーミスタ２５７は、第２の風呂往き管６２１を流れる水の温度を検出する。第３の風呂往き管６２２には、第１のドレン切替三方弁２４７が設けられている。第１のドレン切替三方弁２４７は、第３の風呂往き管６２２を流れる水が、浴槽５０に導かれる状態と、排出される状態と、を切り替える。第２の風呂戻り管６２４には、電磁弁２４８が設けられている。
【００８２】
風呂ポンプ入口管６２６には、第２のドレン切替三方弁２５２と、風呂水流スイッチ２５３と、風呂戻りサーミスタ２５４と、水位センサ２５５と、がこの順に上流側（浴槽５０側）から下流側（風呂ポンプ２３５側）に向かって設けられている。風呂水流スイッチ２５３は、水が風呂ポンプ入口管６２６を流れていることを検出する。風呂戻りサーミスタ２５４は、風呂ポンプ入口管６２６を流れる水の温度を検出する。
【００８３】
〔ガス湯沸かし部と暖房装置との接続〕
続いて、ガス湯沸かし部２０と、暖房装置４０と、の接続について説明する。ここで説明する管路は、ガス湯沸かし部２０と暖房装置４０とを接続する暖房系統の管路の一例である。ガス湯沸かし部２０と浴槽５０との接続に関して前述した第１の共通管６９１は、風呂往き三方弁２４６を介して第１の高温暖房往き管６２７に接続されている。第１の高温暖房往き管６２７は、第２の高温暖房往き管４５１に接続されている。第２の高温暖房往き管４５１は、熱動弁４０４を介して高温暖房装置４０１の内部を通過し、高温暖房戻り管４５２に接続されている。高温暖房戻り管４５２は、液体合流部４０５を介して暖房戻り管６２８に接続されている。暖房戻り管６２８は、シスターン２３７に接続されている。
【００８４】
シスターン２３７には、暖房戻り管６２８とは異なるシスターン出口管６２９が接続されている。シスターン出口管６２９は、風呂戻り四方弁２４９を介して第２の共通管６９２に接続されている。風呂戻り四方弁２４９は、浴槽５０の内部の水が第２の共通管６９２に導かれる状態と、高温暖房装置４０１および低温暖房装置４０２を流れた水がシスターン２３７を介して第２の共通管６９２に導かれる状態と、を切り替える。風呂戻り四方弁２４９は、水が浴槽系統の管路を流れる状態と、水が暖房系統の管路を流れる状態と、を切り替える切替弁に相当する。第２の共通管６９２は、ガス湯沸かし部２０と浴槽５０との接続に関して前述した通りである。
【００８５】
第２の風呂往き管６２１と、第１の高温暖房往き管６２７と、には、浴槽バイパス管６３１が接続されている。そして、浴槽バイパス管６３１には、電磁弁２５８が設けられている。第１の風呂往き管６１９を流れた水が第１の高温暖房往き管６２７に導かれる状態において、電磁弁２５８は、弁の開度を調整し、浴槽バイパス管６３１を通して第２の風呂往き管６２１に水を導くことができる。すなわち、浴槽バイパス管６３１および電磁弁２５８は、第１の高温暖房往き管６２７と第２の風呂往き管６２１との両方に任意の流量比で水を導くことができる。
【００８６】
風呂熱交換器２０７の出口管６０９には、風呂熱交換器２０７の出口管６０９から分岐した第１の低温能力管６３２が接続されている。第１の低温能力管６３２は、第１の低温能力四方弁２５９を介して第２の低温能力管６３３に接続されている。第２の低温能力管６３３は、第２の低温能力四方弁２６１を介して第３の低温能力管６３４に接続されている。そして、第３の低温能力管６３４は、シスターン２３７に接続されている。
【００８７】
また、第２の低温能力管６３３は、第２の低温能力四方弁２６１を介して第１の暖房往き管６１７および第２の暖房往き管６３５に接続されている。第２の暖房往き管６３５は、蓄熱三方弁２６２を介して第３の暖房往き管６３６および第４の暖房往き管６３７に接続されている。
【００８８】
第３の暖房往き管６３６は、低温往き熱動弁２４１を介して低温暖房往き管４５３に接続されている。低温暖房往き管４５３は、低温暖房装置４０２の内部を通過し、低温暖房戻り管４５４に接続されている。低温暖房戻り管４５４は、液体合流部４０５を介して暖房戻り管６２８に接続されている。暖房戻り管６２８と、シスターン２３７と、シスターン出口管６２９と、第２の共通管６９２と、の接続は、前述した通りである。
【００８９】
第１の低温能力管６３２には、低温能力切替弁２６３が設けられている。低温能力切替弁２６３は、弁の開度を調整し、第１の低温能力管６３２を流れる水の流量を制御する。つまり、低温能力切替弁２６３は、弁の開度を調整し、風呂熱交換器２０７の出口管６０９を通って第１の風呂往き管６１９に導かれる水の流量と、風呂熱交換器２０７の出口管６０９を通って第１の低温能力管６３２に導かれる水の流量と、の比率を制御する。低温能力切替弁２６３は、弁を閉じることにより、第１の低温能力管６３２を流れる水を止めることができる。すなわち、低温能力切替弁２６３は、止水機能を有する。
【００９０】
〔ガス湯沸かし部とヒートポンプ部との接続〕
続いて、ガス湯沸かし部２０と、ヒートポンプ部３０と、の接続について説明する。第２の共通管６９２のうちの風呂ポンプ出口管６１４には、風呂ポンプ出口管６１４から分岐した第１の液体熱交換器３０１の入口管６１５が接続されている。第１の液体熱交換器３０１の入口管６１５は、第１の液体熱交換器３０１の内管３５２を介して第１の液体熱交換器３０１の出口管６１６に接続されている。第１の液体熱交換器３０１の出口管６１６は、第２の共通管６９２のうちの風呂熱交換器２０７の入口管６０８に接続されている。
【００９１】
風呂ポンプ出口管６１４と、第１の液体熱交換器３０１の入口管６１５と、の接続部には、ヒートポンプ入口三方弁２４３が設けられている。ヒートポンプ入口三方弁２４３は、風呂ポンプ２３５から送り出された水が第１の液体熱交換器３０１の入口管６１５に導かれる状態と、風呂熱交換器２０７の入口管６０８に直接的に導かれる状態と、を切り替える。
【００９２】
第１の液体熱交換器３０１の入口管６１５には、入口サーミスタ３１１が設けられている。入口サーミスタ３１１は、第１の液体熱交換器３０１の入口管６１５を流れる水であって、第１の液体熱交換器３０１に流入する直前の水の温度を検出する。第１の液体熱交換器３０１の出口管６１６には、出口サーミスタ３１２が設けられている。出口サーミスタ３１２は、第１の液体熱交換器３０１の出口管６１６を流れる水であって、第１の液体熱交換器３０１から流出した直後の水の温度を検出する。
【００９３】
第１の液体熱交換器３０１の出口管６１６には、第１の液体熱交換器３０１の出口管６１６から分岐した水抜き管３５７が接続されている。水抜き管３５７の端部には、水抜き栓３１３が設けられている。また、出口サーミスタ３１２よりも下流側の第１の液体熱交換器３０１の出口管６１６には、第１の液体熱交換器３０１の出口管６１６から分岐した第１の暖房往き管６１７が接続されている。
【００９４】
第１の液体熱交換器３０１の出口管６１６と、第１の暖房往き管６１７と、の接続部には、ヒートポンプ出口三方弁２４４が設けられている。ヒートポンプ出口三方弁２４４は、第１の液体熱交換器３０１を流れた水が風呂熱交換器２０７の入口管６０８に導かれる状態と、第１の暖房往き管６１７に導かれる状態と、を切り替える。第１の液体熱交換器３０１の出口管６１６と、第１の暖房往き管６１７と、には、暖房バイパス管６１８が接続されている。そして、暖房バイパス管６１８には、電磁弁２６４が設けられている。
【００９５】
第１の液体熱交換器３０１を流れた水が風呂熱交換器２０７の入口管６０８に導かれる状態において、電磁弁２６４は、弁の開度を調整し、暖房バイパス管６１８を通して第１の暖房往き管６１７に水を導くことができる。すなわち、暖房バイパス管６１８および電磁弁２６４は、風呂熱交換器２０７の入口管６０８と第１の暖房往き管６１７との両方に任意の流量比で水を導くことができる。
【００９６】
〔ヒートポンプ部と浴槽との接続〕
続いて、ヒートポンプ部３０と、浴槽５０と、の接続について説明する。ここで説明する管路は、ヒートポンプ部３０と浴槽５０とを接続する浴槽系統の管路の一例である。ガス湯沸かし部２０と、ヒートポンプ部３０と、の接続に関して前述したように、第１の液体熱交換器３０１の出口管６１６は、ヒートポンプ出口三方弁２４４を介して第１の暖房往き管６１７に接続されている。第１の暖房往き管６１７は、第２の低温能力四方弁２６１を介して第２の暖房往き管６３５に接続されている。第２の暖房往き管６３５は、蓄熱三方弁２６２を介して第４の暖房往き管６３７に接続されている。第４の暖房往き管６３７は、風呂往き四方弁２４５を介して第１の共通管６９１に接続されている。蓄熱三方弁２６２は、第２の暖房往き管６３５を流れる水が、第３の暖房往き管６３６に導かれる状態と、第４の暖房往き管６３７に導かれる状態と、を切り替える。
【００９７】
第１の共通管６９１と、浴槽５０と、の接続は、ガス湯沸かし部２０と、浴槽５０と、の接続に関して前述した通りである。また、第２の共通管６９２と、浴槽５０と、の接続は、ガス湯沸かし部２０と、浴槽５０と、の接続に関して前述した通りである。そして、ガス湯沸かし部２０と、ヒートポンプ部３０と、の接続に関して前述したように、第２の共通管６９２のうちの風呂ポンプ出口管６１４は、ヒートポンプ入口三方弁２４３を介して第１の液体熱交換器３０１の入口管６１５に接続されている。
【００９８】
〔ヒートポンプ部と暖房装置との接続〕
続いて、ヒートポンプ部３０と、暖房装置４０と、の接続について説明する。ここで説明する管路は、ヒートポンプ部３０と暖房装置４０とを接続する暖房系統の管路の一例である。ヒートポンプ部３０と、浴槽５０と、の接続に関して前述したように、第１の液体熱交換器３０１の出口管６１６は、ヒートポンプ出口三方弁２４４を介して第１の暖房往き管６１７に接続されている。第１の暖房往き管６１７は、第２の低温能力四方弁２６１と、第２の暖房往き管６３５と、蓄熱三方弁２６２と、第４の暖房往き管６３７と、風呂往き四方弁２４５と、を介して第１の共通管６９１に接続されている。第１の共通管６９１のうちの第１の風呂往き管６１９と、第１の高温暖房往き管６２７と、第２の高温暖房往き管４５１と、高温暖房装置４０１と、高温暖房戻り管４５２と、暖房戻り管６２８と、シスターン２３７と、シスターン出口管６２９と、の接続は、ガス湯沸かし部２０と、暖房装置４０と、の接続に関して前述した通りである。
【００９９】
また、第２の暖房往き管６３５は、蓄熱三方弁２６２を介して第３の暖房往き管６３６に接続されている。第３の暖房往き管６３６と、低温暖房往き管４５３と、低温暖房戻り管４５４と、暖房戻り管６２８と、シスターン２３７と、シスターン出口管６２９と、の接続は、ガス湯沸かし部２０と、暖房装置４０と、の接続に関して前述した通りである。
【０１００】
シスターン出口管６２９は、風呂戻り四方弁２４９を介して第２の共通管６９２に接続されている。そして、ガス湯沸かし部２０と、ヒートポンプ部３０と、の接続に関して前述したように、第２の共通管６９２のうちの風呂ポンプ出口管６１４は、ヒートポンプ入口三方弁２４３を介して第１の液体熱交換器３０１の入口管６１５に接続されている。
【０１０１】
〔タンク部とガス湯沸かし部との接続〕
続いて、タンク部１０と、ガス湯沸かし部２０と、の接続について説明する。ここで説明する管路は、タンク部１０とガス湯沸かし部２０とを接続するタンク系統の管路の一例である。タンク部１０の混合水導入管１５４は、給湯潜熱熱交換器２０５の入口管６０４に接続されている。なお、給湯潜熱熱交換器２０５の入口管６０４は、タンク部１０の混合水導入管１５４と同じ管であってもよいし、タンク部１０の混合水導入管１５４とは別の管であってもよい。つまり、タンク部１０の混合水導入管１５４を流れる水が、給湯潜熱熱交換器２０５の入口管６０４に導かれればよい。
【０１０２】
給湯潜熱熱交換器２０５の入口管６０４には、水量センサ２２１と、バイパスサーボ２２２と、が設けられている。水量センサ２２１は、給湯潜熱熱交換器２０５の入口管６０４を流れる水の流量を検出する。バイパスサーボ２２２は、給湯潜熱熱交換器２０５の入口管６０４と、給湯バイパス管６１１と、の接続部に設けられ、給湯バイパス管６１１に導かれる水の量を制御する。なお、給湯バイパス管６１１は、給湯潜熱熱交換器２０５の入口管６０４と、給湯熱交換器２０６の出口管６０７と、に接続されている。
【０１０３】
給湯潜熱熱交換器２０５の入口管６０４は、給湯潜熱熱交換器２０５の出口管６０５に接続されている。給湯潜熱熱交換器２０５の出口管６０５の端部には、水抜き栓２２７が設けられている。また、給湯潜熱熱交換器２０５の出口管６０５には、給湯潜熱熱交換器２０５の出口管６０５から分岐した給湯熱交換器２０６の入口管６０６が接続されている。給湯熱交換器２０６の入口管６０６には、水管サーミスタ２１８が設けられている。水管サーミスタ２１８は、給湯熱交換器２０６の入口管６０６を流れる水の温度を検出する。
【０１０４】
給湯熱交換器２０６の入口管６０６は、給湯熱交換器２０６の出口管６０７に接続されている。給湯熱交換器２０６の出口管６０７には、熱交換サーミスタ２１９と、給湯サーミスタ２２３と、湯量サーボ２２４と、が設けられている。熱交換サーミスタ２１９は、給湯熱交換器２０６の出口管６０７を流れる水であって、給湯熱交換器２０６を通過した直後の水の温度を検出する。給湯サーミスタ２２３は、給湯熱交換器２０６の出口管６０７を流れる水であって、給湯熱交換器２０６の出口管６０７と給湯バイパス管６１１との接続部よりも下流側（湯量サーボ２２４側）の水の温度を検出する。湯量サーボは、給湯管６１２に導かれる湯の量を制御する。
【０１０５】
〔タンク部とヒートポンプ部との接続〕
続いて、タンク部１０と、ヒートポンプ部３０と、の接続について説明する。ここで説明する管路は、タンク部１０とヒートポンプ部３０とを接続するタンク系統の管路の一例である。第２の液体熱交換器３０２の内管３５３は、第２の液体熱交換器３０２の出口管３５５を介してガス湯沸かし部２０の回収ポンプ２３６に接続されている。回収ポンプ２３６は、熱回収循環路６１３に接続されている。熱回収循環路６１３は、プレート熱交換器１０３の内部を通り、第２の液体熱交換器３０２の入口管３５６に接続されている。なお、熱回収循環路６１３は、プレート四方弁２５１を介して第２の共通管６９２に接続されている。
【０１０６】
回収ポンプ２３６とプレート入口サーミスタ１２３との間の熱回収循環路６１３には、電磁弁２４２が設けられている。電磁弁２４２と、プレート熱交換器１０３と、の間の熱回収循環路６１３には、プレート入口サーミスタ１２３が設けられている。プレート入口サーミスタ１２３は、熱回収循環路６１３を流れる水であって、プレート熱交換器１０３に流入する直前の水の温度を検出する。
【０１０７】
次に、本実施形態に係る給湯暖房システム２の基本動作について、図面を参照して説明する。
なお、以下の各図面において、三方弁の近傍に記載された三方弁イラストは、塗り潰された部分同士が互いに連通している状態（連通状態）であることを表し、塗り潰された部分と塗り潰されていない部分が互いに連通していない状態（非連通状態）であることを表している。
【０１０８】
〔給水予熱動作〕
図３は、本実施形態に係る給湯暖房システムの給水予熱動作を説明する図である。
給水予熱動作は、ヒートポンプ部３０において生成された熱により、タンク１０１の内部に貯留された水を加熱する動作である。図３に表した塗りつぶし部分は、給水予熱動作において水が流れる管路を表している。制御装置７０が給水予熱動作の制御を実行すると、風呂ポンプ２３５が駆動する。また、ヒートポンプ部３０の圧縮機３０４は、四方切替弁３０７を介して第１の液体熱交換器３０１に熱媒体を供給する。そのため、給水予熱動作において、第１の液体熱交換器３０１は、暖房機として機能する。一方で、給水予熱動作において、第２の液体熱交換器３０２は、冷房機として機能する。
【０１０９】
図３に表した矢印Ａ１７のように、風呂ポンプ２３５が駆動すると、第２の共通管６９２のうちの風呂ポンプ入口管６２６を流れる水は、風呂ポンプ２３５から送り出され、ヒートポンプ入口三方弁２４３と、第１の液体熱交換器３０１の入口管６１５と、を介して第１の液体熱交換器３０１に流入する。第１の液体熱交換器３０１に流入する水の温度は、例えば約３０℃程度である。
【０１１０】
第１の液体熱交換器３０１の内管３５２を流れる水は、第１の液体熱交換器３０１の内部における熱媒体循環路３５１を流れる熱媒体により加熱される。第１の液体熱交換器３０１から流出した水の温度は、例えば約４５℃程度である。図３に表した矢印Ａ６のように、第１の液体熱交換器３０１の出口管６１６を流れる水は、ヒートポンプ出口三方弁２４４を介して第１の暖房往き管６１７に導かれる。
【０１１１】
第１の暖房往き管６１７を流れる水は、第２の低温能力四方弁２６１と、第２の暖房往き管６３５と、蓄熱三方弁２６２と、第４の暖房往き管６３７と、風呂往き四方弁２４５と、タンク往き管６３８と、を介して熱回収循環路６１３に導かれる。図３に表した矢印Ａ７および矢印Ａ８のように、熱回収循環路６１３を流れる水は、プレート熱交換器１０３の内部を通り、プレート四方弁２５１を介して第２の共通管６９２のうちの風呂ポンプ入口管６２６に導かれる。
【０１１２】
このとき、タンク１０１の内部に貯留された水は、プレート熱交換器１０３の内部における熱回収循環路６１３を流れる水により加熱される。加熱された水は、タンク１０１内の上部に移動する。これにより、タンク１０１内の上部には、高温（例えば約４５℃程度）の水の層が形成される。タンク１０１内の下部には、低温（例えば約１５℃程度）の水の層が形成される。
【０１１３】
なお、制御装置７０は、ヒートポンプ部３０において生成された熱によりタンク１０１の内部に貯留された水を加熱する動作（給水予熱動作）を実行するときには、電磁弁２６４、低温能力切替弁２６３およびオーバーフロー弁２３９を開く制御を実行する。これにより、管路内における体積の変化を吸収することができる。すなわち、配管内の圧力をシスターン２３７から逃がすことができる。そのため、配管の内部に過度の圧力がかかることを抑えることができる。
【０１１４】
〔給湯動作・蓄熱利用給湯動作〕
図４は、本実施形態に係る給湯暖房システムの給湯動作および蓄熱利用給湯動作を説明する図である。
給湯動作は、水供給源（例えば水道）から供給された水を加熱し、給湯栓に供給する動作である。蓄熱利用給湯動作は、タンク１０１の内部に貯留された水であってタンク１０１の内部で加熱された水を給湯栓に供給する動作である。図４に表した塗りつぶし部分は、給湯動作および蓄熱利用給湯動作において水が流れる管路を表している。
【０１１５】
給湯栓が開かれると、制御装置７０は、水制御弁１１４および湯制御弁１１７の少なくともいずれかを開く。そうすると、水供給源から供給される水の圧力によって、水が混合水導入管１５４を流れ、ガス湯沸かし部２０に供給される。水供給源から供給される水の温度は、例えば約１５℃程度である。
【０１１６】
ガス湯沸かし部２０に供給される水の温度（混合サーミスタ１２１の検出温度）が給湯設定温度よりも低い場合には、制御装置７０は、給湯動作の制御を実行し、燃焼装置２０１を作動させる。すなわち、燃焼装置２０１の内部を流れる水は、第１のバーナ２０３および第２のバーナ２０４の少なくともいずれかにより加熱される。給湯潜熱熱交換器２０５において加熱された水の温度は、例えば約３０℃程度である。給湯熱交換器２０６において加熱された水の温度は、例えば約７０℃程度である。
【０１１７】
加熱された水（湯）は、給湯熱交換器２０６の出口管６０７を通り、バイパスサーボ２２２により給湯バイパス管６１１に導かれた水と混合し、湯量サーボ２２４を介して給湯栓に供給される。給湯栓に導かれる水の温度は、例えば約４２℃程度である。制御装置７０は、給湯栓に供給される水の温度が、給湯設定温度と一致するように、第１のバーナ２０３および第２のバーナ２０４の出力を制御する。
【０１１８】
タンク１０１に貯留された水の温度（タンク内サーミスタ１１３の検出温度）が給湯設定温度よりも高い場合には、制御装置７０は、蓄熱利用給湯動作の制御を実行し、水制御弁１１４および湯制御弁１１７のそれぞれの開度を調整する。このとき、タンク１０１に貯留された水の温度は、例えば通常約４５℃、最大約６０℃程度である。
【０１１９】
水導入管１５２を流れた水と、湯導入管１５３を流れた水と、は混合水導入管１５４で混合水として合流し、燃焼装置２０１を介して給湯栓に供給される。このとき、燃焼装置２０１は、燃焼動作を行わない。つまり、燃焼装置２０１を流れる水は、第１のバーナ２０３および第２のバーナ２０４によっては加熱されない。混合水導入管１５４を流れる水および給湯栓に供給される水の温度は、例えば約４２℃程度である。このように、制御装置７０は、給湯栓に供給される水の温度が、給湯設定温度と一致するように、水制御弁１１４および湯制御弁１１７のそれぞれの開度を制御する。蓄熱利用給湯動作において水が流れる管路は、給湯動作において水が流れる管路と同じである。
【０１２０】
〔ドレン排水動作〕
図５および図６は、本実施形態に係る給湯暖房システムのドレン排出動作を説明する図である。
ドレン排出動作は、ドレンタンク２３３に貯留されたドレンを排出するとともに、管路の洗浄を行う動作である。図５に表した塗りつぶし部分は、ドレンタンク２３３に貯留されたドレンを排出する動作において水が流れる管路を表している。図６に表した塗りつぶし部分は、管路の洗浄を行う動作において水が流れる管路を表している。
【０１２１】
使用者が自動ボタン（図示せず）を押すと、制御装置７０は、ドレンタンク２３３に溜まったドレンを排出する動作（ドレン排出動作）の制御を実行した後に、湯張り動作の制御を実行する。湯張り動作が実行されているときに、多量のドレンが発生することがあるため、制御装置７０は、湯張り動作の制御を実行する前にドレン排出動作の制御を実行する。そして、制御装置７０は、ドレン排出動作の制御を実行した後に、湯張り動作において水が流れる管路の洗浄を行う動作（洗浄動作）の制御を実行する。なお、自動ボタンは、浴槽５０に自動湯張りを行う動作（湯張り動作）のオンオフスイッチである。
【０１２２】
制御装置７０がドレン排出動作の制御を実行すると、風呂ポンプ２３５が駆動する。そうすると、図５に表した矢印Ａ９のように、ドレンタンク２３３に貯留されたドレン（水）は、第１のドレンタンク出口管６４１および第２のドレンタンク出口管６４２を介して第２の共通管６９２のうちの風呂ポンプ入口管６２６に導かれる。第１のドレンタンク出口管６４１は、ドレンタンク２３３に接続されている。また、第１のドレンタンク出口管６４１は、第１の低温能力四方弁２５９を介して第２のドレンタンク出口管６４２に接続されている。第２のドレンタンク出口管６４２は、第２のドレン切替三方弁２５２を介して風呂ポンプ入口管６２６に接続されている。なお、第１のドレンタンク出口管６４１には、逆止弁２６５が設けられている。
【０１２３】
図５に表した矢印Ａ２のように、風呂ポンプ入口管６２６を流れたドレンは、風呂ポンプ２３５により風呂ポンプ出口管６１４に送り出される。続いて、図５に表した矢印Ａ１のように、風呂ポンプ出口管６１４を流れたドレンは、第１の共通管６９１を流れる。第１の共通管６９１のうち第１の風呂往き管６１９を流れたドレンは、風呂往き三方弁２４６を介して第２の風呂往き管６２１および第３の風呂往き管６２２に導かれる。第３の風呂往き管６２２に導かれたドレンは、第１のドレン切替三方弁２４７を介して排出される。
【０１２４】
続いて、図６に表したように、制御装置７０は、洗浄動作の制御を実行し、水制御弁１１４を開く。そうすると、水供給源から供給される水の圧力によって、水が水導入管１５２および混合水導入管１５４を流れ、ガス湯沸かし部２０に供給される。ガス湯沸かし部２０に供給された水は、給湯潜熱熱交換器２０５および給湯熱交換器２０６を流れ、湯量サーボ２２４に導かれる。湯量サーボ２２４に導かれた水は、第１の注湯管６４３と、第２の注湯管６４４と、第３の注湯管６４５と、を流れ、第２の共通管６９２のうちの風呂ポンプ入口管６２６に導かれる。
【０１２５】
第１の注湯管６４３は、注湯電磁弁２６６と、逆止弁２６７と、逆止弁２６８と、を介して第２の注湯管６４４に接続されている。第２の注湯管６４４は、注湯三方弁２７１を介して第３の注湯管６４５に接続されている。第３の注湯管６４５は、第２の共通管６９２のうちの風呂ポンプ入口管６２６に接続されている。第２の注湯管６４４には、湯量センサ２６９が設けられている。湯量センサ２６９は、第２の注湯管６４４を流れる湯の流量を検出する。また、逆止弁２６７、２６８の近傍には、大気開放弁２９４が設けられている。
【０１２６】
風呂ポンプ入口管６２６に導かれた水は、ドレン排出動作に関して前述した管路と同じ管路を流れ、第１のドレン切替三方弁２４７を介して排出される。このとき、風呂ポンプ２３５は、停止している。
【０１２７】
〔第１の湯張り動作・蓄熱湯張り動作〕
図７は、本実施形態に係る給湯暖房システムの第１の湯張り動作および蓄熱湯張り動作を説明する図である。
第１の湯張り動作は、水供給源（例えば水道）から供給された水を加熱し、浴槽５０に供給する動作である。蓄熱湯張り動作は、タンク１０１の内部に貯留された水であってタンク１０１の内部で加熱された水を浴槽５０に供給する動作である。図７に表した塗りつぶし部分は、第１の湯張り動作および蓄熱湯張り動作において水が流れる管路を表している。
【０１２８】
使用者が自動ボタン（図示せず）を押すと、制御装置７０は、図６に関して前述したドレン排出動作の制御を実行した後に、第１の湯張り動作または蓄熱湯張り動作の制御を実行する。第１の湯張り動作および蓄熱湯張り動作において、制御装置７０は、水制御弁１１４および湯制御弁１１７の少なくともいずれかを開く。そうすると、水供給源から供給される水の圧力によって、水が混合水導入管１５４を流れ、ガス湯沸かし部２０に供給される。水供給源から供給される水の温度は、例えば約１５℃程度である。
【０１２９】
ガス湯沸かし部２０に供給される水の温度（混合サーミスタ１２１の検出温度）が湯張り設定温度よりも低い場合には、制御装置７０は、第１の湯張り動作の制御を実行し、燃焼装置２０１を作動させる。燃焼装置２０１において加熱された水（湯）は、給湯熱交換器２０６の出口管６０７を通り、湯量サーボ２２４に導かれる。これは、図４に関して前述した通りである。給湯潜熱熱交換器２０５において加熱された水の温度は、例えば約３０℃程度である。給湯熱交換器２０６において加熱された水の温度は、例えば約７０℃程度である。
【０１３０】
湯量サーボ２２４に導かれた水は、第１の注湯管６４３を流れ、注湯電磁弁２６６と、逆止弁２６７と、逆止弁２６８と、を介して第２の注湯管６４４に導かれる。第２の注湯管６４４に導かれた水は、注湯三方弁２７１を介して第３の注湯管６４５に導かれる。
【０１３１】
図７に表した矢印Ａ１１および矢印Ａ１２のように、第３の注湯管６４５に導かれた水は、第３の注湯管６４５と風呂ポンプ入口管６２６との接続部を介して風呂ポンプ入口管６２６の両側に分岐して流れる。図７に表した矢印Ａ１１の方向に導かれた水は、第２の共通管６９２のうちの第３の風呂戻り管６２５と、第２の風呂戻り管６２４と、第１の風呂戻り管６２３と、を流れ、循環金具（図示せず）を介して浴槽５０に供給される。一方で、図７に表した矢印Ａ１２の方向に導かれた水は、第２の共通管６９２のうちの風呂ポンプ出口管６１４と、風呂熱交換器２０７の入口管６０８と、第１の共通管６９１と、を流れ、循環金具（図示せず）を介して浴槽５０に供給される。つまり、第１の湯張り動作において、燃焼装置２０１において加熱された水（湯）は、風呂往き管６１９、６２１、６２２および風呂戻り管６２３、６２４、６２５の両方を用いて浴槽５０に供給される。
【０１３２】
浴槽５０に導かれる水の温度は、例えば約４２℃程度である。制御装置７０は、浴槽５０に供給される水の温度が、湯張り設定温度と一致するように、第１のバーナ２０３および第２のバーナ２０４の出力を制御する。
【０１３３】
タンク１０１に貯留された水の温度（タンク内サーミスタ１１３の検出温度）が湯張り設定温度よりも高い場合には、制御装置７０は、蓄熱湯張り動作の制御を実行し、水制御弁１１４および湯制御弁１１７のそれぞれの開度を調整する。このとき、タンク１０１に貯留された水の温度は、例えば約４０℃〜６０℃程度である。
【０１３４】
水導入管１５２を流れた水と、湯導入管１５３を流れた水と、は混合水導入管１５４で混合水として合流し、燃焼装置２０１を介して湯量サーボ２２４に導かれる。このとき、燃焼装置２０１は、燃焼動作を行わない。つまり、燃焼装置２０１を流れる水は、第１のバーナ２０３および第２のバーナ２０４によっては加熱されない。混合水導入管１５４を流れる水および浴槽５０に供給される水の温度は、例えば約４２℃程度である。このように、制御装置７０は、浴槽５０に供給される水の温度が、湯張り設定温度と一致するように、水制御弁１１４および湯制御弁１１７のそれぞれの開度を制御する。蓄熱湯張り動作において水が流れる管路は、第１の湯張り動作において水が流れる管路と同じである。
【０１３５】
そして、制御装置７０は、浴槽５０の内部の水位が循環金具（図示せず）よりも上になると第１の湯張り動作および蓄熱湯張り動作を一時中断し、浴槽５０の内部の水位を確認する。続いて、制御装置７０は、浴槽５０の内部の水位が設定水位になるまで第１の湯張り動作または蓄熱湯張り動作の制御を実行する。
【０１３６】
〔第２の湯張り動作〕
図８は、本実施形態に係る給湯暖房システムの第２の湯張り動作を説明する図である。
図８を参照して説明する第２の湯張り動作は、ガス湯沸かし部２０およびヒートポンプ部３０を用いて、水供給源（例えば水道）から供給された水を加熱し、浴槽５０に供給する動作である。例えばタンク１０１に湯が貯留されていない状態で、夏場などにおいて湯張り設定温度が４０℃以下である場合には、ヒートポンプ部３０を用いることで高い効率の湯張り動作を実現することができる。図８に表した塗りつぶし部分は、第２の湯張り動作において水が流れる管路を表している。
【０１３７】
使用者が湯張り設定温度を４０℃以下に設定し自動ボタン（図示せず）を押すと、制御装置７０は、ガス湯沸かし部２０およびヒートポンプ部３０を用いた第２の湯張り動作の制御を実行する。制御装置７０が第２の湯張り動作の制御を実行すると、水供給源（例えば水道）から供給された水は、第３の注湯管６４５と風呂ポンプ入口管６２６との接続部に導かれる。これは、図７に関して前述した通りである。
【０１３８】
なお、第２の湯張り動作において、給湯熱交換器２０６で加熱された水の温度は、約７０℃程度ではなく、例えば約６０℃程度である。また、湯量サーボ２２４に導かれる水の温度は、約４２℃程度ではなく、例えば約３０℃程度である。この点において、第２の湯張り動作は、図７に関して前述した第１の湯張り動作または蓄熱湯張り動作とは異なる。
【０１３９】
図８に表した矢印Ａ１１および矢印Ａ１２のように、第３の注湯管６４５に導かれた水は、第３の注湯管６４５と風呂ポンプ入口管６２６との接続部を介して風呂ポンプ入口管６２６の両側に分岐して流れる。図８に表した矢印Ａ１１の方向に導かれた水は、浴槽５０に供給される。これは、図７に関して前述した通りである。図８に表した矢印Ａ１１の方向に導かれて浴槽５０に供給される水の温度は、例えば約３０℃程度である。
【０１４０】
一方で、図８に表した矢印Ａ１２の方向に導かれた水は、第２の共通管６９２のうちの風呂ポンプ出口管６１４を流れ、ヒートポンプ入口三方弁２４３を介して第１の液体熱交換器３０１の入口管６１５に導かれる。第１の液体熱交換器３０１の入口管６１５に導かれた水は、第１の液体熱交換器３０１の内管３５２および出口管６１６を流れ、風呂熱交換器２０７の入口管６０８に導かれる。
【０１４１】
このとき、ヒートポンプ部３０の圧縮機３０４は、四方切替弁３０７を介して第１の液体熱交換器３０１に熱媒体を供給する。そのため、第２の湯張り動作において、第１の液体熱交換器３０１は、暖房機として機能する。一方で、第２の湯張り動作において、第２の液体熱交換器３０２は、冷房機として機能する。そのため、第１の液体熱交換器３０１の内管３５２を流れる水は、第１の液体熱交換器３０１の内部における熱媒体循環路３５１を流れる熱媒体により加熱される。第１の液体熱交換器３０１から流出した水の温度は、例えば約４５℃程度である。
【０１４２】
風呂熱交換器２０７の入口管６０８に導かれた水は、風呂熱交換器２０７において加熱され、第１の共通管６９１と、第２の風呂往き管６２１と、第３の風呂往き管６２２と、を流れて浴槽５０に供給される。風呂熱交換器２０７において加熱され、浴槽５０に供給される水の温度は、例えば約６０℃程度である。その他の動作は、図７に関して前述した第１の湯張り動作と同じである。
【０１４３】
〔第１の追い焚き動作〕
図９は、本実施形態に係る給湯暖房システムの第１の追い焚き動作を説明する図である。
第１の追い焚き動作は、浴槽５０の内部の水を循環させて加熱し、加熱された水を浴槽５０に戻す動作である。図９に表した塗りつぶし部分は、第１の追い焚き動作において水が流れる管路を表している。
【０１４４】
使用者が自動ボタン（図示せず）を押し、図７に関して前述した第１の湯張り動作および図８に関して前述した第２の湯張り動作が完了すると、制御装置７０は、浴槽５０の内部の水位を確認し、浴槽５０の内部の水の温度が設定温度と一致するように第１の追い焚き動作の制御を実行する。あるいは、使用者が追い焚きボタン（図示せず）を押すと、制御装置７０は、浴槽５０の内部の水の温度が設定温度と一致するように第１の追い焚き動作の制御を実行する。
【０１４５】
制御装置７０が第１の追い焚き動作の制御を実行すると、風呂ポンプ２３５が駆動する。そうすると、図９に表した矢印Ａ２のように、浴槽５０の内部の水は、第１の風呂戻り管６２３と、第２の風呂戻り管６２４と、第２の共通管６９２のうちの第３の風呂戻り管６２５と、を流れ、風呂ポンプ２３５を介して風呂熱交換器２０７の入口管６０８に導かれる。このとき、風呂熱交換器２０７の入口管６０８を流れる水の温度は、例えば約３０℃程度である。
【０１４６】
風呂熱交換器２０７を流れる水は、第１のバーナ２０３および第２のバーナ２０４の少なくともいずれかにより加熱される。風呂熱交換器２０７において加熱された水の温度は、例えば約６０℃程度である。風呂熱交換器２０７において加熱された水は、第１の共通管６９１と、第２の風呂往き管６２１と、第３の風呂往き管６２２と、を流れて浴槽５０の内部に供給される。
【０１４７】
〔第２の追い焚き動作〕
図１０は、本実施形態に係る給湯暖房システムの第２の追い焚き動作を説明する図である。
図９に関して前述した第１の追い焚き動作では、ガス湯沸かし部２０を用いて浴槽５０から導かれた水を加熱する一方で、図１０を参照して説明する第２の追い焚き動作では、ガス湯沸かし部２０およびヒートポンプ部３０を用いて浴槽５０から導かれた水を加熱する。図１０に表した塗りつぶし部分は、第２の追い焚き動作において水が流れる管路を表している。
【０１４８】
例えば、浴槽５０の内部に水が残っている状態で使用者が追い焚きボタン（図示せず）を押し、水の温度が比較的低い場合には、制御装置７０は、浴槽５０の内部の水の温度が設定温度と一致するように第２の追い焚き動作の制御を実行する。
【０１４９】
制御装置７０が第２の追い焚き動作の制御を実行すると、風呂ポンプ２３５が駆動する。そうすると、図１０に表した矢印Ａ１７のように、浴槽５０の内部の水は、風呂ポンプ２３５を介して第２の共通管６９２のうちの風呂ポンプ出口管６１４を流れる。このとき、第２の共通管６９２を流れる水の温度は、例えば約３０℃程度である。
【０１５０】
風呂ポンプ出口管６１４を流れる水は、ヒートポンプ入口三方弁２４３を介して第１の液体熱交換器３０１の入口管６１５に導かれる。第１の液体熱交換器３０１の入口管６１５に導かれた水は、第１の液体熱交換器３０１の内管３５２および出口管６１６を流れ、風呂熱交換器２０７の入口管６０８に導かれる。
【０１５１】
このとき、ヒートポンプ部３０の圧縮機３０４は、四方切替弁３０７を介して第１の液体熱交換器３０１に熱媒体を供給する。そのため、第２の追い焚き動作において、第１の液体熱交換器３０１は、暖房機として機能する。一方で、第２の追い焚き動作において、第２の液体熱交換器３０２は、冷房機として機能する。そのため、第１の液体熱交換器３０１の内管３５２を流れる水は、第１の液体熱交換器３０１の内部における熱媒体循環路３５１を流れる熱媒体により加熱される。第１の液体熱交換器３０１から流出した水の温度は、例えば約４５℃程度である。
【０１５２】
風呂熱交換器２０７の入口管６０８に導かれた水は、風呂熱交換器２０７において加熱され、第１の共通管６９１と、第２の風呂往き管６２１と、第３の風呂往き管６２２と、を流れて浴槽５０に供給される。風呂熱交換器２０７において加熱され、浴槽５０に供給される水の温度は、例えば約６０℃程度である。
【０１５３】
〔第３の追い焚き動作〕
図１１は、本実施形態に係る給湯暖房システムの第３の追い焚き動作を説明する図である。
図１１を参照して説明する第３の追い焚き動作では、ヒートポンプ部３０を用いて浴槽５０から導かれた水を加熱する。図１１に表した塗りつぶし部分は、第３の追い焚き動作において水が流れる管路を表している。
【０１５４】
使用者が自動ボタン（図示せず）を押し、図７に関して前述した第１の湯張り動作および図８に関して前述した第２の湯張り動作が完了すると、制御装置７０は、浴槽５０の内部の水の温度を約３０分毎に確認する。浴槽５０の内部の水の温度と、設定温度と、の差が０．５℃以上である場合には、制御装置７０は、浴槽５０の内部の水の温度が設定温度と一致するように第３の追い焚き動作の制御を実行する。図１１を参照して説明する第３の追い焚き動作は、いわゆる自動運転中の保温動作である。
【０１５５】
例えば、制御装置７０は、水位センサ２５５の検出水位に基づいて使用者が浴槽５０に入ったことを検知すると、ヒートポンプ部３０の運転を開始し、浴槽５０の内部の水の温度低下の程度を確認する。そして、例えば夏場のように温度低下の程度が小さい場合には、制御装置７０は、図１１を参照して説明する第３の追い焚き動作の制御を実行する。一方で、例えば冬場のように温度低下の程度が大きい場合には、制御装置７０は、図１０に関して前述した第２の追い焚き動作の制御を実行する。
【０１５６】
制御装置７０が第３の追い焚き動作を実行すると、風呂ポンプ２３５が駆動する。そうすると、浴槽５０の内部の水は、第２の共通管６９２のうちの第３の風呂戻り管６２５を流れる。このとき、第２の共通管６９２を流れる水の温度は、例えば約３０℃程度である。
【０１５７】
第３の風呂戻り管６２５を流れた水は、プレート四方弁２５１を介してプレート往き管６４６に導かれる。図１１に表した矢印Ａ７のように、プレート往き管６４６に導かれた水は、熱回収循環路６１３を流れ、プレート熱交換器１０３に流入する。図１１に表した矢印Ａ８のように、プレート熱交換器１０３に流入した水は、タンク１０１に貯留された水により冷却され、プレート四方弁２５１を介して第２の共通管６９２のうちの風呂ポンプ入口管６２６に導かれる。風呂ポンプ入口管６２６を流れる水の温度は、例えば約１５℃程度である。言い換えれば、タンク１０１に貯留された水は、プレート熱交換器１０３を流れる水により加熱される。
【０１５８】
図１１に表した矢印Ａ１７のように、風呂ポンプ入口管６２６に導かれた水は、風呂ポンプ２３５を介して風呂ポンプ出口管６１４を流れ、ヒートポンプ入口三方弁２４３を介して第１の液体熱交換器３０１の入口管６１５に導かれる。第１の液体熱交換器３０１の入口管６１５に導かれた水は、第１の液体熱交換器３０１の内管３５２および出口管６１６を流れる。
【０１５９】
このとき、ヒートポンプ部３０の圧縮機３０４は、四方切替弁３０７を介して第１の液体熱交換器３０１に熱媒体を供給する。そのため、第３の追い焚き動作において、第１の液体熱交換器３０１は、暖房機として機能する。一方で、第３の追い焚き動作において、第２の液体熱交換器３０２は、冷房機として機能する。そのため、第１の液体熱交換器３０１の内管３５２を流れる水は、第１の液体熱交換器３０１の内部における熱媒体循環路３５１を流れる熱媒体により加熱される。第１の液体熱交換器３０１から流出した水の温度は、例えば約４５℃程度である。
【０１６０】
図１１に表した矢印Ａ６のように、第１の液体熱交換器３０１から流出した水は、ヒートポンプ出口三方弁２４４を介して第１の暖房往き管６１７に導かれる。第１の暖房往き管６１７に導かれた水は、第２の低温能力四方弁２６１を介して第２の暖房往き管６３５に導かれる。第２の暖房往き管６３５に導かれた水は、風呂往き四方弁２４５を介して第１の共通管６９１のうちの第１の風呂往き管６１９に導かれる。第１の風呂往き管６１９に導かれた水は、第２の風呂往き管６２１と、第３の風呂往き管６２２と、を流れて浴槽５０に供給される。
【０１６１】
〔浴湯熱ヒートポンプ部回収動作〕
図１２は、本実施形態に係る給湯暖房システムの浴湯熱ヒートポンプ部回収動作を説明する図である。
浴湯熱ヒートポンプ部回収動作は、浴槽５０に残った湯を循環させ、その湯の熱をヒートポンプ部３０を介してタンク１０１に貯留された水で回収する動作である。図１２に表した塗りつぶし部分は、浴湯熱ヒートポンプ部回収動作において水が流れる管路を表している。
【０１６２】
自動運転が終了したときに浴槽５０の内部に湯が残っている場合には、制御装置７０は、浴湯熱ヒートポンプ部回収動作の制御を実行する。自動運転が終了したときに浴槽５０の内部に湯が残っている例としては、例えば、使用者が自動ボタン（図示せず）を押して自動運転を手動で停止させた場合や、保温動作が４時間を経過して自動運転が自動的に停止した場合などが挙げられる。
【０１６３】
制御装置７０が浴湯熱ヒートポンプ部回収動作を実行すると、風呂ポンプ２３５が駆動する。そうすると、浴槽５０の内部の水は、第２の共通管６９２のうちの第３の風呂戻り管６２５を流れる。このとき、第３の風呂戻り管６２５を流れる水の温度は、例えば約４５℃程度である。第３の風呂戻り管６２５を流れた水は、プレート四方弁２５１を介して風呂ポンプ入口管６２６に導かれる。風呂ポンプ入口管６２６に導かれた水は、図１１に関して前述した第３の追い焚き動作における管路と同じ管路を流れ、第１の液体熱交換器３０１の内管３５２および出口管６１６を流れる。
【０１６４】
このとき、ヒートポンプ部３０の圧縮機３０４は、四方切替弁３０７を介して第２の液体熱交換器３０２に熱媒体を供給する。そのため、浴湯熱ヒートポンプ部回収動作において、第１の液体熱交換器３０１は、冷房機として機能する。一方で、浴湯熱ヒートポンプ部回収動作において、第２の液体熱交換器３０２は、暖房機として機能する。そのため、第１の液体熱交換器３０１の内管３５２を流れる水は、第１の液体熱交換器３０１の内部における熱媒体循環路３５１を流れる熱媒体により冷却される。第１の液体熱交換器３０１から流出した水の温度は、例えば約１５℃程度である。図１２に表した矢印Ａ６のように、第１の液体熱交換器３０１から流出した水は、図１１に関して前述した第３の追い焚き動作における管路と同じ管路を流れて浴槽５０に戻る。
【０１６５】
一方で、制御装置７０が浴湯熱ヒートポンプ部回収動作を実行すると、回収ポンプ２３６が駆動する。そうすると、図１２に表した矢印Ａ１３および矢印Ａ１４のように、第２の液体熱交換器３０２から流出し第２の液体熱交換器３０２の出口管３５５を流れる水は、回収ポンプ２３６により熱回収循環路６１３に送り出される。このとき、前述したように、浴湯熱ヒートポンプ部回収動作において、第２の液体熱交換器３０２は、暖房機として機能する。そのため、第２の液体熱交換器３０２から流出した水の温度は、例えば約６０℃程度である。
【０１６６】
図１２に表した矢印Ａ７のように、回収ポンプ２３６により熱回収循環路６１３に送り出された水は、プレート熱交換器１０３に流入する。図１２に表した矢印Ａ８のように、プレート熱交換器１０３に流入した水は、タンク１０１に貯留された水により冷却され、プレート熱交換器１０３から流出する。プレート熱交換器１０３から流出した水の温度は、例えば約３０℃程度である。言い換えれば、タンク１０１に貯留された水は、プレート熱交換器１０３を流れる水により加熱される。図１２に表した矢印Ａ１５および矢印Ａ１６のように、プレート熱交換器１０３から流出した水は、第２の液体熱交換器３０２の入口管３５６に導かれて第２の液体熱交換器３０２に流入する。
【０１６７】
このようにして、浴湯熱ヒートポンプ部回収動作において、浴槽５０に残った湯の熱は、ヒートポンプ部３０を介してタンク１０１に貯留された水で回収される。
【０１６８】
〔浴湯熱回収動作〕
図１３は、本実施形態に係る給湯暖房システムの浴湯熱回収動作を説明する図である。
浴湯熱回収動作は、浴槽５０に残った湯を循環させ、その湯の熱をタンク１０１に貯留された水で回収する動作である。図１３に表した塗りつぶし部分は、浴湯熱回収動作において水が流れる管路を表している。
【０１６９】
自動運転が終了したときに浴槽５０の内部に湯が残っている場合には、制御装置７０は、浴湯熱回収動作の制御を実行する。ここで、図１２に関して前述した浴湯熱ヒートポンプ部回収動作では、浴槽５０の内部の水がヒートポンプ部３０を流れて浴槽５０に戻る一方で、図１３を参照して説明する浴湯熱回収動作では、浴槽５０の内部の水がタンク部１０を流れて浴槽５０に戻る。
【０１７０】
制御装置７０が浴湯熱回収動作を実行すると、風呂ポンプ２３５が駆動する。そうすると、浴槽５０の内部の水は、第２の共通管６９２のうちの第３の風呂戻り管６２５を流れる。このとき、第３の風呂戻り管６２５を流れる水の温度は、例えば約４０℃程度である。第３の風呂戻り管６２５を流れた水は、プレート四方弁２５１を介してプレート往き管６４６に導かれる。プレート往き管６４６に導かれた水は、熱回収循環路６１３を流れ、プレート熱交換器１０３に流入する。
【０１７１】
図１３に表した矢印Ａ８のように、プレート熱交換器１０３に流入した水は、タンク１０１に貯留された水により冷却され、プレート四方弁２５１を介して第２の共通管６９２のうちの風呂ポンプ入口管６２６に導かれる。風呂ポンプ入口管６２６を流れる水の温度は、例えば約３０℃程度である。言い換えれば、タンク１０１に貯留された水は、プレート熱交換器１０３を流れる水により加熱される。風呂ポンプ入口管６２６に導かれた水は、図９に関して前述した第１の追い焚き動作における管路と同じ管路を流れて浴槽５０に戻る。
【０１７２】
このようにして、浴湯熱回収動作において、浴槽５０に残った湯の熱は、タンク１０１に貯留された水で回収される。
【０１７３】
〔低温暖房動作〕
図１４は、本実施形態に係る給湯暖房システムの低温暖房動作を説明する図である。
低温暖房動作は、低温暖房装置４０２を運転させて居室（床面を含む）を暖房する動作である。図１４に表した塗りつぶし部分は、低温暖房動作において水が流れる管路を表している。
【０１７４】
使用者が低温暖房ボタン（図示せず）を押すと、制御装置７０は、低温暖房装置４０２が設置された居室の温度（例えば床面温度）を急速に上昇させるホットダッシュ運転の制御を実行する。ホットダッシュ運転は、水を循環させ、例えば約８０℃程度の高い温度の水を低温暖房装置４０２に供給する運転である。制御装置７０は、例えば約３０分間にわたってホットダッシュ運転を継続する。また、制御装置７０は、ホットダッシュ運転の開始と略同時にヒートポンプ部３０の運転を開始する。
【０１７５】
制御装置７０が低温暖房動作のうちのホットダッシュ運転の制御を実行すると、風呂ポンプ２３５が駆動する。そうすると、図１４に表した矢印Ａ１８のように、シスターン２３７の内部の水がシスターン出口管６２９を流れ、風呂戻り四方弁２４９を介して第２の共通管６９２のうちの第３の風呂戻り管６２５に導かれる。第３の風呂戻り管６２５に導かれた水は、プレート四方弁２５１を介して風呂ポンプ入口管６２６に導かれる。図１４に表した矢印Ａ１７のように、風呂ポンプ入口管６２６に導かれた水は、風呂ポンプ２３５により風呂ポンプ出口管６１４に送り出される。
【０１７６】
風呂ポンプ入口管６２６に導かれた水は、図１１に関して前述した第３の追い焚き動作における管路と同じ管路を流れ、第１の液体熱交換器３０１の内管３５２および出口管６１６を流れる。このとき、ヒートポンプ部３０は、運転を開始していても、運転開始から十分な時間が経過していないため熱交換を行う能力をまだ有していない。そのため、第１の液体熱交換器３０１を流れる水は、第１の液体熱交換器３０１において加熱されることはなく、冷却されることもない。シスターン２３７から風呂ポンプ２３５を介して第１の液体熱交換器３０１に流れる水の温度は、例えば約３０℃程度である。
【０１７７】
第１の液体熱交換器３０１の出口管６１６を流れた水は、風呂熱交換器２０７の入口管６０８に導かれる。風呂熱交換器２０７の入口管６０８に導かれた水は、風呂熱交換器２０７において加熱され、第１の共通管６９１のうちの風呂熱交換器２０７の出口管６０９に導かれる。風呂熱交換器２０７において加熱された水の温度は、例えば約８０℃程度である。
【０１７８】
風呂熱交換器２０７の出口管６０９に導かれた水は、第１の低温能力管６３２と、第２の低温能力管６３３と、第２の暖房往き管６３５と、第３の暖房往き管６３６と、を流れ、低温往き熱動弁２４１を介して低温暖房装置４０２に供給される。低温暖房装置４０２に供給された水は、液体合流部４０５を介して暖房戻り管６２８に導かれてシスターン２３７に戻る。
【０１７９】
居室が冷えている場合において、低温暖房動作のうちのホットダッシュ運転が開始された直後では、低温暖房装置４０２に供給された約８０℃程度の温度の水は、冷やされ、冷たい水としてシスターン２３７に戻る。ヒートポンプ部３０は、運転開始から所定時間が経過すると、熱交換を行う能力を有する。このとき、ヒートポンプ部３０の圧縮機３０４は、四方切替弁３０７を介して第１の液体熱交換器３０１に熱媒体を供給する。そのため、低温暖房動作において、第１の液体熱交換器３０１は、暖房機として機能する。一方で、低温暖房動作において、第２の液体熱交換器３０２は、冷房機として機能する。そして、ホットダッシュ運転の時間が経過してしばらくすると、シスターン２３７に戻る水の温度が上昇し始める。
【０１８０】
そこで、制御装置７０は、使用者が低温暖房ボタン（図示せず）を押してから例えば約３０分間にわたってホットダッシュ運転を行った後、定常運転の制御を実行する。定常運転は、水を循環させ、例えば約６０℃程度の温度の水を低温暖房装置４０２に供給する運転である。
【０１８１】
低温暖房動作のうちの定常運転において水が流れる管路は、低温暖房動作のうちのホットダッシュ運転において水が流れる管路と同じである。ホットダッシュ運転では、第１の液体熱交換器３０１を流れる水は加熱されない一方で、定常運転では、第１の液体熱交換器３０１を流れる水は第１の液体熱交換器３０１の内部における熱媒体循環路３５１を流れる熱媒体により加熱される。第１の液体熱交換器３０１から流出した水の温度は、例えば約４５℃程度である。
【０１８２】
風呂熱交換器２０７の入口管６０８に導かれた水は、風呂熱交換器２０７において加熱され、第１の共通管６９１のうちの風呂熱交換器２０７の出口管６０９に導かれる。風呂熱交換器２０７において加熱された水の温度は、例えば約６０℃程度である。これにより、例えば約６０℃程度の温度の水が低温暖房装置４０２に供給される。
【０１８３】
〔低温低負荷暖房動作〕
図１５および図１６は、本実施形態に係る給湯暖房システムの低温低負荷暖房動作を説明する図である。
低温低負荷暖房動作は、ヒートポンプ部３０を用いて、低温暖房装置４０２を運転させて居室（床面を含む）を暖房する動作である。図１５および図１６に表した塗りつぶし部分は、低温低負荷暖房動作において水が流れる管路を表している。
【０１８４】
図１４に関して前述したように、低温暖房動作のうちの定常運転においては、例えば約６０℃程度の温度の水が低温暖房装置４０２に供給される。ここで、居室の温度の過度の上昇を抑えるため、制御装置７０は、低温低負荷暖房動作の制御を実行する。低温低負荷暖房動作では、例えば約４０℃程度の温度の水が低温暖房装置４０２に供給される。
【０１８５】
図１５に表したように、制御装置７０が低温低負荷暖房動作の制御を実行すると、風呂ポンプ２３５が駆動する。そうすると、シスターン２３７の内部の水が、シスターン出口管６２９と、第２の共通管６９２のうちの第３の風呂戻り管６２５と、風呂ポンプ入口管６２６と、風呂ポンプ出口管６１４と、第１の液体熱交換器３０１の入口管６１５、内管３５２および出口管６１６と、を流れる。これは、図１４に関して前述した通りである。第１の液体熱交換器３０１から流出した水の温度は、例えば約４０℃程度である。
【０１８６】
第１の液体熱交換器３０１の出口管６１６に導かれた水は、ヒートポンプ出口三方弁２４４を介して第１の暖房往き管６１７に導かれる。第１の暖房往き管６１７に導かれた水は、第２の低温能力四方弁２６１を介して第２の暖房往き管６３５と、第３の暖房往き管６３６と、を流れ、低温往き熱動弁２４１を介して低温暖房装置４０２に供給される。これにより、例えば約４０℃程度の温度の水が低温暖房装置４０２に供給される。低温低負荷暖房動作では、ヒートポンプ部３０を用いて低温暖房装置４０２を運転させるため、エネルギー効率の向上を図ることができる。
【０１８７】
例えば居室の断熱性能が比較的高い場合には、低温暖房装置４０２に供給される水の温度が例えば約４０℃程度であっても、居室の温度が過度に上昇することがある。この場合には、図１６に表したように、制御装置７０は、ヒートポンプ部３０の運転開始／運転停止の制御ではなく、第１の液体熱交換器３０１において加熱された水をプレート熱交換器１０３に導く。すなわち、第２の低温能力四方弁２６１を介して第２の暖房往き管６３５に導かれた水は、蓄熱三方弁２６２と、第４の暖房往き管６３７と、風呂往き四方弁２４５と、タンク往き管６３８と、を介して熱回収循環路６１３に導かれる。図１６に表した矢印Ａ７および矢印Ａ８のように、熱回収循環路６１３を流れる水は、プレート熱交換器１０３の内部を通り、プレート四方弁２５１を介して第２の共通管６９２のうちの風呂ポンプ入口管６２６に導かれる。このとき、タンク１０１の内部に貯留された水は、プレート熱交換器１０３の内部における熱回収循環路６１３を流れる水により加熱される。
【０１８８】
このようにして、制御装置７０は、蓄熱三方弁２６２およびプレート四方弁２５１を切り替えることより、第１の液体熱交換器３０１において加熱された水が低温暖房装置４０２に導かれる状態と、プレート熱交換器１０３に導かれる状態と、を切り替える。これにより、低温低負荷暖房動作では、居室温度の過度の上昇が抑えられるとともに、ヒートポンプ部３０の効率の低下が抑えられる。
【０１８９】
〔第１の高温暖房動作〕
図１７は、本実施形態に係る給湯暖房システムの第１の高温暖房動作を説明する図である。
第１の高温暖房動作は、高温暖房装置４０１を運転させて居室（例えば浴室など）を暖房する動作である。図１７に表した塗りつぶし部分は、第１の高温暖房動作において水が流れる管路を表している。
【０１９０】
使用者が高温暖房ボタン（図示せず）を押すと、制御装置７０は、第１の高温暖房動作の制御を実行する。制御装置７０が第１の高温暖房動作の制御を実行すると、風呂ポンプ２３５が駆動する。そうすると、図１７に表した矢印Ａ１８のように、シスターン２３７の内部の水は、図１４に関して前述した低温暖房動作における管路と同じ管路を流れ、風呂ポンプより風呂ポンプ出口管６１４に送り出される。
【０１９１】
図１７に表した矢印Ａ２に表したように、風呂ポンプ入口管６２６に導かれた水は、風呂熱交換器２０７の入口管６０８に導かれる。風呂熱交換器２０７の入口管６０８に導かれた水は、風呂熱交換器２０７において加熱される。風呂熱交換器２０７において加熱された水の温度は、例えば約８０℃程度である。
【０１９２】
風呂熱交換器２０７において加熱された水は、第１の共通管６９１を流れ、風呂往き三方弁２４６を介して第１の高温暖房往き管６２７に導かれる。第１の高温暖房往き管６２７に導かれた水は、第２の高温暖房往き管４５１を流れて高温暖房装置４０１に供給される。高温暖房装置４０１に供給される水の温度は、例えば約８０℃程度である。高温暖房装置４０１に供給された水は、液体合流部４０５を介して暖房戻り管６２８に導かれてシスターン２３７に戻る。
【０１９３】
〔第２の高温暖房動作〕
図１８は、本実施形態に係る給湯暖房システムの第２の高温暖房動作を説明する図である。
図１８を参照して説明する第２の高温暖房動作は、図１７に関して前述した第１の高温暖房動作と同様に、高温暖房装置４０１を運転させて居室（例えば浴室など）を暖房する動作である。図１８に表した塗りつぶし部分は、第２の高温暖房動作において水が流れる管路を表している。
【０１９４】
使用者が高温暖房ボタン（図示せず）を押したときに、ヒートポンプ部３０が運転中である場合には、制御装置７０は、図１８を参照して説明する第２の高温暖房動作の制御を実行する。図１８に表した矢印Ａ１８のように、制御装置７０が第２の高温暖房動作の制御を実行すると、図１７に関して前述した第１の高温暖房動作と同様に、シスターン２３７の内部の水は、風呂ポンプ２３５により風呂ポンプ出口管６１４に送り出される。
【０１９５】
図１８に表した矢印Ａ１７のように、風呂ポンプ出口管６１４に導かれた水は、ヒートポンプ入口三方弁２４３を介して第１の液体熱交換器３０１の入口管６１５に導かれる。第１の液体熱交換器３０１の入口管６１５に導かれた水は、第１の液体熱交換器３０１の内管３５２および出口管６１６を流れる。
【０１９６】
このとき、ヒートポンプ部３０の圧縮機３０４は、四方切替弁３０７を介して第１の液体熱交換器３０１に熱媒体を供給する。そのため、第２の高温暖房動作において、第１の液体熱交換器３０１は、暖房機として機能する。一方で、第２の高温暖房動作において、第２の液体熱交換器３０２は、冷房機として機能する。そのため、第１の液体熱交換器３０１の内管３５２を流れる水は、第１の液体熱交換器３０１の内部における熱媒体循環路３５１を流れる熱媒体により加熱される。第１の液体熱交換器３０１から流出した水の温度は、例えば約４５℃程度である。
【０１９７】
風呂熱交換器２０７の入口管６０８に導かれた水は、風呂熱交換器２０７において加熱される。風呂熱交換器２０７において加熱された水の温度は、例えば約８０℃程度である。
【０１９８】
風呂熱交換器２０７において加熱された水は、図１７に関して前述した第１の高温暖房動作における管路と同じ管路を流れて高温暖房装置４０１に供給される。高温暖房装置４０１に供給される水の温度は、例えば約８０℃程度である。高温暖房装置４０１に供給された水は、液体合流部４０５を介して暖房戻り管６２８に導かれてシスターン２３７に戻る。
【０１９９】
〔第１のヒートポンプ部停止動作〕
図１９は、本実施形態に係る給湯暖房システムの第１のヒートポンプ部停止動作を説明する図である。
図１９と図３を参照して、本実施形態に係る給湯暖房システム２において、使用者がスイッチを押して暖房運転を途中で止めてヒートポンプ部３０を停止させた場合の動作について説明する。
図１９は、制御装置７０が、ヒートポンプ部３０を用いて、低温暖房装置４０２に湯を送ることで、床暖房動作（低温低負荷暖房動作）を実行している例を示している。あるいは、図１５および図１６に関して前述したように、制御装置７０は、蓄熱三方弁２６２およびプレート四方弁２５１を切り替えることより、第１の液体熱交換器３０１において加熱された水が低温暖房装置４０２に導かれる状態と、プレート熱交換器１０３に導かれる状態と、を切り替えてもよい。この場合には、図１９は、制御装置７０が、ヒートポンプ部３０を用いて、低温暖房装置４０２とプレート熱交換器１０３とに交互に湯を送ることで、床暖房動作（低温低負荷暖房動作）とタンク１０１の内部の水を加熱する動作とを交互に実行している例を示している。
【０２００】
図１９に示すように、制御装置７０が低温低負荷暖房動作の制御を実行すると、風呂ポンプ２３５の駆動を開始する。そうすると、シスターン２３７の内部の水が、シスターン出口管６２９と、第３の風呂戻り管６２５と、風呂ポンプ入口管６２６と、風呂ポンプ出口管６１４と、第１の液体熱交換器３０１の入口管６１５と、第１の液体熱交換器３０１の内管３５２と、第１の液体熱交換器３０１の出口管６１６と、を流れる。このとき、第１の液体熱交換器３０１は、暖房機として機能している。本実施形態の第１の液体熱交換器３０１は、本発明の「液体熱交換器」に相当する。第１の液体熱交換器３０１から流出した水の温度は、例えば約４０℃程度である。
【０２０１】
第１の液体熱交換器３０１の出口管６１６に導かれた水は、ヒートポンプ出口三方弁２４４を介して第１の暖房往き管６１７に導かれる。第１の暖房往き管６１７に導かれた水は、第２の低温能力四方弁２６１を介して第２の暖房往き管６３５と、蓄熱三方弁２６２を介して第３の暖房往き管６３６と、を流れ、低温往き熱動弁２４１を介して低温暖房装置４０２に供給される。
これにより、例えば約４０℃程度の温度の水が低温暖房装置４０２に供給される。低温低負荷暖房動作では、ヒートポンプ部３０を用いて低温暖房装置４０２を運転させるため、エネルギー効率の向上を図ることができる。
【０２０２】
あるいは、制御装置７０は、第１の液体熱交換器３０１において加熱された水が低温暖房装置４０２に導かれる状態と、プレート熱交換器１０３に導かれる状態と、を切り替えてもよい。例えば居室の断熱性能が比較的高い場合には、低温暖房装置４０２に供給される水の温度が例えば約４０℃程度であっても、居室の温度が過度に上昇することがある。この場合には、制御装置７０は、ヒートポンプ部３０の運転開始／運転停止の制御ではなく、第１の液体熱交換器３０１において加熱された水をプレート熱交換器１０３に導く。すなわち、図１６に関して前述したように、第２の低温能力四方弁２６１を介して第２の暖房往き管６３５に導かれた水は、蓄熱三方弁２６２と、第４の暖房往き管６３７と、風呂往き四方弁２４５と、タンク往き管６３８と、を介して熱回収循環路６１３に導かれる。図１６に表した矢印Ａ７および矢印Ａ８のように、熱回収循環路６１３を流れる水は、プレート熱交換器１０３の内部を通り、プレート四方弁２５１を介して第２の共通管６９２のうちの風呂ポンプ入口管６２６に導かれる。このとき、タンク１０１の内部に貯留された水は、プレート熱交換器１０３の内部における熱回収循環路６１３を流れる水により加熱される。
【０２０３】
このようにして、制御装置７０は、蓄熱三方弁２６２およびプレート四方弁２５１を切り替えることより、第１の液体熱交換器３０１において加熱された水が低温暖房装置４０２に導かれる状態と、プレート熱交換器１０３に導かれる状態と、を切り替える。これにより、低温低負荷暖房動作では、居室温度の過度の上昇が抑えられるとともに、ヒートポンプ部３０の効率の低下が抑えられる。
【０２０４】
ここで、給湯暖房システム２が低温暖房装置４０２を用いて暖房運転を行っている際に、使用者がスイッチを押して暖房運転（床暖房の運転）を停止し、ヒートポンプ部３０の運転を停止することがある。ヒートポンプ部３０の運転が停止した場合には、暖房機として機能していた第１の液体熱交換器３０１での放熱が止まる。このため、第１の液体熱交換器３０１内では、液体状態の熱媒体の量が少なくなる。一方で、第２の液体熱交換器３０２内では、液体状態の熱媒体の量が増える。
【０２０５】
その後、使用者が再びスイッチを押して低温暖房装置４０２により暖房運転を行うと、ヒートポンプ部３０の圧縮機３０４が動いても、第２の液体熱交換器３０２内で液体状態になっている熱媒体の隙間を、気体状態の熱媒体が通過して圧縮機３０４に吸い込まれてしまう。
【０２０６】
ヒートポンプ部３０の運転がしばらく継続すると、第２の液体熱交換器３０２内における熱媒体循環路３５１の内壁にへばりついていた液体状態の熱媒体が、圧縮機３０４に吸い込まれる気体状態の熱媒体に押されて動き、圧縮機３０４に吸い込まれる。しかし、その間（例えば１０分間位）では、第１の液体熱交換器３０１内では熱媒体不足が生じることで能力低下状態が続いてしまい、暖房の定常運転ができるのはそれ以降になってしまう。このため、ヒートポンプ部３０の次回の運転開始時において、運転能力が回復するのには時間を要してしまう。そのため、ヒートポンプ部３０の運転効率が悪化してしまう。
【０２０７】
これに対して、本実施形態に係る給湯暖房システム２では、制御装置７０は、ヒートポンプ部３０の暖房運転を実行しているときに、暖房運転を停止する信号を受信すると、第１の液体熱交換器３０１の熱を移動させ、第１の液体熱交換器３０１の内部における熱媒体を冷却する動作の制御を実行する。具体的には、制御装置７０は、ヒートポンプ部３０の暖房運転を実行しているときに、ヒートポンプ部３０の暖房運転を停止する信号を受信すると、蓄熱三方弁２６２およびプレート四方弁２５１を制御し、第１の液体熱交換器３０１から第２の暖房往き管６３５に導かれた水が、プレート熱交換器１０３に導かれる状態に設定する。すなわち、制御装置７０は、ヒートポンプ部３０の暖房運転を実行しているときに、ヒートポンプ部３０の暖房運転を停止する信号を受信すると、図３に関して前述した給水予熱動作の制御と同様の制御を実行する。この場合において、図３に関して前述した給水予熱動作の制御と異なる点は、制御装置７０が、給水予熱動作に入ってからヒートポンプ部３０の暖房運転を停止（圧縮機３０４を停止）させ、給水予熱動作を継続実施している点である。なお、「ヒートポンプ部３０の暖房運転」は、第１の液体熱交換器３０１を暖房機として機能させる運転に相当する。
【０２０８】
すなわち、使用者が外出時にヒートポンプ部３０を停止させる場合において、制御装置７０は、ヒートポンプ部３０の暖房運転を実行しているときに、ヒートポンプ部３０の暖房運転を停止する信号を受信すると、風呂ポンプ２３５を駆動する。あるいは、制御装置７０は、風呂ポンプ２３５の運転を継続する。また、制御装置７０は、蓄熱三方弁２６２を制御し、第２の風呂往き管６３５を流れる水が第４の風呂往き管６３７に導かれる状態に設定する。また、制御装置７０は、プレート四方弁２５１を制御し、プレート熱交換器１０３を流れた水が風呂ポンプ入口管６２６に導かれる状態に設定する。
【０２０９】
図３に表した矢印Ａ１７のように、風呂ポンプ２３５が駆動すると、風呂ポンプ入口管６２６を流れる水は、風呂ポンプ２３５から送り出され、ヒートポンプ入口三方弁２４３と、第１の液体熱交換器３０１の入口管６１５を介して、第１の液体熱交換器３０１の内管３５２に流入する。第１の液体熱交換器３０１に流入する水の温度は、例えば約３０℃程度である。
【０２１０】
第１の液体熱交換器３０１の内管３５２を流れる水は、第１の液体熱交換器３０１の内部における熱媒体循環路３５１に存在する熱媒体により加熱される。一方で、第１の液体熱交換器３０１の内部における熱媒体循環路３５１に存在する熱媒体は、第１の液体熱交換器３０１の内管３５２を流れる水により冷却される。第１の液体熱交換器３０１から流出した水の温度は、例えば約４５℃程度である。図３に表した矢印Ａ６のように、第１の液体熱交換器３０１の出口管６１６を流れる水は、ヒートポンプ出口三方弁２４４を介して第１の暖房往き管６１７に導かれる。
【０２１１】
第１の暖房往き管６１７を流れる水は、第２の低温能力四方弁２６１と、第２の暖房往き管６３５と、蓄熱三方弁２６２と、第４の暖房往き管６３７と、風呂往き四方弁２４５と、タンク往き管６３８と、を介して、熱回収循環路６１３に導かれる。図３に表した矢印Ａ７および矢印Ａ８のように、熱回収循環路６１３を流れる水は、プレート熱交換器１０３の内部を通り、プレート四方弁２５１を介して、風呂ポンプ入口管６２６に導かれる。
【０２１２】
このとき、タンク１０１の内部に貯留された水は、プレート熱交換器１０３の内部における熱回収循環路６１３を流れる水により加熱される。加熱された水は、タンク１０１内の上部に移動する。つまり、使用者が外出時にヒートポンプ部３０を停止させる場合において、制御装置７０は、ヒートポンプ部３０の暖房運転を実行しているときに、ヒートポンプ部３０の暖房運転を停止する信号を受信すると、第１の液体熱交換器３０１とタンク部１０との間において水を循環させることで、第１の液体熱交換器３０１の熱をタンク部１０に移動させタンク１０１の内部の水を加熱する動作の制御を実行する。
【０２１３】
このようにして、制御装置７０は、低温低負荷暖房動作の制御を給水予熱動作の制御に切り替えて実行することで、第１の液体熱交換器３０１内の残った熱をタンク１０１内の水において熱回収する。つまり、第１の液体熱交換器３０１の内管３５２内に残っている熱い湯は、プレート熱交換器１０３においてタンク１０１内の水に熱を移す。そのため、第１の液体熱交換器３０１の内管３５２内に残っていた熱い湯は、温度を下げることができる。
【０２１４】
これにより、ヒートポンプ部３０の暖房運転が停止された場合であっても、第１の熱交換器３０１内において液体状態の熱媒体の量を確保することができる。すなわち、ヒートポンプ部３０の第１の液体熱交換器３０１内の熱媒体を液体の状態で留めておくことができる。そのため、ヒートポンプ部３０の次回の運転開始時において、液体の熱媒体がヒートポンプ部３０の第１の液体熱交換器３０１内に存在するため、ヒートポンプ部３０を起動する際に運転能力が回復するための時間を短縮することができる。これにより、ヒートポンプ部３０の運転効率を高めることができる。
【０２１５】
〔第２のヒートポンプ部停止動作〕
続いて、図１０を参照して、給湯暖房システム２において、制御装置７０が、ヒートポンプ部３０の暖房運転により浴槽５０内の湯を加熱する追い焚き動作を実行しているときに、ヒートポンプ部３０を停止する動作について説明する。
【０２１６】
図１０に関して前述した第２の追い焚き動作では、ヒートポンプ部３０の圧縮機３０４から送り出された熱媒体が四方切替弁３０７を介して第１の液体熱交換器３０１に供給される。そして、高温高圧の気体状態の熱媒体が第１の液体熱交換器３０１に供給される。
そのため、第１の液体熱交換器３０１は、暖房機として機能し、ガス湯沸かし部２０から供給された水を加熱する。このとき、第１の液体熱交換器３０１の内部において熱媒体循環路３５１を流れる熱媒体は、熱交換の結果として熱を奪われる。そして、第２の液体熱交換器３０２には、膨張弁３０５を通過した低温低圧の液体状態の熱媒体が気体熱交換器３０３を介して供給される。
【０２１７】
このように、図１０に関して前述した第２の追い焚き動作では、第１の液体熱交換器３０１に熱媒体である冷媒を送り込んで、第１の液体熱交換器３０１からの熱を用いて、浴槽５０内の湯の追い焚き動作を行い、例えば４２℃の設定温度まで浴槽５０内の湯を加熱する。
【０２１８】
ここで、浴槽５０内の湯の温度が設定温度に到達し、ヒートポンプ部３０の暖房運転が停止すると、ヒートポンプ部３０の第１の液体熱交換器３０１での放熱が止まる。そうすると、図１９に関して前述した床暖房運転の場合と同様に、ヒートポンプ部３０の次回の運転開始時において、運転能力が回復するために時間を要してしまう。そのため、ヒートポンプ部３０の運転効率が悪化してしまう。
【０２１９】
これに対して、本実施形態に係る給湯暖房システム２では、制御装置７０は、浴槽５０の内部の水の温度と設定温度との間の差が所定温度（例えば０．５℃）以内になるとヒートポンプ部３０の暖房運転を停止するとともに風呂ポンプ２３５の運転を継続する。「所定温度」は、例えば約０．５℃程度である。つまり、制御装置７０は、ヒートポンプ部３０の運転中に、利用者が入浴している場合でも、浴槽５０内の水の温度が例えば４１．５℃になった時点で圧縮機３０７およびファン３０６の運転を停止して気体熱交換器３０３を高温状態とするとともに、風呂ポンプ２３５の運転を継続する。このように、第２のヒートポンプ部停止動作では、所定温度以内の温度に関する信号が「ヒートポンプ部３０の暖房運転を停止する信号」に相当する。続いて、制御装置７０は、浴槽５０の内部の水の温度が設定温度に到達すると風呂ポンプ２３５の運転を停止する動作の制御を実行する。
【０２２０】
このように、制御装置７０は、浴槽５０の内部の水の温度と設定温度との間の差が所定温度以内になると、ヒートポンプ部３０の暖房運転を停止するとともに風呂ポンプ２３５の運転を継続する。これにより、第１の液体熱交換器３０１の内部における熱媒体を冷却することができる。また、制御装置７０は、浴槽５０の内部の水の温度が設定温度に到達すると風呂ポンプ２３５の運転を停止する。つまり、制御装置７０は、ヒートポンプ部３０の暖房運転を停止した後に、風呂ポンプ２３５の運転を停止する。そのため、浴槽５０の内部の水の温度を上昇させるための熱として第１の液体熱交換器３０１の残熱を利用することができる。これにより、熱エネルギーの損失を抑え、熱効率を高めることができる。また、第１の液体熱交換器３０１の内部における熱媒体を冷却することができるため、ヒートポンプ部３０の暖房運転が停止された場合であっても、第１の液体熱交換器３０１内の熱媒体を液体の状態で留めておくことができる。そのため、ヒートポンプ部３０の次回の運転開始時において、液体の熱媒体が第１の液体熱交換器３０１内に存在するため、ヒートポンプ部３０を起動する際に運転能力が回復するための時間を短縮することができる。これにより、ヒートポンプ部３０の運転効率を高めることができる。
【０２２１】
次に、本実施形態の変形例について説明する。
なお、本実施形態の変形例に係る給湯暖房システムの構成要素が、第１の実施形態に係る給湯暖房システムの構成要素と同様である場合には、重複する説明は適宜省略し、以下、相違点を中心に説明する。
【０２２２】
まず、本実施形態の変形例に係る給湯暖房システム２Ｂを、図２０を参照して説明する。本変形例に係る給湯暖房システム２Ｂは、タンク部１０と、ガス湯沸かし部２０Ｂと、ヒートポンプ部３０と、暖房装置４０と、制御装置７０と、を備える。本変形例に係る給湯暖房システム２Ｂのタンク部１０と、ヒートポンプ部３０と、暖房装置４０と、の構成要素は、第１の実施形態に係る給湯暖房システム２のタンク部１０と、ヒートポンプ部３０と、暖房装置４０と、の構成要素と同様である。
【０２２３】
本変形例のガス湯沸かし部２０Ｂは、第１の実施形態のガス湯沸かし部２０が有する第１の低温能力四方弁２５９および第２の低温能力四方弁２６１を有していない。第１の実施形態のガス湯沸かし部２０において、第１の低温能力四方弁２５９は、第１の低温能力管６３２と、第２の低温能力管６３３と、第１のドレンタンク出口管６４１と、第２のドレンタンク出口管６４２と、の接続部に設けられている。また、第２の低温能力四方弁２６１は、第２の低温能力管６３３と、第３の低温能力管６３４と、第１の暖房往き管６１７と、第２の暖房往き管６３５と、の接続部に設けられている。これに対して、本変形例のガス湯沸かし部２０においては、第１の低温能力四方弁２５９および第２の低温能力四方弁２６１が設けられていない。すなわち、本変形例のガス湯沸かし部２０Ｂでは、第１の低温能力管６３２は、第１のドレンタンク出口管６４１および第１の暖房往き管６１７とは直接的には接続されていない。
【０２２４】
本変形例のガス湯沸かし部２０Ｂは、第１の実施形態のガス湯沸かし部２０が有する風呂往き四方弁２４５を有していない。第１の実施形態のガス湯沸かし部２０において、風呂往き四方弁２４５は、風呂熱交換器２０７の出口管６０９と、第１の風呂往き管６１９と、第４の暖房往き管６３７と、タンク往き管６３８と、の接続部に設けられている。これに対して、本変形例のガス湯沸かし部２０Ｂにおいては、風呂往き四方弁２４５が設けられていない。すなわち、本変形例のガス湯沸かし部２０Ｂでは、第１の暖房往き管６１７は、風呂熱交換器２０７の出口管６０９とは直接的には接続されていない。
【０２２５】
本変形例のシスターン２３７は、第１の実施形態のシスターン２３７が有するオーバーフロー弁２３９を有していない。第１の実施形態に係る給湯暖房システム２において、シスターン２３７は、オーバーフロー弁２３９が開くことにより大気開放される。これに対して、本変形例に係る給湯暖房システム２Ｂにおいては、オーバーフロー弁２３９が設けられていない。すなわち、本変形例のシスターン２３７は、常に大気開放されている。
【０２２６】
本変形例のガス湯沸かし部２０Ｂは、第１の実施形態のガス湯沸かし部２０が有する風呂戻り四方弁２４９ではなく風呂戻り三方弁２４９Ａを有する。第１の実施形態のガス湯沸かし部２０において、風呂戻り四方弁２４９は、第２の風呂戻り管６２４と、第３の風呂戻り管６２５と、シスターン出口管６２９と、浴槽バイパス管６３１と、の接続部に設けられている。これに対して、本変形例のガス湯沸かし部２０Ｂにおいて、風呂戻り三方弁２４９Ａは、第２の風呂戻り管６２４と、第３の風呂戻り管６２５と、シスターン出口管６２９と、の接続部に設けられている。
【０２２７】
本変形例のガス湯沸かし部２０Ｂは、第１の実施形態のガス湯沸かし部２０が有するプレート四方弁２５１ではなくプレート三方弁２５１Ａを有する。第１の実施形態のガス湯沸かし部２０において、プレート四方弁２５１は、第３の風呂戻り管６２５と、風呂ポンプ入口管６２６と、熱回収循環路６１３と、プレート往き管６４６と、の接続部に設けられている。これに対して、本変形例のガス湯沸かし部２０Ｂにおいて、プレート三方弁２５１Ａは、第３の風呂戻り管６２５と、風呂ポンプ入口管６２６と、熱回収循環路６１３と、の接続部に設けられている。
【０２２８】
本変形例の第２のドレン切替三方弁２５２は、風呂ポンプ入口管６２６ではなく第３の風呂戻り管６２５に設けられている。すなわち、第１の実施形態の第２のドレン切替三方弁２５２は、プレート四方弁２５１と風呂ポンプ２３５との間における風呂ポンプ入口管６２６に設けられている。これに対して、本変形例の第２のドレン切替三方弁２５２は、風呂戻り三方弁２４９Ａとプレート三方弁２５１Ａとの間における第３の風呂戻り管６２５に設けられている。
【０２２９】
本変形例のガス湯沸かし部２０Ｂは、回収三方弁２９５をさらに有する。回収三方弁２９５は、第３の風呂戻り管６２５と、プレート往き管６４６と、の接続部に設けられている。
【０２３０】
本変形例のガス湯沸かし部２０Ｂは、第１の実施形態のガス湯沸かし部２０が有するヒートポンプ出口三方弁２４４および暖房バイパス管６１８を有していない。第１の実施形態のガス湯沸かし部２０において、ヒートポンプ出口三方弁２４４は、第１の液体熱交換器３０１の出口管６１６と、第１の暖房往き管６１７と、の接続部に設けられている。また、暖房バイパス管６１８は、第１の液体熱交換器３０１の出口管６１６と、第１の暖房往き管６１７と、を接続している。これに対して、本変形例のガス湯沸かし部２０Ｂにおいては、ヒートポンプ出口三方弁２４４および暖房バイパス管６１８が設けられていない。すなわち、本変形例のガス湯沸かし部２０Ｂでは、第１の液体熱交換器３０１の出口管６１６は、三方弁やバイパス管などを介することなく直接的に第１の暖房往き管６１７に接続されている。
【０２３１】
〔第１のヒートポンプ部停止動作〕
図２０と図２１は、本変形例に係る給湯暖房システムの第１のヒートポンプ部停止動作を説明する図である。
図２０は、制御装置７０が、ヒートポンプ部３０を用いて、低温暖房装置４０２に湯を送ることで、床暖房動作（低温低負荷暖房動作）を実行している例を示している。あるいは、制御装置７０は、蓄熱三方弁２６２およびプレート三方弁２５１Ａを切り替えることより、第１の液体熱交換器３０１において加熱された水が低温暖房装置４０２に導かれる状態と、プレート熱交換器１０３に導かれる状態と、を切り替えてもよい。この場合には、図２０は、制御装置７０が、ヒートポンプ部３０を用いて、低温暖房装置４０２とプレート熱交換器１０３とに交互に湯を送ることで、床暖房動作（低温低負荷暖房動作）とタンク１０１の内部の水を加熱する動作とを交互に実行している例を示している。図２１は、給湯暖房システム２Ｂの給水予熱動作を示している。
【０２３２】
図２０に示すように、制御装置７０は、低温低負荷暖房動作の制御を実行すると、風呂ポンプ２３５の駆動を開始する。そうすると、シスターン２３７内の水は、シスターン出口管６２９と、風呂戻り四方弁２４９Ａと、を介して、第３の風呂戻り管６２５と、風呂ポンプ入口管６２６と、を経て、風呂ポンプ２３５に入る。
そして、風呂ポンプ２３５から送り出された水は、風呂ポンプ出口管６１４と、第１の液体熱交換器３０１の入口管６１５、第１の液体熱交換器３０１の内管３５２および第１の液体熱交換器３０１の出口管６１６と、第１の暖房往き管６１７と、蓄熱三方弁２６２と、暖房往き管６３６と、低温暖房往き管４５３と、を介して、低温暖房装置４０２に送られ、暖房戻り管６２８を経て、シスターン２３７内に戻る。このとき、第１の液体熱交換器３０１は、暖房機として機能している。本変形例の第１の液体熱交換器３０１は、本発明の「液体熱交換器」に相当する。
【０２３３】
これにより、例えば約４０℃程度の温度の水が低温暖房装置４０２に供給される。低温低負荷暖房動作では、ヒートポンプ部３０を用いて低温暖房装置４０２を運転させるため、エネルギー効率の向上を図ることができる。
【０２３４】
あるいは、制御装置７０は、第１の液体熱交換器３０１において加熱された水が低温暖房装置４０２に導かれる状態と、プレート熱交換器１０３に導かれる状態と、を切り替えてもよい。例えば居室の断熱性能が比較的高い場合には、低温暖房装置４０２に供給される水の温度が例えば約４０℃程度であっても、居室の温度が過度に上昇することがある。この場合には、制御装置７０は、ヒートポンプ部３０の運転開始／運転停止の制御ではなく、第１の液体熱交換器３０１において加熱された水をプレート熱交換器１０３に導く。すなわち、図２１に表したように、第１の暖房往き管６１７に導かれた水は、蓄熱三方弁２６２と、第４の暖房往き管６３７と、を介して熱回収循環路６１３に導かれる。図２１に表した矢印Ａ７および矢印Ａ８のように、熱回収循環路６１３を流れる水は、プレート熱交換器１０３の内部を通り、プレート三方弁２５１Ａを介して風呂ポンプ入口管６２６に導かれる。このとき、タンク１０１の内部に貯留された水は、プレート熱交換器１０３の内部における熱回収循環路６１３を流れる水により加熱される。
【０２３５】
このようにして、制御装置７０は、蓄熱三方弁２６２およびプレート三方弁２５１Ａを切り替えることより、第１の液体熱交換器３０１において加熱された水が低温暖房装置４０２に導かれる状態と、プレート熱交換器１０３に導かれる状態と、を切り替える。これにより、低温低負荷暖房動作では、居室温度の過度の上昇が抑えられるとともに、ヒートポンプ部３０の効率の低下が抑えられる。
【０２３６】
ここで、給湯暖房システム２Ｂが低温暖房装置４０２を用いて暖房運転を行っている際に、使用者がスイッチを押して暖房運転（床暖房の運転）を停止し、ヒートポンプ部３０の運転を停止することがある。ヒートポンプ部３０の運転が停止した場合には、暖房機として機能していた第１の液体熱交換器３０１での放熱が止まる。このため、第１の液体熱交換器３０１内では、液体状態の熱媒体の量が少なくなる。一方で、第２の液体熱交換器３０２内では、液体状態の熱媒体の量が増える。
【０２３７】
その後、使用者が再びスイッチを押して低温暖房装置４０２により暖房運転を行うと、ヒートポンプ部３０の圧縮機３０４が動いても、第２の液体熱交換器３０２内で液体状態になっている熱媒体の隙間を、気体状態の熱媒体が通過して圧縮機３０４に吸い込まれてしまう。
ヒートポンプ部３０の運転をしばらく継続すると、第２の液体熱交換器３０２内における熱媒体循環路３５１の内壁にへばりついていた液体状態の熱媒体が、圧縮機３０４に吸い込まれる気体状態の熱媒体に押されて動き、圧縮機３０４に吸い込まれる。しかし、その間（例えば１０分間位）では、第１の液体熱交換器３０１内では熱媒体不足が生じることでヒートポンプ部３０の能力低下状態が続いてしまい、暖房の定常運転ができるのはそれ以降になってしまう。このため、ヒートポンプ部３０の次回の運転開始時において、運転能力が回復するのには時間を要してしまう。そのため、ヒートポンプ部３０の運転効率が悪化してしまう。
【０２３８】
これに対して、本変形例に係る給湯暖房システム２Ｂでは、制御装置７０は、ヒートポンプ部３０の暖房運転を実行しているときに、暖房運転を停止する信号を受信すると、第１の液体熱交換器３０１の熱を移動させ、第１の液体熱交換器３０１の内部における熱媒体を冷却する動作の制御を実行する。具体的には、制御装置７０は、ヒートポンプ部３０の暖房運転を実行しているときに、ヒートポンプ部３０の暖房運転を停止する信号を受信すると、蓄熱三方弁２６２およびプレート三方弁２５１Ａを制御し、第１の液体熱交換器３０１から第１の暖房往き管６１７に導かれた水が、プレート熱交換器１０３に導かれる状態に設定する。つまり、制御装置７０は、図２１に表した給水予熱動作の制御を実行する。
【０２３９】
すなわち、使用者が外出時にヒートポンプ部３０を停止させる場合において、制御装置７０は、ヒートポンプ部３０の暖房運転を実行しているときに、ヒートポンプ部３０の暖房運転を停止する信号を受信すると、風呂ポンプ２３５を駆動する。あるいは、制御装置７０は、風呂ポンプ２３５の運転を継続する。また、制御装置７０は、蓄熱三方弁２６２を制御し、第１の暖房往き管６１７を流れる水が第４の風呂往き管６３７に導かれる状態に設定する。また、制御装置７０は、プレート三方弁２５１Ａを制御し、プレート熱交換器１０３を流れた水が風呂ポンプ入口管６２６に導かれる状態に設定する。
【０２４０】
図２１の風呂ポンプ２３５が駆動すると、風呂ポンプ入口管６２６を流れる水は、風呂ポンプ２３５から送り出され、ヒートポンプ入口三方弁２４３と、第１の液体熱交換器３０１の入口管６１５を介して、第１の液体熱交換器３０１の内管３５２に流入する。第１の液体熱交換器３０１に流入する水の温度は、例えば約３０℃程度である。
【０２４１】
第１の液体熱交換器３０１の内管３５２を流れる水は、第１の液体熱交換器３０１の内部における熱媒体循環路３５１に存在する熱媒体により加熱される。一方で、第１の液体熱交換器３０１の内部における熱媒体循環路３５１に存在する熱媒体は、第１の液体熱交換器３０１の内管３５２を流れる水により冷却される。第１の液体熱交換器３０１から流出した水の温度は、例えば約４５℃程度である。第１の液体熱交換器３０１の出口管６１６を流れる水は、第１の暖房往き管６１７に導かれる。
【０２４２】
第１の暖房往き管６１７を流れる水は、蓄熱三方弁２６２と、第４の暖房往き管６３７と、を介して、熱回収循環路６１３に導かれる。熱回収循環路６１３を流れる水は、プレート熱交換器１０３の内部を通り、プレート三方弁２５１Ａを介して、風呂ポンプ入口管６２６に導かれる。
【０２４３】
このとき、タンク１０１の内部に貯留された水は、プレート熱交換器１０３の内部における熱回収循環路６１３を流れる水により加熱される。加熱された水は、タンク１０１内の上部に移動する。つまり、使用者が外出時にヒートポンプ部３０を停止させる場合において、制御装置７０は、ヒートポンプ部３０の暖房運転を実行しているときに、ヒートポンプ部３０の暖房運転を停止する信号を受信すると、第１の液体熱交換器３０１とタンク部１０との間において水を循環させることで、第１の液体熱交換器３０１の熱をタンク部１０に移動させタンク１０１の内部の水を加熱する動作の制御を実行する。
【０２４４】
このようにして、制御装置７０は、低温低負荷暖房動作の制御を給水予熱動作の制御に切り替えて実行することで、第１の液体熱交換器３０１内の残った熱をタンク１０１内の水において熱回収する。つまり、第１の液体熱交換器３０１の内管３５２内に残っている熱い湯は、プレート熱交換器１０３においてタンク１０１内の水に熱を移す。そのため、第１の液体熱交換器３０１の内管３５２内に残っていた熱い湯は、温度を下げることができる。
【０２４５】
これにより、ヒートポンプ部３０の暖房運転が停止された場合であっても、第１の熱交換器３０１内において液体状態の熱媒体の量を確保することができる。すなわち、ヒートポンプ部３０の第１の液体熱交換器３０１内の熱媒体を液体の状態で留めておくことができる。そのため、ヒートポンプ部３０の次回の運転開始時において、液体の熱媒体がヒートポンプ部３０の第１の液体熱交換器３０１内に存在するため、ヒートポンプ部３０を起動する際に運転能力が回復するための時間を短縮することができる。これにより、ヒートポンプ部３０の運転効率を高めることができる。
【０２４６】
なお、制御装置７０は、図２１に表した給水予熱動作の制御を実行する場合には、低温能力切替弁２６３の開閉制御を実行する。制御装置７０は、低温能力切替弁２６３の開閉制御を実行し、電磁弁２６４を開く制御を実行することにより、熱回収時の加減圧の影響を抑制して（圧力を逃がして）いる。
【０２４７】
すなわち、第１の液体熱交換器３０１内の残熱の回収が開始された時（熱回収開始時）には、第１の液体熱交換器３０１において温水が生成される。一方で、プレート熱交換器１０３に対しては、蓄熱三方弁２６２から第４の暖房往き管６３７を介して熱回収循環路６１３に至るまでに滞留していた水が流れ込む。そのため、熱回収開始時には、プレート熱交換器１０３における熱交換は、ほとんど行われない。そのため、第１の液体熱交換器３０１とプレート熱交換器１０３との間の循環管路内の圧力は上昇する。そして、第１の液体熱交換器３０１において温水がプレート熱交換器１０３に流れ込むと、第１の液体熱交換器３０１とプレート熱交換器１０３との間の循環管路内の水の温度が次第に低下する。そうすると、第１の液体熱交換器３０１とプレート熱交換器１０３との間の循環管路内の圧力は低下する。
【０２４８】
ここで、図２１に表したように、制御装置７０は、風呂往き三方弁２４６を制御し、風呂熱交換器２０７の出口管６０９を第２の風呂往き管６２１および第３の風呂往き管６２２を介して浴槽５０に開放している。そのため、制御装置７０が低温能力切替弁２６３を閉じた状態に設定していると、第１の液体熱交換器３０１とプレート熱交換器１０３との間の循環管路内の加減圧の影響の全てが第２の風呂往き管６２１および第３の風呂往き管６２２に集中する。そうすると、浴槽５０内に水が無い場合（利用者が浴槽５０を乾燥状態にしている場合）において、第１の液体熱交換器３０１とプレート熱交換器１０３との間の循環管路内の圧力が上昇すると、浴槽５０が濡れてしまう。一方で、制御装置７０が低温能力切替弁２６３を開いた状態に設定している場合であっても、シスターン２３７の内部の水が浴槽５０に導かれる。そのため、この場合であっても、浴槽５０が濡れてしまう。すなわち、制御装置７０が低温能力切替弁２６３を閉じた状態に設定していても、開いた状態に設定していても、第１の液体熱交換器３０１とプレート熱交換器１０３との間の循環管路内の加減圧により、浴槽５０が濡れてしまう。
【０２４９】
これに対して、本実施形態では、制御装置７０は、低温能力切替弁２６３を時々開いた状態に設定する。つまり、制御装置７０は、低温能力切替弁２６３の開閉制御を実行する。これにより、第１の液体熱交換器３０１とプレート熱交換器１０３との間の循環管路内の加減圧の影響の全てが第２の風呂往き管６２１および第３の風呂往き管６２２に集中することを抑制することができる。そのようにして、本実施形態の制御装置７０は、低温能力切替弁２６３の開閉制御を実行し、電磁弁２６４を開く制御を実行することにより、熱回収時の加減圧の影響を抑制して（圧力を逃がして）いる。
【０２５０】
なお、図３に関して前述した給湯暖房システム２の給水予熱動作では、制御装置７０は、風呂往き三方弁２４６を制御し、第１の風呂往き管６１９を浴槽５０には開放していない。この場合において、制御装置７０が低温能力切替弁２６３を閉じた状態に設定すると、加減圧の影響の全てが、第１の液体熱交換器３０１とプレート熱交換器１０３との間の循環管路と、第１の液体熱交換器３０１と、プレート熱交換器１０３と、に集中する。そのため、図３に関して前述した給湯暖房システム２の給水予熱動作では、制御装置７０は、低温能力切替弁２６３およびオーバーフロー弁２３９を開く制御を実行することにより、加減圧の影響を抑制して（圧力を逃がして）いる。
【０２５１】
〔第２のヒートポンプ部停止動作〕
図２２は、本変形例に係る給湯暖房システムの第２のヒートポンプ部停止動作を説明する図である。
続いて、図２２を参照して、給湯暖房システム２Ｂにおいて、制御装置７０がヒートポンプ部３０の暖房運転により浴槽５０内の湯を加熱する追い焚き動作を実行しているときに、ヒートポンプ部３０を停止する動作について説明する。
【０２５２】
図２２に示す第２のヒートポンプ部停止動作では、ヒートポンプ部３０の圧縮機３０４から送り出された熱媒体が四方切替弁３０７を介して第１の液体熱交換器３０１に供給される。そして、高温高圧の気体状態の熱媒体が第１の液体熱交換器３０１に供給される。
そのため、第１の液体熱交換器３０１は、暖房機として機能して水を加熱する。このとき、第１の液体熱交換器３０１の内部において熱媒体循環路３５１を流れる熱媒体は、熱交換の結果として熱を奪われる。そして、第２の液体熱交換器３０２には、膨張弁３０５を通過した低温低圧の液体状態の熱媒体が気体熱交換器３０３を介して供給される。
【０２５３】
このように、図２２に示す第２のヒートポンプ部停止動作では、第１の液体熱交換器３０１に熱媒体である冷媒を送り込んで、第１の液体熱交換器３０１からの熱を用いて、浴槽５０内の湯の追い焚き動作を行い、例えば４２℃の設定温度まで浴槽５０内の湯を加熱する。
【０２５４】
ここで、浴槽５０内の湯の温度が設定温度に到達し、ヒートポンプ部３０の暖房運転が停止すると、ヒートポンプ部３０の第１の液体熱交換器３０１での放熱が止まる。そうすると、図２１に関して前述した床暖房運転の場合と同様に、ヒートポンプ部３０の次回の運転開始時において、運転能力が回復するために時間を要してしまう。そのため、ヒートポンプ部３０の運転効率が悪化してしまう。
【０２５５】
これに対して、本変形例に係る給湯暖房システム２Ｂでは、制御装置７０は、浴槽５０の内部の水の温度と設定温度との間の差が所定温度（例えば０．５℃）以内になるとヒートポンプ部３０の暖房運転を停止するとともに風呂ポンプ２３５の運転を継続する。「所定温度」は、例えば約０．５℃程度である。つまり、制御装置７０は、ヒートポンプ部３０の運転中に、利用者が入浴している場合でも、浴槽５０内の水の温度が例えば４１．５℃になった時点で圧縮機３０７およびファン３０６の運転を停止して気体熱交換器３０３を高温状態とするとともに、風呂ポンプ２３５の運転を継続する。このように、第２のヒートポンプ部停止動作では、所定温度以内の温度に関する信号が「ヒートポンプ部３０の暖房運転を停止する信号」に相当する。続いて、制御装置７０は、浴槽５０の内部の水の温度が設定温度に到達すると風呂ポンプ２３５の運転を停止する動作の制御を実行する。
【０２５６】
このように、制御装置７０は、浴槽５０の内部の水の温度と設定温度との間の差が所定温度以内になると、ヒートポンプ部３０の暖房運転を停止するとともに風呂ポンプ２３５の運転を継続する。これにより、第１の液体熱交換器３０１の内部における熱媒体を冷却することができる。また、制御装置７０は、浴槽５０の内部の水の温度が設定温度に到達すると風呂ポンプ２３５の運転を停止する。つまり、制御装置７０は、ヒートポンプ部３０の暖房運転を停止した後に、風呂ポンプ２３５の運転を停止する。そのため、浴槽５０の内部の水の温度を上昇させるための熱として第１の液体熱交換器３０１の残熱を利用することができる。これにより、熱エネルギーの損失を抑え、熱効率を高めることができる。また、第１の液体熱交換器３０１の内部における熱媒体を冷却することができるため、ヒートポンプ部３０の暖房運転が停止された場合であっても、第１の液体熱交換器３０１内の熱媒体を液体の状態で留めておくことができる。そのため、ヒートポンプ部３０の次回の運転開始時において、液体の熱媒体が第１の液体熱交換器３０１内に存在するため、ヒートポンプ部３０を起動する際に運転能力が回復するための時間を短縮することができる。これにより、ヒートポンプ部３０の運転効率を高めることができる。
【０２５７】
次に、本発明の第２の実施形態について説明する。
〔特徴１：小型化〕
本実施形態の給湯暖房システム２Ａは、タンク部１０Ａと、ガス湯沸かし部２０Ａと、ヒートポンプ部３０と、暖房装置４０と、浴槽５０と、を備える。タンク部１０Ａは、ガス湯沸かし部２０Ａに対して管で接続されている。ガス湯沸かし部２０Ａは、ヒートポンプ部３０と、暖房装置４０と、浴槽５０と、に対して管で接続されている。ヒートポンプ部３０は、ガス湯沸かし部２０Ａを介して暖房装置４０に管で接続されている。一方で、暖房装置４０は、浴槽５０に対して管では接続されていない。すなわち、暖房経路（暖房系統の管路）および浴槽経路（浴槽系統の管路）は、互いに分離されている。この点において、本実施形態の給湯暖房システム２Ａは、図２に関して前述した給湯暖房システム２とは異なる。これにより、本実施形態の給湯暖房システム２Ａは、暖房装置４０内の汚水が浴槽水に混入することをより確実に抑えることができる。
【０２５８】
また、所定の装置に存在する余分な熱ないし湯水をその他の装置に回すようにコントロールすることで（即ち、熱を融通し合うことで）、装置の小型化を図っている。
かくして、小さなスペースしかないマンションや狭小住宅等であっても、高効率の給湯暖房システム２Ａを利用することができる。
そして、例えば、タンク部１０Ａと、ヒートポンプ部３０と、暖房装置４０と、浴槽５０と、に対してガス湯沸かし部２０Ａを管などで繋ぐことで、各装置間を湯水が流通可能となる。これにより、「機能性の向上」「効率性の向上」「快適性の向上」「コストダウン」を更に図れるようになった。以下、これを説明する。
【０２５９】
〔特徴２：機能性の向上〕
本実施形態では、機能性の向上を図っている。
例えば、本実施形態に係る給湯暖房システム２Ａは、浴槽５０の残湯などを風呂熱交換器２０７Ａに送るとともに、タンク部１０Ａの水を風呂熱交換器２０７Ａに送り、浴槽５０の残湯とタンク部１０Ａの水との間で熱交換を行うことで、該残湯の熱をタンク部１０Ａに回収可能な「浴湯熱回収機能」を有している。この機能によれば、エネルギーの無駄を省いて、タンク部１０Ａ内に温水を作ることが出来ると共に、浴槽５０の残湯を冷却して菌の繁殖を抑制できる。
【０２６０】
また、本実施形態のタンク部１０Ａは例えばマンションのパイプシャフトに収容可能なほど小型である。そこで、タンク部１０Ａの湯が所定の温度になったら、その湯を他の装置に回して利用し、タンク部１０Ａでは可及的に次々に新たな湯を生成できる状態にする。これにより、大型の貯湯タンク並みの機能を発揮させている。例えば、本実施形態に係る給湯暖房システム２Ａは、ヒートポンプ部３０の冷房運転時の廃熱を利用してタンク部１０Ａに湯を生成する「廃熱回収機能」を有している。この廃熱回収の際に、湯張りの予約がされている場合において、タンク部１０Ａの湯が基準の温度になったら、タンク部１０Ａの湯を率先して浴槽５０に送る。そして、タンク部１０Ａ内の湯が所定量に低下したら再び廃熱回収機能を利用してタンク部１０Ａに湯を生成し、その湯を再び浴槽５０に送るという動作を繰り返している。これにより、小型のタンク部１０Ａであっても、浴槽５０への所定量の湯張りが可能となる。
【０２６１】
〔特徴３：効率性の向上〕
次に、本実施形態では、上記各装置の効率の向上を図っている。
例えば、ヒートポンプ部３０の起動時の効率向上を図っている。即ち、ヒートポンプ部３０は、停止時に室外の気体熱交換器３０３が冷却機になって、気体熱交換器３０３内の熱媒体が液体になる。そうすると、次回の起動に時間を要して効率が悪化するという特性を有する。そこで、気体熱交換器３０３内における熱媒体の液化を防止する構造ないし制御を採用することで、ヒートポンプ部３０の効率の向上を図っている。熱媒体の液化の防止手段としては、図２に関して前述した給湯暖房システム２の効率性の向上と同様である。この効率性の向上の詳細については、後述する。
【０２６２】
また、本実施形態では、管路内での自然放熱量を抑制することでも効率性の向上を図っている。この効率性の向上についても、図２に関して前述した給湯暖房システム２の効率性の向上と同様である。
【０２６３】
また、本実施形態では、ヒートポンプ部３０に低い温度の液体を送り込むことで、フルパワーで運転することが高効率なヒートポンプ部３０の効率を上げることができる。
例えば、ヒートポンプ部３０だけでは加熱不足なために、ヒートポンプ部３０とガス湯沸かし部２０Ａとの双方を用いて加熱する場合、先ずヒートポンプ部３０で加熱する。その後、所定の不足分の熱を加えるために、ガス湯沸かし部２０Ａの第３の液体熱交換器２７２で熱交換を行うという順序にしている。これにより、ヒートポンプ部３０には低い給水温度の液体が送り込まれ、効率を上げることができる。
【０２６４】
また、浴槽５０の湯を保温だけする場合は、効率性を考慮してヒートポンプ部３０の熱を利用して保温するのが理想的である。しかし、熱い湯がヒートポンプ部３０に送り込まれると、ヒートポンプ部３０の高効率性が没却される。そこで、タンク部１０Ａの水を第３の液体熱交換器２７２に回し、タンク部１０Ａの水で奪熱して温水を生成した後に、低い給水温度の液体をヒートポンプ部３０に送り込んでいる。これにより、ヒートポンプ部３０の効率を上げることができる。
【０２６５】
〔特徴４：快適性の向上〕
次に、本実施形態では、快適性の向上を図っている。
例えば、本実施形態では、夏場に涼しい浴室内でシャワーを浴びることができる。また、冬場に暖かい浴室に入浴することができる。これにより、寒暖の差で生じる脳卒中や心臓発作などを防止することができる。快適性の向上は、図２に関して前述した給湯暖房システム２の快適性の向上と同様である。この快適性の向上の詳細については、後述する。
【０２６６】
〔特徴５：トラブルの回避〕
以上のように、本発明の実施形態では、「小型化」「機能性の向上」「効率性の向上」「快適性の向上」を図っているが、そのような構成及び／又は制御を行う結果、種々のトラブルが発生する恐れが想定される。そこで、本実施形態では、該トラブルを回避するための更なる構成ないし制御を行っている。
【０２６７】
例えば、ヒートポンプ部３０をマンションのパイプシャフト内に設置した場合、発生したドレン水を通常の室外機のようにそのまま排出すると、パイプシャフトを通じて廊下等が濡れる恐れがある。この点、本実施形態では、ヒートポンプ部３０と浴室の排水口とを管で接続して、発生したドレン水をその排水口内に排水するようにしている。
【０２６８】
また、本実施形態では、暖房経路および浴槽経路は、互いに分離されている。そのため、不使用な装置及び管内の換水を行う必要はない。この点において、本実施形態の給湯暖房システム２Ａは、図２に関して前述した給湯暖房システム２とは異なる。
【０２６９】
〔第２の実施形態〕
図２３は、本発明の第２の実施形態に係る給湯暖房システムを表す配管図である。
図２３に表したように、本実施形態に係る給湯暖房システム２Ａは、タンク部１０Ａと、ガス湯沸かし部２０Ａと、ヒートポンプ部３０と、暖房装置４０と、制御装置７０と、を備える。タンク部１０Ａと、ガス湯沸かし部２０Ａと、ヒートポンプ部３０と、制御装置７０と、は図１に表した筐体２１および筐体３３の内部に設けられている。筐体２１および筐体３３は、図１に関して前述した通りである。また、ヒートポンプ部３０、暖房装置４０および制御装置７０は、図２〜図１８に関して前述した給湯暖房システム２が備えるヒートポンプ部３０、暖房装置４０および制御装置７０とそれぞれ同じである。
【０２７０】
タンク部１０Ａは、タンク１０１と、減圧弁１０２と、を有する。図２〜図１８に関して前述した給湯暖房システム２のタンク部１０と比較して、本実施形態のタンク部１０Ａは、プレート熱交換器を有していない。一方で、本実施形態に係る給湯暖房システム２Ａでは、ガス湯沸かし部２０Ａが第３の液体熱交換器２７２を有する。第３の液体熱交換器２７２の詳細については、後述する。
【０２７１】
減圧弁１０２の下流側において、給水管１５１は、タンク１０１の下部に接続されているとともに、タンク１０１の下部において分岐し、回収切替四方弁２８５を介して、第１の給水接続管６６７と、第２の給水接続管６６８と、第２の回収ポンプ入口管６６６と、に接続されている。第１の給水接続管６６７は、給水切替三方弁２７７を介して、給湯熱交換器２０６Ａの出口管６０７と、第３の液体熱交換器２７２の接続管６５１と、に接続されている。タンク１０１の上部には、湯導入管１５３および回収ポンプ出口管６５９が接続されている。タンク部１０Ａの他の構造は、図２に関して前述したタンク部１０の構造と同じである。
【０２７２】
本実施形態に係る給湯暖房システム２Ａのタンク１０１には、過圧逃がし弁（図示せず）が設けられている。過圧逃がし弁は、所定以上の圧力がかかると自動的に開く動作を行う。つまり、過圧逃がし弁は、制御装置７０から送信された信号に基づいて開閉動作を行うわけではない。この点において、タンク１０１に設けられた過圧逃がし弁は、シスターン２３７に設けられたオーバーフロー弁２３９とは異なる。
【０２７３】
ガス湯沸かし部２０Ａは、燃焼装置２０１と、中和器２３１と、ドレンタンク２３３と、風呂ポンプ２３５と、回収ポンプ２３６と、シスターン２３７と、風呂熱交換器２０７Ａと、第３の液体熱交換器２７２と、暖房ポンプ２７５と、を有する。すなわち、図２〜図１８に関して前述した給湯暖房システム２のガス湯沸かし部２０と比較して、本実施形態のガス湯沸かし部２０Ａは、第３の液体熱交換器２７２と、暖房ポンプ２７５と、をさらに有する。また、風呂熱交換器２０７Ａは、燃焼装置２０１の燃焼室２０２ではなく、燃焼装置２０１の燃焼室２０２の外側に設けられている。
【０２７４】
燃焼装置２０１の燃焼室２０２には、第１のバーナ２０３と、第２のバーナ２０４と、給湯潜熱熱交換器２０５と、給湯熱交換器２０６Ａと、が設けられている。第１のバーナ２０３および第２のバーナ２０４は、給湯熱交換器２０６Ａの近傍に設けられ、給湯熱交換器２０６Ａを加熱する。給湯熱交換器２０６Ａは、多数のフィンを有し、第１のバーナ２０３および第２のバーナ２０４の少なくともいずれかにより加熱される。給湯潜熱熱交換器２０５は、給湯熱交換器２０６Ａの上側に設けられ、燃焼室２０２の排ガスに含まれる潜熱を回収する。すなわち、給湯潜熱熱交換器２０５は、第１のバーナ２０３および第２のバーナ２０４の少なくともいずれかの燃焼により給湯熱交換器２０６Ａが熱交換を行った後の燃焼排気と接触する位置に設けられている。
【０２７５】
第３の液体熱交換器２７２は、第３の液体熱交換器２７２の接続管６５１を通って第３の液体熱交換器２７２の内部に導かれた水（液体）と、第１の液体熱交換器３０１から第３の液体熱交換器２７２の内部に導かれた水（液体）と、の間において非接触で熱交換を行うことができる。あるいは、第３の液体熱交換器２７２は、第３の液体熱交換器２７２と風呂熱交換器２０７Ａとに接続された中間配管６５３を通って第３の液体熱交換器２７２の内部に導かれた水（液体）と、第１の液体熱交換器３０１から第３の液体熱交換器２７２の内部に導かれた水（液体）と、の間において非接触で熱交換を行うことができる。すなわち、第３の液体熱交換器２７２の内部において、接続管６５１および中間配管６５３に接続された第３の液体熱交換器２７２の第１の内管６５２は、第１の液体熱交換器３０１の出口管６１６に接続された第３の液体熱交換器２７２の第２の内管６５４と熱的に接続されている。第３の液体熱交換器２７２は、いわゆる液−液熱交換器である。
【０２７６】
風呂熱交換器２０７Ａは、風呂熱交換器２０７Ａの接続管６５５を通って風呂熱交換器２０７Ａの内部に導かれた水（液体）と、浴槽５０から風呂熱交換器２０７Ａの内部に導かれた水（液体）と、の間において非接触で熱交換を行うことができる。あるいは、風呂熱交換器２０７Ａは、第３の液体熱交換器２７２と風呂熱交換器２０７Ａとに接続された中間配管６５３を通って風呂熱交換器２０７Ａの内部に導かれた水（液体）と、浴槽５０から風呂熱交換器２０７Ａの内部に導かれた水（液体）と、の間において非接触で熱交換を行うことができる。すなわち、風呂熱交換器２０７Ａの内部において、中間配管６５３および接続管６５５に接続された風呂熱交換器２０７Ａの第１の内管６５６は、風呂ポンプ出口管６１４に接続された風呂熱交換器２０７Ａの第２の内管６５７と熱的に接続されている。風呂熱交換器２０７Ａは、図２に関して前述した風呂熱交換器２０７とは異なり、いわゆる液−液熱交換器である。
【０２７７】
タンク部１０Ａに関して前述したように、第１の給水接続管６６７は、給水切替三方弁２７７を介して、給湯熱交換器２０６Ａの出口管６０７と、第３の液体熱交換器２７２の接続管６５１と、に接続されている。第３の液体熱交換器２７２の接続管６５１は、第３の液体熱交換器２７２の第１の内管６５２と、中間配管６５３と、風呂熱交換器２０７Ａの第１の内管６５６と、を介して風呂熱交換器２０７Ａの接続管６５５に接続されている。
【０２７８】
第３の液体熱交換器２７２の接続管６５１には、接続管サーミスタ２８８が設けられている。接続管サーミスタ２８８は、第３の液体熱交換器２７２の接続管６５１を流れる水の温度を検出する。中間配管６５３には、中間配管サーミスタ２９１が設けられている。中間配管サーミスタ２９１は、中間配管６５３を流れる水の温度を検出する。風呂熱交換器２０７Ａの接続管６５５には、風呂切替弁２７８および風呂熱交換器サーミスタ２９２が設けられている。風呂切替弁２７８は、弁の開度を調整し、風呂熱交換器２０７Ａの接続管６５５を流れる水の流量を制御する。風呂熱交換器サーミスタ２９２は、風呂熱交換器２０７Ａの接続管６５５を流れる水の温度を検出する。
【０２７９】
給湯熱交換器２０６Ａの出口管６０７には、給湯熱交換器２０６Ａの出口管６０７から分岐した給湯往き管６６１が接続されている。給湯往き管６６１は、湯量サーボ２２４を介して第１の注湯管６４３に接続されている。給湯往き管６６１と給湯熱交換器２０６Ａの出口管６０７との接続部分と、湯量サーボ２２４と、の間において、給湯往き管６６１には、給湯往き管６６１から分岐した風呂熱交換器２０７Ａの接続管６５５が接続されている。すなわち、風呂熱交換器２０７Ａの接続管６５５は、一方の端部において給湯往き管６６１に接続され、他方の端部において風呂熱交換器２０７Ａの第１の内管６５６に接続されている。また、給湯往き管６６１と給湯熱交換器２０６Ａの出口管６０７との接続部分と、湯量サーボ２２４と、の間において、給湯往き管６６１には、給湯往き管６６１から分岐した給湯バイパス管６１１が接続されている。
【０２８０】
中間配管６５３には、中間配管６５３から分岐した第１の回収ポンプ入口管６５８が接続されている。第１の回収ポンプ入口管６５８は、第１の回収三方弁２８２を介して回収ポンプ２３６に接続されている。また、第１の回収ポンプ入口管６５８には、循環水量センサ２７４が設けられている。循環水量センサ２７４は、第１の回収ポンプ入口管６５８を流れる水の流量を検出する。
【０２８１】
前述したように、給水管１５１は、回収切替四方弁２８５を介して第２の回収ポンプ入口管６６６に接続されている。第２の回収ポンプ入口管６６６は、第１の回収三方弁２８２を介して第１の回収ポンプ入口管６５８に接続されている。図２３に表した矢印Ａ２６および矢印Ａ２７に表したように、回収ポンプ２３６が駆動すると、水が第２の回収ポンプ入口管６６６を流れ、第１の回収三方弁２８２を介して第１の回収ポンプ入口管６５８に導かれる場合がある。
【０２８２】
また、前述したように、給水管１５１は、回収切替四方弁２８５を介して第２の給水接続管６６８に接続されている。第２の給水接続管６６８には、逆止弁２８６が設けられている。
【０２８３】
タンク部１０Ａに関して前述したように、タンク１０１の上部には、回収ポンプ出口管６５９が接続されている。回収ポンプ出口管６５９は、第２の回収三方弁２８３を介して第２の液体熱交換器３０２の入口管３５６に接続されている。また、回収ポンプ出口管６５９は、第３の回収三方弁２８４を介して第２の液体熱交換器３０２の出口管３５５に接続されている。回収ポンプ出口管６５９には、タンク入口サーミスタ２９３が設けられている。タンク入口サーミスタ２９３は、回収ポンプ出口管６５９を流れる水の温度を検出する。
【０２８４】
暖房ポンプ２７５には、シスターン出口管６２９と、暖房ポンプ出口管６６２と、が接続されている。暖房ポンプ出口管６６２は、ヒートポンプ入口三方弁２４３を介して第１の液体熱交換器３０１の入口管６１５に接続されている。第１の液体熱交換器３０１の出口管６１６は、第３の液体熱交換器２７２の第２の内管６５４を介して第３の液体熱交換器２７２の出口管６６４に接続されている。
【０２８５】
第１の液体熱交換器３０１の出口管６１６には、出口サーミスタ３１２と、入口サーミスタ２８７と、が設けられている。出口サーミスタ３１２は、図２に関して前述した通りである。入口サーミスタ２８７は、第１の液体熱交換器３０１の出口管６１６を流れる水であって、第３の液体熱交換器２７２に流入する直前の水の温度を検出する。第３の液体熱交換器２７２の出口管６６４には、暖房高温サーミスタ２８９が設けられている。暖房高温サーミスタ２８９は、第３の液体熱交換器２７２の出口管６６４を流れる水の温度を検出する。
【０２８６】
第３の液体熱交換器２７２の出口管６６４には、第３の液体熱交換器２７２の出口管６６４から分岐した第１の低温能力管６３２が接続されている。第１の低温能力管６３２には、低温能力切替弁２６３が設けられているとともに、第１の低温能力管６３２から分岐した第２の低温能力管６３３が接続されている。そして、第２の低温能力管６３３は、シスターン２３７に接続されている。また、第１の低温能力管６３２には、補給水電磁弁２７６が設けられている。図２３に表した矢印Ａ２１および矢印Ａ２２のように、補給水電磁弁２７６は、弁の開度を調整し、シスターン２３７に補給される水の流量を制御する。また、図２３に表した矢印Ａ２３、矢印Ａ２４および矢印Ａ２５のように、シスターン２３７から溢れた水は、給湯暖房システム２Ａの外部に排出される。なお、本実施形態に係る給湯暖房システム２Ａのシスターン２３７には、オーバーフロー弁２３９は、設けられていない。
【０２８７】
第１の液体熱交換器３０１の出口管６１６と、第１の暖房往き管６１７と、の接続部には、ヒートポンプ出口三方弁２４４Ａが設けられている。ヒートポンプ出口三方弁２４４Ａは、図２に関して前述したヒートポンプ出口三方弁２４４とは異なり、中間位置を取り得る。すなわち、ヒートポンプ出口三方弁２４４Ａは、第１の液体熱交換器３０１を流れた水が第３の液体熱交換器２７２に導かれる状態と、第１の暖房往き管６１７に導かれる状態と、第３の液体熱交換器２７２および第１の暖房往き管６１７の両方に導かれる状態と、を切り替えることができる。
【０２８８】
第１の暖房往き管６１７は、蓄熱四方弁２７９を介して、第３の液体熱交換器２７２の出口管６６４と、第２の暖房往き管６３５と、第１の暖房バイパス管６６３と、に接続されている。第３の液体熱交換器２７２の出口管６６４には、第３の液体熱交換器２７２の出口管６６４から分岐した第１の高温暖房往き管６２７が接続されている。第１の高温暖房往き管６２７は、第３の液体熱交換器２７２の出口管６６４に対する接続部と、第２の高温暖房往き管４５１に対する接続部と、の間において、第１の暖房バイパス管６６３に接続されている。
【０２８９】
第１の液体熱交換器３０１の出口管６１６には、ヒートポンプ出口三方弁２４４Ａと、入口サーミスタ２８７と、の間において、第２の暖房バイパス管６６５が接続されている。第２の暖房バイパス管６６５は、ヒートポンプ入口三方弁２４３を介して、暖房ポンプ出口管６６２と、第１の液体熱交換器３０１の入口管６１５と、に接続されている。
【０２９０】
第３の注湯管６４５は、電磁弁２８１を介して、風呂ポンプ入口管６２６と、第２の風呂戻り管６２４と、浴槽バイパス管６３１と、に接続されている。風呂ポンプ出口管６１４は、風呂熱交換器２０７Ａの第２の内管６５７を介して第２の風呂往き管６２１に接続されている。第２の風呂戻り管６２４には、風呂水流スイッチ２５３と、風呂戻りサーミスタ２５４と、水位センサ２５５と、が設けられている。風呂水流スイッチ２５３および風呂戻りサーミスタ２５４は、図２に関して前述した通りである。
【０２９１】
図２３に表した矢印Ａ３２、矢印Ａ２４および矢印Ａ２５のように、ドレンタンク２３３から溢れたドレンは、給湯暖房システム２Ａの外部に排出される。ガス湯沸かし部２０Ａの他の構造は、図２に関して前述したガス湯沸かし部２０の構造と同じである。
【０２９２】
次に、タンク部１０Ａと、ガス湯沸かし部２０Ａと、ヒートポンプ部３０と、暖房装置４０と、浴槽５０と、の相互の接続について、図面を参照して説明する。
本実施形態に係る給湯暖房システム２Ａでは、タンク部１０Ａは、ガス湯沸かし部２０Ａに対して管で接続されている。ガス湯沸かし部２０Ａは、ヒートポンプ部３０と、暖房装置４０と、浴槽５０と、に対して管で接続されている。ヒートポンプ部３０は、ガス湯沸かし部２０Ａを介して暖房装置４０に管で接続されている。一方で、暖房装置４０は、浴槽５０に対して管では接続されていない。すなわち、暖房装置４０の系統の管路および浴槽５０の系統の管路は、互いに分離されている。浴槽系統の管路は、暖房系統の管路とは別の系統として設けられている。
【０２９３】
〔ガス湯沸かし部と浴槽との接続〕
まず、ガス湯沸かし部２０Ａと、浴槽５０と、の接続について説明する。ここで説明する管路は、ガス湯沸かし部２０Ａと浴槽５０とを接続する浴槽系統の管路の一例である。給湯熱交換器２０６Ａの出口管６０７は、給湯熱交換器２０６Ａの出口管６０７から分岐した給湯往き管６６１に接続されている。給湯往き管６６１は、湯量サーボ２２４を介して第１の注湯管６４３に接続されている。第１の注湯管６４３は、注湯電磁弁２６６と、逆止弁２６７と、逆止弁２６８と、を介して第２の注湯管６４４に接続されている。
【０２９４】
第２の注湯管６４４は、電磁弁２８１を介して、風呂ポンプ入口管６２６と、浴槽バイパス管６３１と、第２の風呂戻り管６２４と、に接続されている。風呂ポンプ入口管６２６は、風呂ポンプ２３５を介して風呂ポンプ出口管６１４に接続されている。風呂ポンプ出口管６１４は、風呂熱交換器２０７Ａの第２の内管６５７を介して第１の風呂往き管６１９に接続されている。第１の風呂往き管６１９は、循環金具（図示せず）を介して浴槽５０に接続された第２の風呂往き管６２１に接続されている。一方で、第２の風呂戻り管６２４は、循環金具（図示せず）を介して浴槽５０に接続された第１の風呂戻り管６２３に接続されている。
【０２９５】
〔ガス湯沸かし部と暖房装置との接続〕
〔ガス湯沸かし部とヒートポンプ部との接続〕
続いて、ガス湯沸かし部２０Ａと暖房装置４０との接続、およびガス湯沸かし部２０Ａとヒートポンプ部３０との接続について説明する。ここで説明する管路は、ガス湯沸かし部２０Ａと暖房装置４０とを接続する暖房系統の管路の一例である。なお、前述したように、ヒートポンプ部３０は、ガス湯沸かし部２０Ａを介して暖房装置４０に管路で接続されている。
【０２９６】
暖房ポンプ２７５には、暖房ポンプ出口管６６２が接続されている。暖房ポンプ出口管６６２は、ヒートポンプ入口三方弁２４３を介して第１の液体熱交換器３０１の入口管６１５に接続されている。第１の液体熱交換器３０１の入口管６１５は、第１の液体熱交換器３０１の内管３５２を介して第１の液体熱交換器３０１の出口管６１６に接続されている。
【０２９７】
第１の液体熱交換器３０１の出口管６１６は、第３の液体熱交換器２７２の第２の内管６５４を介して第３の液体熱交換器２７２の出口管６６４に接続されている。第３の液体熱交換器２７２の出口管６６４は、第３の液体熱交換器２７２の出口管６６４から分岐した第１の高温暖房往き管６２７に接続されている。第１の高温暖房往き管６２７は、第１の高温暖房往き管６２７から分岐した第１の暖房バイパス管６６３に接続されている。第１の暖房バイパス管６６３は、蓄熱四方弁２７９を介して第２の暖房往き管６３５に接続されている。第２の暖房往き管６３５は、低温往き熱動弁２４１を介して低温暖房往き管４５３に接続されている。低温暖房装置４０２とシスターン２３７との接続は、図２に関して前述した通りである。そして、シスターン２３７は、シスターン出口管６２９を介して暖房ポンプ２７５に接続されている。
【０２９８】
また、前述したように、第３の液体熱交換器２７２の出口管６６４は、第３の液体熱交換器２７２の出口管６６４から分岐した第１の高温暖房往き管６２７に接続されている。第１の高温暖房往き管６２７は、第２の高温暖房往き管４５１に接続されている。高温暖房装置４０１とシスターン２３７との接続は、図２に関して前述した通りである。そして、シスターン２３７は、シスターン出口管６２９を介して暖房ポンプ２７５に接続されている。
【０２９９】
あるいは、ガス湯沸かし部２０Ａは、ガス湯沸かし部２０Ａが有する第１の暖房往き管６１７を通して暖房装置４０に接続されている。すなわち、暖房ポンプ２７５と、第１の液体熱交換器３０１の出口管６１６と、の間の接続は、前述した通りである。第１の液体熱交換器３０１の出口管６１６は、ヒートポンプ出口三方弁２４４Ａを介して第１の暖房往き管６１７に接続されている。第１の暖房往き管６１７は、蓄熱四方弁２７９を介して第２の暖房往き管６３５に接続されている。第２の暖房往き管６３５は、第２の暖房往き管６３５は、低温往き熱動弁２４１を介して低温暖房往き管４５３に接続されている。低温暖房装置４０２とシスターン２３７との接続は、図２に関して前述した通りである。そして、シスターン２３７は、シスターン出口管６２９を介して暖房ポンプ２７５に接続されている。
【０３００】
また、第１の暖房往き管６１７は、蓄熱四方弁２７９を介して第３の液体熱交換器２７２の出口管６６４に接続されている。前述したように、第３の液体熱交換器２７２の出口管６６４から分岐した第１の高温暖房往き管６２７に接続されている。第１の高温暖房往き管６２７は、第２の高温暖房往き管４５１に接続されている。高温暖房装置４０１とシスターン２３７との接続は、図２に関して前述した通りである。そして、シスターン２３７は、シスターン出口管６２９を介して暖房ポンプ２７５に接続されている。
【０３０１】
〔タンク部とガス湯沸かし部との接続〕
続いて、タンク部１０Ａと、ガス湯沸かし部２０Ａと、の接続について説明する。ここで説明する管路は、タンク部１０Ａとガス湯沸かし部２０Ａとを接続するタンク系統の管路の一例である。タンク部１０Ａは、ガス湯沸かし部２０Ａの燃焼装置２０１に対して管路で接続されている。すなわち、タンク部１０Ａの混合水導入管１５４は、給湯潜熱熱交換器２０５の入口管６０４に接続されている。なお、給湯潜熱熱交換器２０５の入口管６０４は、タンク部１０Ａの混合水導入管１５４と同じ管であってもよいし、タンク部１０Ａの混合水導入管１５４とは別の管であってもよい。つまり、タンク部１０Ａの混合水導入管１５４を流れる水が、給湯潜熱熱交換器２０５の入口管６０４に導かれればよい。
【０３０２】
給湯潜熱熱交換器２０５の入口管６０４は、給湯潜熱熱交換器２０５の出口管６０５に接続されている。給湯潜熱熱交換器２０５の出口管６０５には、給湯潜熱熱交換器２０５の出口管６０５から分岐した給湯熱交換器２０６Ａの入口管６０６が接続されている。給湯熱交換器２０６Ａの入口管６０６は、給湯熱交換器２０６Ａの出口管６０７に接続されている。
【０３０３】
また、タンク部１０Ａは、ガス湯沸かし部２０Ａの液体熱交換器２７２および風呂熱交換器２０７Ａに対して管路で接続されている。すなわち、タンク１０１の下部に接続された給水管１５１は、回収切替四方弁２８５を介して、第１の給水接続管６６７に接続されている。第１の給水接続管６６７は、第３の液体熱交換器２７２の第１の内管６５２を介して中間配管６５３に接続されている。中間配管６５３は、風呂熱交換器２０７Ａの第１の内管６５６を介して風呂熱交換器２０７Ａの接続管６５５に接続されている。
【０３０４】
風呂熱交換器２０７Ａの接続管６５５は、風呂熱交換器２０７Ａの接続管６５５から分岐した第２の給水接続管６６８に接続されている。第２の給水接続管６６８は、回収切替四方弁２８５を介して第２の回収ポンプ入口管６６６に接続されている。第２の回収ポンプ入口管６６６は、第１の回収三方弁２８２を介して第１の回収ポンプ入口管６５８に接続されている。第１の回収ポンプ入口管６５８は、回収ポンプ２３６を介して回収ポンプ出口管６５９に接続されている。そして、回収ポンプ出口管６５９は、タンク１０１の上部に接続されている。
【０３０５】
あるいは、中間配管６５３には、中間配管６５３から分岐した第１の回収ポンプ入口管６５８が接続されている。第１の回収ポンプ入口管６５８は、回収ポンプ２３６を介して回収ポンプ出口管６５９に接続されている。そして、回収ポンプ出口管６５９は、タンク１０１の上部に接続されている。
【０３０６】
〔タンク部とヒートポンプ部との接続〕
続いて、タンク部１０Ａと、ヒートポンプ部３０と、の接続について説明する。ここで説明する管路は、タンク部１０Ａとヒートポンプ部３０とを接続するタンク系統の管路の一例である。タンク部１０Ａと、液体熱交換器２７２および風呂熱交換器２０７Ａと、の接続に関して前述したように、タンク１０１の下部に接続された給水管１５１は、回収切替四方弁２８５を介して、第１の給水接続管６６７に接続されている。第１の給水接続管６６７は、第３の液体熱交換器２７２の第１の内管６５２を介して中間配管６５３に接続されている。第１の回収ポンプ入口管６５８は、回収ポンプ２３６を介して回収ポンプ出口管６５９に接続されている。
【０３０７】
図２３に表した矢印Ａ２８および矢印Ａ２９に表したように、回収ポンプ出口管６５９は、第２の回収三方弁２８３を介して第２の液体熱交換器３０２の入口管３５６に接続されている。第２の液体熱交換器３０２の入口管３５６は、第２の液体熱交換器３０２の内管３５３を介して第２の液体熱交換器３０２の出口管３５５に接続されている。図２３に表した矢印Ａ３０および矢印Ａ３１に表したように、第２の液体熱交換器３０２の出口管３５５は、第３の回収三方弁２８４を介して回収ポンプ出口管６５９に接続されている。そして、回収ポンプ出口管６５９は、タンク１０１の上部に接続されている。
【０３０８】
次に、本実施形態に係る給湯暖房システム２Ａの基本動作について、図面を参照して説明する。
【０３０９】
〔給水予熱動作〕
図２４は、本実施形態に係る給湯暖房システムの給水予熱動作を説明する図である。
図３に関して前述したように、給水予熱動作は、ヒートポンプ部３０において生成された熱により、タンク１０１の内部に貯留された水を加熱する動作である。図２４に表した塗りつぶし部分は、給水予熱動作において水が流れる管路を表している。制御装置７０が給水予熱動作の制御を実行すると、回収ポンプ２３６および暖房ポンプ２７５が駆動する。また、ヒートポンプ部３０の圧縮機３０４は、四方切替弁３０７を介して第１の液体熱交換器３０１に熱媒体を供給する。そのため、給水予熱動作において、第１の液体熱交換器３０１は、暖房機として機能する。一方で、給水予熱動作において、第２の液体熱交換器３０２は、冷房機として機能する。
【０３１０】
図２４に表した矢印Ａ３３のように、暖房ポンプ２７５が駆動すると、シスターン２３７の内部の水は、シスターン出口管６２９を流れ、暖房ポンプ２７５により暖房ポンプ出口管６６２に送り出される。暖房ポンプ出口管６６２を流れる水は、第１の液体熱交換器３０１の入口管６１５を介して第１の液体熱交換器３０１の内管３５２に導かれる。第１の液体熱交換器３０１の内管３５２を流れる水は、第１の液体熱交換器３０１の内部における熱媒体循環路３５１を流れる熱媒体により加熱される。第１の液体熱交換器３０１から流出した水の温度は、例えば約４５℃程度である。
【０３１１】
第１の液体熱交換器３０１から流出した水は、第１の液体熱交換器３０１の出口管６１６を流れ、第３の液体熱交換器２７２の第２の内管６５４に導かれる。第３の液体熱交換器２７２の第２の内管６５４を流れる水は、第３の液体熱交換器２７２の出口管６６４と、第１の低温能力管６３２と、第２の低温能力管６３３と、を流れ、シスターン２３７に導かれる。
【０３１２】
一方で、図２４に表した矢印Ａ３４のように、回収ポンプ２３６が駆動すると、タンク１０１の内部の水は、タンク１０１の下部に接続された給水管１５１を流れ、回収切替四方弁２８５および給水切替三方弁２７７を介して第３の液体熱交換器２７２の接続管６５１に導かれる。第３の液体熱交換器２７２の接続管６５１を流れる水は、第３の液体熱交換器２７２の第１の内管６５２に導かれる。
【０３１３】
このとき、第３の液体熱交換器２７２の第１の内管６５２を流れる水の温度は、例えば約１５℃程度である。そして、第３の液体熱交換器２７２の第１の内管６５２を流れる水は、第３の液体熱交換器２７２の第２の内管６５４を流れる水により加熱される。第３の液体熱交換器２７２において加熱され、第３の液体熱交換器２７２から流出して中間配管６５３を流れる水の温度は、例えば約４５℃程度である。一方で、第３の液体熱交換器２７２から流出して第３の液体熱交換器２７２の出口管６６４を流れる水の温度は、例えば約１５℃程度である。
【０３１４】
中間配管６５３を流れる水は、第１の回収ポンプ入口管６５８を流れ、回収ポンプ２３６により回収ポンプ出口管６５９に送り出される。回収ポンプ出口管６５９を流れる水は、タンク１０１の内部に導かれる。これにより、タンク１０１内の上部には、高温（例えば約４５℃程度）の水の層が形成される。タンク１０１内の下部には、低温（例えば約１５℃程度）の水の層が形成される。
【０３１５】
〔給湯動作・蓄熱利用給湯動作〕
図２５は、本実施形態に係る給湯暖房システムの給湯動作および蓄熱利用給湯動作を説明する図である。
図４に関して前述したように、給湯動作は、水供給源（例えば水道）から供給された水を加熱し、給湯栓に供給する動作である。蓄熱利用給湯動作は、タンク１０１の内部に貯留された水であってタンク１０１の内部で加熱された水を給湯栓に供給する動作である。図２５に表した塗りつぶし部分は、給湯動作および蓄熱利用給湯動作において水が流れる管路を表している。
【０３１６】
給湯栓が開かれると、制御装置７０は、水制御弁１１４および湯制御弁１１７の少なくともいずれかを開く。そうすると、水供給源から供給される水の圧力によって、水が混合水導入管１５４を流れ、ガス湯沸かし部２０Ａに供給される。水供給源から供給される水の温度は、例えば約１５℃程度である。
【０３１７】
ガス湯沸かし部２０Ａに供給される水の温度（混合サーミスタ１２１の検出温度）が給湯設定温度よりも低い場合には、制御装置７０は、給湯動作の制御を実行し、燃焼装置２０１を作動させる。すなわち、燃焼装置２０１の内部を流れる水は、第１のバーナ２０３および第２のバーナ２０４の少なくともいずれかにより加熱される。給湯潜熱熱交換器２０５において加熱された水の温度は、例えば約３０℃程度である。給湯熱交換器２０６Ａにおいて加熱された水の温度は、例えば約７０℃程度である。
【０３１８】
加熱された水（湯）は、給湯熱交換器２０６Ａの出口管６０７および給湯往き管６６１を通り、バイパスサーボ２２２により給湯バイパス管６１１に導かれた水と混合し、湯量サーボ２２４を介して給湯栓に供給される。給湯栓に導かれる水の温度は、例えば約４２℃程度である。制御装置７０は、給湯栓に供給される水の温度が、給湯設定温度と一致するように、第１のバーナ２０３および第２のバーナ２０４の出力を制御する。
【０３１９】
タンク１０１に貯留された水の温度（タンク内サーミスタ１１３の検出温度）が給湯設定温度よりも高い場合には、制御装置７０は、蓄熱利用給湯動作の制御を実行し、水制御弁１１４および湯制御弁１１７のそれぞれの開度を調整する。このとき、タンク１０１に貯留された水の温度は、例えば通常約４５℃、最大６０℃程度である。
【０３２０】
水導入管１５２を流れた水と、湯導入管１５３を流れた水と、は混合水導入管１５４で混合水として合流し、燃焼装置２０１を介して給湯栓に供給される。このとき、燃焼装置２０１は、燃焼動作を行わない。つまり、燃焼装置２０１を流れる水は、第１のバーナ２０３および第２のバーナ２０４によっては加熱されない。混合水導入管１５４を流れる水および給湯栓に供給される水の温度は、例えば約４２℃程度である。このように、制御装置７０は、給湯栓に供給される水の温度が、給湯設定温度と一致するように、水制御弁１１４および湯制御弁１１７のそれぞれの開度を制御する。蓄熱利用給湯動作において水が流れる管路は、給湯動作において水が流れる管路と同じである。
【０３２１】
〔ドレン排水動作〕
図２６および図２７は、本実施形態に係る給湯暖房システムのドレン排出動作を説明する図である。
図５および図６に関して前述したように、ドレン排出動作は、ドレンタンク２３３に貯留されたドレンを排出するとともに、管路の洗浄を行う動作である。図２６に表した塗りつぶし部分は、ドレンタンク２３３に貯留されたドレンを排出する動作において水が流れる管路を表している。図２７に表した塗りつぶし部分は、管路の洗浄を行う動作において水が流れる管路を表している。
【０３２２】
使用者が自動ボタン（図示せず）を押すと、制御装置７０は、ドレンタンク２３３に溜まったドレンを排出する動作（ドレン排出動作）の制御を実行した後に、湯張り動作の制御を実行する。これは、図５および図６に関して前述した通りである。
【０３２３】
制御装置７０がドレン排出動作の制御を実行すると、風呂ポンプ２３５が駆動する。そうすると、図２６に表した矢印Ａ９のように、ドレンタンク２３３に貯留されたドレン（水）は、第１のドレンタンク出口管６４１を流れ、第２のドレン切替三方弁２５２を介して第３の注湯管６４５に導かれる。第３の注湯管６４５を流れるドレンは、電磁弁２８１を介して風呂ポンプ入口管６２６に導かれる。
【０３２４】
風呂ポンプ入口管６２６を流れるドレンは、風呂ポンプ２３５により風呂ポンプ出口管６１４に送り出される。続いて、風呂ポンプ出口管６１４を流れるドレンは、風呂熱交換器２０７Ａの第２の内管６５７を通り、第１の風呂往き管６１９に導かれる。第１の風呂往き管６１９を流れるドレンは、第１のドレン切替三方弁２４７を介して排出される。
【０３２５】
続いて、図２７に表したように、制御装置７０は、洗浄動作の制御を実行し、水制御弁１１４を開く。そうすると、水供給源から供給される水の圧力によって、水が水導入管１５２および混合水導入管１５４を流れ、ガス湯沸かし部２０Ａに供給される。ガス湯沸かし部２０Ａに供給された水は、給湯潜熱熱交換器２０５および給湯熱交換器２０６Ａを流れ、給湯往き管６６１に導かれる。給湯往き管６６１を流れる水は、湯量サーボ２２４を介して、第１の注湯管６４３と、第２の注湯管６４４と、第３の注湯管６４５と、を流れる。第３の注湯管６４５を流れる水は、ドレン排出動作に関して前述した管路と同じ管路を流れ、第１のドレン切替三方弁２４７を介して排出される。
【０３２６】
〔第１の湯張り動作・蓄熱湯張り動作〕
図２８は、本実施形態に係る給湯暖房システムの第１の湯張り動作および蓄熱湯張り動作を説明する図である。
第１の湯張り動作は、水供給源（例えば水道）から供給された水を加熱し、浴槽５０に供給する動作である。蓄熱湯張り動作は、タンク１０１の内部に貯留された水であって第３の液体熱交換器２７２で加熱された水を浴槽５０に供給する動作である。図２８に表した塗りつぶし部分は、第１の湯張り動作および蓄熱湯張り動作において水が流れる管路を表している。
【０３２７】
使用者が自動ボタン（図示せず）を押すと、制御装置７０は、図２７に関して前述したドレン排出動作の制御を実行した後に、第１の湯張り動作または蓄熱湯張り動作の制御を実行する。第１の湯張り動作および蓄熱湯張り動作において、制御装置７０は、水制御弁１１４および湯制御弁１１７の少なくともいずれかを開く。そうすると、水供給源から供給される水の圧力によって、水が混合水導入管１５４を流れ、ガス湯沸かし部２０Ａに供給される。水供給源から供給される水の温度は、例えば約１５℃程度である。
【０３２８】
ガス湯沸かし部２０Ａに供給される水の温度（混合サーミスタ１２１の検出温度）が湯張り設定温度よりも低い場合には、制御装置７０は、第１の湯張り動作の制御を実行し、燃焼装置２０１を作動させる。燃焼装置２０１において加熱された水（湯）は、給湯熱交換器２０６Ａの出口管６０７を通り、湯量サーボ２２４に導かれる。これは、図２５に関して前述した通りである。給湯潜熱熱交換器２０５において加熱された水の温度は、例えば約３０℃程度である。給湯熱交換器２０６Ａにおいて加熱された水の温度は、例えば約７０℃程度である。
【０３２９】
湯量サーボ２２４に導かれた水は、バイパスサーボ２２２により給湯バイパス管６１１に導かれた水と混合し、第１の注湯管６４３を流れ、注湯電磁弁２６６と、逆止弁２６７と、逆止弁２６８と、を介して第２の注湯管６４４に導かれる。第２の注湯管６４４に導かれた水は、第２のドレン切替三方弁２５２を介して第３の注湯管６４５に導かれる。第３の注湯管６４５を流れる水は、電磁弁２８１を介して、風呂ポンプ入口管６２６と、浴槽バイパス管６３１と、第２の風呂戻り管６２４と、に導かれる。
【０３３０】
風呂ポンプ入口管６２６を流れる水は、風呂ポンプ２３５により風呂ポンプ出口管６１４に送り出される。続いて、風呂ポンプ出口管６１４を流れる水は、風呂熱交換器２０７Ａの第２の内管６５７を通り、第１の風呂往き管６１９に導かれる。第１の風呂往き管６１９を流れる水は、第２の風呂往き管６２１を流れ、循環金具（図示せず）を介して浴槽５０に供給される。一方で、第２の風呂戻り管６２４を流れる水は、浴槽バイパス管６３１を流れる水と合流し、第１の風呂戻り管６２３を流れ、循環金具（図示せず）を介して浴槽５０に供給される。つまり、第１の湯張り動作において、燃焼装置２０１において加熱された水（湯）は、風呂往き管６１９、６２１および風呂戻り管６２３、６２４の両方を用いて浴槽５０に供給される。
【０３３１】
浴槽５０に導かれる水の温度は、例えば約４２℃程度である。制御装置７０は、浴槽５０に供給される水の温度が、湯張り設定温度と一致するように、第１のバーナ２０３および第２のバーナ２０４の出力を制御する。
【０３３２】
タンク１０１に貯留された水の温度（タンク内サーミスタ１１３の検出温度）が湯張り設定温度よりも高い場合には、制御装置７０は、蓄熱湯張り動作の制御を実行し、水制御弁１１４および湯制御弁１１７のそれぞれの開度を調整する。このとき、タンク１０１に貯留された水の温度は、例えば約４０℃〜６０℃程度である。
【０３３３】
水導入管１５２を流れた水と、湯導入管１５３を流れた水と、は混合水導入管１５４で混合水として合流し、燃焼装置２０１を介して湯量サーボ２２４に導かれる。このとき、燃焼装置２０１は、燃焼動作を行わない。つまり、燃焼装置２０１を流れる水は、第１のバーナ２０３および第２のバーナ２０４によっては加熱されない。制御装置７０は、浴槽５０に供給される水の温度が、湯張り設定温度と一致するように、水制御弁１１４および湯制御弁１１７のそれぞれの開度を制御する。蓄熱湯張り動作において水が流れる管路は、第１の湯張り動作において水が流れる管路と同じである。なお、蓄熱湯張り動作においては、混合水導入管１５４を流れる水は、給湯バイパス管６１１に導かれなくともよい。この場合には、例えば約４０℃〜６０℃程度の水がタンク１０１内から無くなり、例えば約１５℃程度の水が燃焼装置２０１において加熱されないまま浴槽５０に導かれることを抑えることができる。これにより、意図しない追い焚き動作が実行されることを抑えることができる。
【０３３４】
そして、制御装置７０は、浴槽５０の内部の水位が循環金具（図示せず）よりも上になると第１の湯張り動作および蓄熱湯張り動作を一時中断し、浴槽５０の内部の水位を確認する。続いて、制御装置７０は、浴槽５０の内部の水位が設定水位になるまで第１の湯張り動作または蓄熱湯張り動作の制御を実行する。
【０３３５】
〔第２の湯張り動作・蓄熱湯張り動作〕
図２９は、本実施形態に係る給湯暖房システムの第２の湯張り動作および蓄熱湯張り動作を説明する図である。
図２９を参照して説明する第２の湯張り動作は、ガス湯沸かし部２０Ａおよびヒートポンプ部３０を用いて、水供給源（例えば水道）から供給された水を加熱し、浴槽５０に供給する動作である。蓄熱湯張り動作は、タンク１０１の内部に貯留された水であって第３の液体熱交換器２７２で加熱された水を浴槽５０に供給する動作である。図８に関して前述したように、例えばタンク１０１に湯が貯留されていない状態で、夏場などにおいて湯張り設定温度が４０℃以下である場合には、ヒートポンプ部３０を用いることで高い効率の湯張り動作を実現することができる。図２９に表した塗りつぶし部分は、第２の湯張り動作および蓄熱湯張り動作において水が流れる管路を表している。
【０３３６】
使用者が湯張り設定温度を４０℃以下に設定し自動ボタン（図示せず）を押すと、制御装置７０は、ガス湯沸かし部２０Ａおよびヒートポンプ部３０を用いた第２の湯張り動作の制御を実行する。そうすると、回収ポンプ２３６および暖房ポンプ２７５が駆動する。また、制御装置７０は、湯制御弁１１７を開く。さらに、ヒートポンプ部３０の圧縮機３０４は、四方切替弁３０７を介して第１の液体熱交換器３０１に熱媒体を供給する。そのため、第２の湯張り動作において、第１の液体熱交換器３０１は、暖房機として機能する。一方で、第２の湯張り動作において、第２の液体熱交換器３０２は、冷房機として機能する。
【０３３７】
図２９に表した矢印Ａ３３のように、暖房ポンプ２７５が駆動すると、シスターン２３７の内部の水は、シスターン出口管６２９を流れ、暖房ポンプ２７５により暖房ポンプ出口管６６２に送り出される。暖房ポンプ出口管６６２を流れる水は、第１の液体熱交換器３０１および第３の液体熱交換器２７２を通り、シスターン２３７に導かれる。これは、図２４に関して前述した通りである。このとき、第１の液体熱交換器３０１から流出し第１の液体熱交換器３０１の出口管６１６を流れる水の温度は、例えば約４５℃程度である。
【０３３８】
一方で、図２９に表した矢印Ａ３４のように、回収ポンプ２３６が駆動し、湯制御弁１１７が開くと、水供給源から供給される水の圧力によって、水が給水管１５１を流れ、タンク１０１の下部を通過する。タンク１０１の下部を通過した水は、給水管１５１を引き続き流れ、回収切替四方弁２８５および給水切替三方弁２７７を介して第３の液体熱交換器２７２の接続管６５１に導かれる。第３の液体熱交換器２７２の接続管６５１を流れる水は、第３の液体熱交換器２７２の第１の内管６５２を流れる。
【０３３９】
このとき、第３の液体熱交換器２７２の第１の内管６５２を流れる水の温度は、例えば約１５℃程度である。そして、第３の液体熱交換器２７２の第１の内管６５２を流れる水は、第３の液体熱交換器２７２の第２の内管６５４を流れる水により加熱される。第３の液体熱交換器２７２において加熱され、第３の液体熱交換器２７２から流出して中間配管６５３を流れる水の温度は、例えば約３０℃程度である。一方で、第３の液体熱交換器２７２から流出して第３の液体熱交換器２７２の出口管６６４を流れる水の温度は、例えば約１５℃程度である。
【０３４０】
中間配管６５３を流れる水は、第１の回収ポンプ入口管６５８を流れ、回収ポンプ２３６により回収ポンプ出口管６５９に送り出される。回収ポンプ出口管６５９を流れる水は、タンク１０１の内部に導かれる。これにより、タンク１０１内の上部には、例えば約３０℃程度の水の層が形成される。
【０３４１】
図２９に表した矢印Ａ３５のように、湯制御弁１１７が開いているため、タンク１０１内の上部に形成された層の水（例えば約３０℃程度の水）は、混合水導入管１５４を流れ、ガス湯沸かし部２０Ａに供給される。ガス湯沸かし部２０Ａに供給された水は、燃焼装置２０１の内部を流れ、第１のバーナ２０３および第２のバーナ２０４の少なくともいずれかにより加熱される。給湯潜熱熱交換器２０５において加熱された水の温度は、例えば約３０℃程度である。給湯熱交換器２０６Ａにおいて加熱された水の温度は、例えば約６０℃程度である。
【０３４２】
続いて、燃焼装置２０１において加熱された水（湯）は、給湯熱交換器２０６Ａの出口管６０７を流れ、図２８に関して前述した管路と同じ管路を介して浴槽５０に供給される。浴槽５０に導かれる水の温度は、例えば約４５℃程度である。
【０３４３】
あるいは、図２９を参照して説明した第２の湯張り動作において、タンク１０１の内部に貯留された水であって第３の液体熱交換器２７２で加熱された水は、燃焼装置２０１で加熱されることなく浴槽５０に供給されてもよい。つまり、制御装置７０は、蓄熱湯張り動作の制御を実行してもよい。このとき、タンク１０１内の上部には、例えば約４５℃程度の水の層が形成されている。
【０３４４】
すなわち、使用者が湯張り設定温度を４０℃以下に設定し自動ボタン（図示せず）を押すと、制御装置７０は、回収ポンプ２３６および暖房ポンプ２７５を駆動させる。このとき、回収ポンプ２３６の回転数は、前述した第２の湯張り動作における回収ポンプ２３６の回転数よりも低い。また、暖房ポンプ２７５が駆動したときの水の流れは、前述した通りである。
【０３４５】
前述したように、回収ポンプ２３６が駆動し、湯制御弁１１７が開くと、例えば約１５℃程度の水が、第３の液体熱交換器２７２の第１の内管６５２を流れる。そして、第３の液体熱交換器２７２の第１の内管６５２を流れる水は、第３の液体熱交換器２７２の第２の内管６５４を流れる水により加熱される。第３の液体熱交換器２７２において加熱され、第３の液体熱交換器２７２から流出して中間配管６５３を流れる水の温度は、例えば約４５℃程度である。
【０３４６】
中間配管６５３を流れる水は、第１の回収ポンプ入口管６５８および回収ポンプ出口管６５９を流れ、タンク１０１の内部に導かれる。タンク１０１の内部に導かれる水の温度は、例えば約４５℃程度である。タンク１０１内の上部に形成された層の水（例えば約４５℃程度の水）は、前述した管路を流れ、燃焼装置２０１で加熱されることなく浴槽５０に供給される。なお、蓄熱湯張り動作においては、混合水導入管１５４を流れる水は、給湯バイパス管６１１に導かれなくともよい。この場合には、例えば約４５℃程度の水がタンク１０１内から無くなり、例えば約１５℃程度の水が燃焼装置２０１において加熱されないまま浴槽５０に導かれることを抑えることができる。これにより、意図しない追い焚き動作が実行されることを抑えることができる。
【０３４７】
〔第１の追い焚き動作〕
図３０は、本実施形態に係る給湯暖房システムの第１の追い焚き動作を説明する図である。
第１の追い焚き動作は、浴槽５０の内部の水を循環させて加熱し、加熱された水を浴槽５０に戻す動作である。図３０に表した塗りつぶし部分は、第１の追い焚き動作において水が流れる管路を表している。
【０３４８】
使用者が自動ボタン（図示せず）を押し、図２８に関して前述した第１の湯張り動作および図２９に関して前述した第２の湯張り動作が完了すると、制御装置７０は、浴槽５０の内部の水位を確認し、浴槽５０の内部の水の温度が設定温度と一致するように第１の追い焚き動作の制御を実行する。あるいは、使用者が追い焚きボタン（図示せず）を押すと、制御装置７０は、浴槽５０の内部の水の温度が設定温度と一致するように第１の追い焚き動作の制御を実行する。
【０３４９】
制御装置７０が第１の追い焚き動作の制御を実行すると、風呂ポンプ２３５および回収ポンプ２３６が駆動する。また、制御装置７０は、湯制御弁１１７を開く。
【０３５０】
図３０に表した矢印Ａ３６のように、回収ポンプ２３６が駆動すると、第１の回収ポンプ入口管６５８を流れる水は、回収ポンプ２３６により回収ポンプ出口管６５９に送り出される。回収ポンプ出口管６５９を流れる水は、タンク１０１の内部に導かれる。タンク１０１の内部に導かれる水の温度は、例えば約４５℃程度である。
【０３５１】
図３０に表した矢印Ａ３５のように、湯制御弁１１７が開いているため、タンク１０１内の上部に形成された層の水（例えば約４５℃程度の水）は、混合水導入管１５４を流れ、ガス湯沸かし部２０Ａに供給される。ガス湯沸かし部２０Ａに供給された水は、燃焼装置２０１の内部を流れ、第１のバーナ２０３および第２のバーナ２０４の少なくともいずれかにより加熱される。給湯潜熱熱交換器２０５において加熱された水の温度は、例えば約４５℃程度である。給湯熱交換器２０６Ａにおいて加熱された水の温度は、例えば約８０℃程度である。
【０３５２】
続いて、燃焼装置２０１において加熱された水（湯）は、給湯熱交換器２０６Ａの出口管６０７を流れ、給湯熱交換器２０６Ａの出口管６０７から分岐した風呂熱交換器２０７Ａの接続管６５５に導かれる。図３０に表した矢印Ａ３８のように、風呂熱交換器２０７Ａの接続管６５５を流れる水は、風呂熱交換器２０７Ａの第１の内管６５６に導かれる。風呂熱交換器２０７Ａの第１の内管６５６を流れる水の温度は、例えば約８０℃程度である。風呂熱交換器２０７Ａの第１の内管６５６を流れる水は、中間配管６５３を流れ、第１の回収ポンプ入口管６５８に導かれる。
【０３５３】
一方で、図３０に表した矢印Ａ３７のように、風呂ポンプ２３５が駆動すると、浴槽５０の内部の水は、第１の風呂戻り管６２３と、第２の風呂戻り管６２４と、風呂ポンプ入口管６２６を流れ、風呂ポンプ２３５により風呂ポンプ出口管６１４に送り出される。風呂ポンプ出口管６１４を流れる水は、風呂熱交換器２０７Ａの第２の内管６５７に導かれる。
【０３５４】
このとき、風呂熱交換器２０７Ａの第２の内管６５７を流れる水の温度は、例えば約３０℃程度である。風呂熱交換器２０７Ａの第２の内管６５７を流れる水は、風呂熱交換器２０７Ａの第１の内管６５６を流れる水により加熱される。風呂熱交換器２０７Ａにおいて加熱され、風呂熱交換器２０７Ａから流出して第１の風呂往き管６１９を流れる水の温度は、例えば約６０℃程度である。一方で、風呂熱交換器２０７Ａから流出して中間配管６５３を流れる水の温度は、例えば約４５℃程度である。第１の風呂往き管６１９を流れる水は、第２の風呂往き管６２１を流れ、循環金具（図示せず）を介して浴槽５０に供給される。
【０３５５】
〔第２の追い焚き動作〕
図３１は、本実施形態に係る給湯暖房システムの第２の追い焚き動作を説明する図である。
図３０に関して前述した第１の追い焚き動作では、ガス湯沸かし部２０Ａを用いて浴槽５０から導かれた水を加熱する一方で、図３１を参照して説明する第２の追い焚き動作では、ガス湯沸かし部２０Ａおよびヒートポンプ部３０を用いて浴槽５０から導かれた水を加熱する。図３１に表した塗りつぶし部分は、第２の追い焚き動作において水が流れる管路を表している。
【０３５６】
例えば、浴槽５０の内部に水が残っている状態で使用者が追い焚きボタン（図示せず）を押し、水の温度が比較的低い場合には、制御装置７０は、浴槽５０の内部の水の温度が設定温度と一致するように第２の追い焚き動作の制御を実行する。
【０３５７】
制御装置７０が第２の追い焚き動作の制御を実行すると、風呂ポンプ２３５および回収ポンプ２３６が駆動する。また、制御装置７０は、湯制御弁１１７を開く。さらに、ヒートポンプ部３０の圧縮機３０４は、四方切替弁３０７を介して第１の液体熱交換器３０１に熱媒体を供給する。そのため、第２の追い焚き動作において、第１の液体熱交換器３０１は、暖房機として機能する。一方で、第２の追い焚き動作において、第２の液体熱交換器３０２は、冷房機として機能する。
【０３５８】
図３１に表した矢印Ａ３６のように、回収ポンプ２３６が駆動すると、水が、回収ポンプ２３６により回収ポンプ出口管６５９に送り出される。そして、回収ポンプ出口管６５９を流れる水は、タンク１０１の内部に導かれ、燃焼装置２０１の内部に導かれて加熱され、風呂熱交換器２０７Ａの第１の内管６５６を流れる。これは、図３０に関して前述した第１の追い焚き動作における水の流れと同じである。給湯熱交換器２０６Ａにおいて加熱された水の温度は、例えば約８０℃程度である。また、風呂熱交換器２０７Ａの第１の内管６５６を流れる水の温度は、例えば約８０℃程度である。
【０３５９】
このとき、図３０に関して前述した第１の追い焚き動作と同様に、風呂熱交換器２０７Ａの第２の内管６５７を流れる水は、風呂熱交換器２０７Ａの第１の内管６５６を流れる水により加熱される。風呂熱交換器２０７Ａにおいて加熱され、風呂熱交換器２０７Ａから流出して第１の風呂往き管６１９を流れる水の温度は、例えば約６０℃程度である。一方で、風呂熱交換器２０７Ａから流出して中間配管６５３を流れる水の温度は、例えば約４５℃程度である。第１の風呂往き管６１９を流れる水は、第２の風呂往き管６２１を流れ、循環金具（図示せず）を介して浴槽５０に供給される。
【０３６０】
風呂熱交換器２０７Ａの第１の内管６５６から流出した水は、中間配管６５３を流れ、第３の液体熱交換器２７２の第１の内管６５２に導かれる。このとき、第３の液体熱交換器２７２の第１の内管６５２を流れる水は、第３の液体熱交換器２７２の第２の内管６５４を流れる水により加熱される。
【０３６１】
すなわち、図３１に表した矢印Ａ３３のように、暖房ポンプ２７５が駆動すると、シスターン２３７の内部の水は、シスターン出口管６２９を流れ、暖房ポンプ２７５により暖房ポンプ出口管６６２に送り出される。暖房ポンプ出口管６６２を流れる水は、第１の液体熱交換器３０１および第３の液体熱交換器２７２を通り、シスターン２３７に導かれる。これは、図２４に関して前述した通りである。このとき、第１の液体熱交換器３０１から流出し第１の液体熱交換器３０１の出口管６１６を介して第３の液体熱交換器２７２の第２の内管６５４を流れる水の温度は、例えば約６０℃程度である。一方で、第３の液体熱交換器２７２の第１の内管６５２を流れる水の温度は、例えば約４５℃程度である。これにより、第３の液体熱交換器２７２の第１の内管６５２を流れる水は、第３の液体熱交換器２７２の第２の内管６５４を流れる水により加熱される。
【０３６２】
第３の液体熱交換器２７２から流出して第３の液体熱交換器２７２の接続管６５１を流れる水の温度は、例えば約６０℃程度である。一方で、第３の液体熱交換器２７２から流出して第３の液体熱交換器２７２の出口管６６４を流れる水の温度は、例えば約４５℃程度である。
【０３６３】
図３１に表した矢印Ａ３９のように、第３の液体熱交換器２７２の接続管６５１を流れる水は、給水切替三方弁２７７を介して第１の給水接続管６６７に導かれる。図３１に表した矢印Ａ２６および矢印Ａ２７に表したように、第１の給水接続管６６７を流れる水は、回収切替四方弁２８５を介して第２の回収ポンプ入口管６６６に導かれる。図３１に表した矢印Ａ３６のように、第２の回収ポンプ入口管６６６を流れる水は、第１の回収三方弁２８２を介して第１の回収ポンプ入口管６５８に導かれ、回収ポンプ２３６により回収ポンプ出口管６５９に送り出される。回収ポンプ出口管６５９を流れる水は、タンク１０１の内部に導かれる。タンク１０１の内部に導かれる水の温度は、例えば約６０℃程度である。
【０３６４】
〔第３の追い焚き動作〕
図３２は、本実施形態に係る給湯暖房システムの第３の追い焚き動作を説明する図である。
図３２を参照して説明する第３の追い焚き動作では、ヒートポンプ部３０を用いて浴槽５０から導かれた水を加熱する。図３２に表した塗りつぶし部分は、第３の追い焚き動作において水が流れる管路を表している。
【０３６５】
使用者が自動ボタン（図示せず）を押し、図２８に関して前述した第１の湯張り動作および図２９に関して前述した第２の湯張り動作が完了すると、制御装置７０は、浴槽５０の内部の水の温度を約３０分毎に確認する。浴槽５０の内部の水の温度と、設定温度と、の差が０．５℃以上である場合には、制御装置７０は、浴槽５０の内部の水の温度が設定温度と一致するように第３の追い焚き動作の制御を実行する。図３２を参照して説明する第３の追い焚き動作は、いわゆる自動運転中の保温動作である。
【０３６６】
例えば、制御装置７０は、水位センサ２５５の検出水位に基づいて使用者が浴槽５０に入ったことを検知すると、ヒートポンプ部３０の運転を開始し、浴槽５０の内部の水の温度低下の程度を確認する。そして、例えば夏場のように温度低下の程度が小さい場合には、制御装置７０は、図３２を参照して説明する第３の追い焚き動作の制御を実行する。一方で、例えば冬場のように温度低下の程度が大きい場合には、制御装置７０は、図３１に関して前述した第２の追い焚き動作の制御を実行する。
【０３６７】
制御装置７０が第３の追い焚き動作を実行すると、風呂ポンプ２３５と、回収ポンプ２３６と、暖房ポンプ２７５と、が駆動する。また、ヒートポンプ部３０の圧縮機３０４は、四方切替弁３０７を介して第１の液体熱交換器３０１に熱媒体を供給する。そのため、第３の追い焚き動作において、第１の液体熱交換器３０１は、暖房機として機能する。一方で、第３の追い焚き動作において、第２の液体熱交換器３０２は、冷房機として機能する。
【０３６８】
図３２に表した矢印Ａ３３のように、暖房ポンプ２７５が駆動すると、シスターン２３７の内部の水は、シスターン出口管６２９を流れ、暖房ポンプ２７５により暖房ポンプ出口管６６２に送り出される。暖房ポンプ出口管６６２を流れる水は、第１の液体熱交換器３０１および第３の液体熱交換器２７２を通り、シスターン２３７に導かれる。これは、図２４に関して前述した通りである。このとき、第１の液体熱交換器３０１から流出し第１の液体熱交換器３０１の出口管６１６を流れる水の温度は、例えば約４５℃程度である。
【０３６９】
図３２に表した矢印Ａ３４のように、回収ポンプ２３６が駆動すると、タンク１０１の内部の水は、タンク１０１の下部に接続された給水管１５１を流れ、回収切替四方弁２８５および給水切替三方弁２７７を介して第３の液体熱交換器２７２の接続管６５１に導かれる。図３２に表した矢印Ａ４０のように、第３の液体熱交換器２７２の接続管６５１を流れる水は、第３の液体熱交換器２７２の第１の内管６５２に導かれる。
【０３７０】
このとき、第３の液体熱交換器２７２の第１の内管６５２を流れる水の温度は、例えば約１５℃程度である。そして、第３の液体熱交換器２７２の第１の内管６５２を流れる水は、第３の液体熱交換器２７２の第２の内管６５４を流れる水により加熱される。第３の液体熱交換器２７２において加熱され、第３の液体熱交換器２７２から流出して中間配管６５３を流れる水の温度は、例えば約４５℃程度である。一方で、第３の液体熱交換器２７２から流出して第３の液体熱交換器２７２の出口管６６４を流れる水の温度は、例えば約１５℃程度である。
【０３７１】
中間配管６５３を流れる水は、風呂熱交換器２０７Ａの第１の内管６５６に導かれる。このとき、風呂熱交換器２０７Ａの第２の内管６５７を流れる水は、風呂熱交換器２０７Ａの第１の内管６５６を流れる水により加熱される。
【０３７２】
すなわち、図３２に表した矢印Ａ３７のように、風呂ポンプ２３５が駆動すると、浴槽５０の内部の水は、第１の風呂戻り管６２３と、第２の風呂戻り管６２４と、風呂ポンプ入口管６２６を流れ、風呂ポンプ２３５により風呂ポンプ出口管６１４に送り出される。風呂ポンプ出口管６１４を流れる水は、風呂熱交換器２０７Ａの第２の内管６５７に導かれる。このとき、風呂熱交換器２０７Ａの第２の内管６５７を流れる水の温度は、例えば約３０℃程度である。一方で、風呂熱交換器２０７Ａの第１の内管６５６を流れる水の温度は、例えば約４５℃程度である。これにより、風呂熱交換器２０７Ａの第２の内管６５７を流れる水は、風呂熱交換器２０７Ａの第１の内管６５６を流れる水により加熱される。
【０３７３】
風呂熱交換器２０７Ａにおいて加熱され、風呂熱交換器２０７Ａから流出して第１の風呂往き管６１９を流れる水の温度は、例えば約４５℃程度である。一方で、風呂熱交換器２０７Ａから流出して風呂熱交換器２０７Ａの接続管６５５を流れる水の温度は、例えば約３０℃程度である。第１の風呂往き管６１９を流れる水は、第２の風呂往き管６２１を流れ、循環金具（図示せず）を介して浴槽５０に供給される。
【０３７４】
図３２に表した矢印Ａ４１のように、風呂熱交換器２０７Ａの第１の内管６５６を流れる水は、風呂熱交換器２０７Ａの接続管６５５に導かれる。図３２に表した矢印Ａ２６および矢印Ａ２７のように、風呂熱交換器２０７Ａの接続管６５５を流れる水は、回収切替四方弁２８５を介して第２の回収ポンプ入口管６６６に導かれる。図３２に表した矢印Ａ３６のように、第２の回収ポンプ入口管６６６を流れる水は、第１の回収三方弁２８２を介して第１の回収ポンプ入口管６５８に導かれ、回収ポンプ２３６により回収ポンプ出口管６５９に送り出される。回収ポンプ出口管６５９を受け流れる水は、タンク１０１の内部に導かれる。タンク１０１の内部に導かれる水の温度は、例えば約３０℃程度である。
【０３７５】
〔浴湯熱ヒートポンプ部回収動作〕
図３３および図３４は、本実施形態に係る給湯暖房システムの浴湯熱ヒートポンプ部回収動作を説明する図である。
浴湯熱ヒートポンプ部回収動作は、浴槽５０に残った湯を循環させ、その湯の熱をヒートポンプ部３０を介してタンク１０１に貯留された水で回収する動作である。図３３に表した塗りつぶし部分は、浴湯熱ヒートポンプ部回収動作において水が流れる管路を表している。図３４に表した塗りつぶし部分は、浴湯熱ヒートポンプ部回収動作の途中で給湯動作が割り込まれた場合において水が流れる管路を表している。
【０３７６】
自動運転が終了したときに浴槽５０の内部に湯が残っている場合には、制御装置７０は、浴湯熱ヒートポンプ部回収動作の制御を実行する。自動運転が終了したときに浴槽５０の内部に湯が残っている例としては、例えば、使用者が自動ボタン（図示せず）を押して自動運転を手動で停止させた場合や、保温動作が４時間を経過して自動運転が自動的に停止した場合などが挙げられる。
【０３７７】
制御装置７０が浴湯熱ヒートポンプ部回収動作を実行すると、風呂ポンプ２３５と、回収ポンプ２３６と、暖房ポンプ２７５と、が駆動する。また、ヒートポンプ部３０の圧縮機３０４は、四方切替弁３０７を介して第２の液体熱交換器３０２に熱媒体を供給する。そのため、浴湯熱ヒートポンプ部回収動作において、第１の液体熱交換器３０１は、冷房機として機能する。一方で、浴湯熱ヒートポンプ部回収動作において、第２の液体熱交換器３０２は、暖房機として機能する。
【０３７８】
図３３に表した矢印Ａ３３のように、暖房ポンプ２７５が駆動すると、シスターン２３７の内部の水は、シスターン出口管６２９を流れ、暖房ポンプ２７５により暖房ポンプ出口管６６２に送り出される。暖房ポンプ出口管６６２を流れる水は、第１の液体熱交換器３０１および第３の液体熱交換器２７２を通り、シスターン２３７に導かれる。これは、図２４に関して前述した通りである。このとき、第１の液体熱交換器３０１から流出し第１の液体熱交換器３０１の出口管６１６を流れる水の温度は、例えば約１５℃程度である。
【０３７９】
図３３に表した矢印Ａ２８および矢印Ａ２９のように、回収ポンプ２３６が駆動すると、回収ポンプ２３６から送り出された水は、第２の液体熱交換器３０２の入口管３５６を流れ、第２の液体熱交換器３０２に導かれる。浴湯熱ヒートポンプ部回収動作において、第２の液体熱交換器３０２が暖房機として機能するため、第２の液体熱交換器３０２の内管３５３を流れる水は、第２の液体熱交換器３０２の内部における熱媒体循環路３５１を流れる熱媒体により加熱される。第２の液体熱交換器３０２から流出し第２の液体熱交換器３０２の出口管３５５を流れる水の温度は、例えば約６０℃程度である。
【０３８０】
図３３に表した矢印Ａ３１および矢印Ａ４３のように、第２の液体熱交換器３０２の出口管３５５を流れる水は、第３の回収三方弁２８４を介して回収ポンプ出口管６５９を流れ、タンク１０１の内部に導かれる。タンク１０１の内部に導かれる水の温度は、例えば約６０℃程度である。水制御弁１１４が開いているため、タンク１０１の内部は、タンク１０１の下部に接続された給水管１５１を流れ、混合水導入管１５４を介してガス湯沸かし部２０Ａに供給される。
【０３８１】
ガス湯沸かし部２０Ａに供給された水は、燃焼装置２０１を通過し、給湯熱交換器２０６Ａの出口管６０７に導かれる。このとき、燃焼装置２０１は、燃焼動作を行わない。つまり、燃焼装置２０１を流れる水は、第１のバーナ２０３および第２のバーナ２０４によっては加熱されない。給湯熱交換器２０６Ａの出口管６０７を流れる水は、給水切替三方弁２７７を介して第３の液体熱交換器２７２の接続管６５１に導かれる。図３３に表した矢印Ａ４０のように、第３の液体熱交換器２７２の接続管６５１を流れる水は、第３の液体熱交換器２７２の第１の内管６５２に導かれる。
【０３８２】
このとき、第３の液体熱交換器２７２の第１の内管６５２を流れる水の温度は、例えば約３０℃程度である。そして、第３の液体熱交換器２７２の第１の内管６５２を流れる水は、第３の液体熱交換器２７２の第２の内管６５４を流れる水により冷却される。第３の液体熱交換器２７２において冷却され、第３の液体熱交換器２７２から流出して中間配管６５３を流れる水の温度は、例えば約１５℃程度である。一方で、第３の液体熱交換器２７２から流出して第３の液体熱交換器２７２の出口管６６４を流れる水の温度は、例えば約３０℃程度である。
【０３８３】
中間配管６５３を流れる水は、風呂熱交換器２０７Ａの第１の内管６５６に導かれる。このとき、風呂熱交換器２０７Ａの第１の内管６５６を流れる水は、風呂熱交換器２０７Ａの第２の内管６５７を流れる水により加熱される。
【０３８４】
すなわち、図３３に表した矢印Ａ３７のように、風呂ポンプ２３５が駆動すると、浴槽５０の内部の水は、第１の風呂戻り管６２３と、第２の風呂戻り管６２４と、風呂ポンプ入口管６２６を流れ、風呂ポンプ２３５により風呂ポンプ出口管６１４に送り出される。風呂ポンプ出口管６１４を流れる水は、風呂熱交換器２０７Ａの第２の内管６５７に導かれる。このとき、風呂熱交換器２０７Ａの第２の内管６５７を流れる水の温度は、例えば約４５℃程度である。一方で、風呂熱交換器２０７Ａの第１の内管６５６を流れる水の温度は、例えば約１５℃程度である。これにより、風呂熱交換器２０７Ａの第１の内管６５６を流れる水は、風呂熱交換器２０７Ａの第２の内管６５７を流れる水により加熱される。
【０３８５】
風呂熱交換器２０７Ａにおいて冷却され、風呂熱交換器２０７Ａから流出して第１の風呂往き管６１９を流れる水の温度は、例えば約１５℃程度である。一方で、風呂熱交換器２０７Ａから流出して風呂熱交換器２０７Ａの接続管６５５を流れる水の温度は、例えば約４５℃程度である。第１の風呂往き管６１９を流れる水は、第２の風呂往き管６２１を流れ、循環金具（図示せず）を介して浴槽５０に供給される。
【０３８６】
図３３に表した矢印Ａ４１のように、風呂熱交換器２０７Ａの第１の内管６５６を流れる水は、風呂熱交換器２０７Ａの接続管６５５に導かれる。図３３に表した矢印Ａ２６および矢印Ａ２７のように、風呂熱交換器２０７Ａの接続管６５５を流れる水は、回収切替四方弁２８５を介して第２の回収ポンプ入口管６６６に導かれる。図３３に表した矢印Ａ２８のように、第２の回収ポンプ入口管６６６を流れる水は、第１の回収三方弁２８２を介して第１の回収ポンプ入口管６５８に導かれ、回収ポンプ２３６により第２の液体熱交換器３０２の入口管３５６に送り出される。第２の液体熱交換器３０２の入口管３５６を流れる水の温度は、例えば約４５℃程度である。
【０３８７】
このようにして、浴湯熱ヒートポンプ部回収動作において、浴槽５０に残った湯の熱は、ヒートポンプ部３０を介してタンク１０１に貯留された水で回収される。
【０３８８】
ここで、図３３を参照して説明した浴湯熱ヒートポンプ部回収動作の途中で、給湯動作が割り込まれ実行されることがある。つまり、図３３を参照して説明した浴湯熱ヒートポンプ部回収動作の途中で、給湯栓が開かれることがある。この場合には、図３４に表したように、制御装置７０は、湯制御弁１１７を開き、水制御弁１１４を閉じる制御を実行する。また、制御装置７０は、燃焼装置２０１を作動させる。
【０３８９】
図３４に表した矢印Ａ３５のように、湯制御弁１１７が開き、水制御弁１１４が閉じると、タンク１０１内の上部に形成された層の水（例えば約６０℃程度の水）は、混合水導入管１５４を流れ、ガス湯沸かし部２０Ａに供給される。ガス湯沸かし部２０Ａに供給された水は、燃焼装置２０１の内部を流れ、第１のバーナ２０３および第２のバーナ２０４の少なくともいずれかにより加熱される。給湯潜熱熱交換器２０５において加熱された水の温度は、例えば約６０℃程度である。給湯熱交換器２０６Ａにおいて加熱された水の温度は、例えば約８０℃程度である。
【０３９０】
続いて、燃焼装置２０１において加熱された水（湯）は、給湯熱交換器２０６Ａの出口管６０７および給湯往き管６６１を通り、バイパスサーボ２２２により給湯バイパス管６１１に導かれた水と混合し、湯量サーボ２２４を介して給湯栓に供給される。給湯栓に導かれる水の温度は、例えば約４２℃程度である。制御装置７０は、給湯栓に供給される水の温度が、給湯設定温度と一致するように、第１のバーナ２０３および第２のバーナ２０４の出力を制御するとともに、湯量サーボ２２４の開度を制御する。
【０３９１】
なお、本実施形態に係る給湯暖房システム２Ａの浴湯熱ヒートポンプ部回収動作では、例えばファン３０６などを駆動することで第２の液体熱交換器３０２から流出した熱媒体を冷却しなくとも、浴槽５０に残った湯の熱をヒートポンプ部３０を介してタンク１０１に貯留された水で効率良く回収することができる。すなわち、図３３を参照して説明した浴湯熱ヒートポンプ部回収動作では、矢印Ａ４３のように、第２の液体熱交換器３０２において加熱された水は、回収ポンプ出口管６５９を流れ、タンク１０１の内部に導かれる。タンク１０１の内部の水は、タンク１０１の表面に設けられたプレート熱交換器１０３（例えば図２参照）により加熱されるわけではない。そのため、タンク１０１の内部の水に生ずる対流は、自然対流ではなく強制対流である。そのため、例えばファン３０６などを駆動することで第２の液体熱交換器３０２から流出した熱媒体を冷却しなくとも、浴槽５０に残った湯の熱をヒートポンプ部３０により回収し、比較的高温の水をタンク１０１の内部に貯留することができる。
【０３９２】
例えば、使用者が昼間において約４５℃程度の水を使う頻度は、夜間と比較すると高い。そのため、昼間には、制御装置７０は、ファン３０６を駆動させずに、浴槽５０に残った湯の熱をヒートポンプ部３０により回収し、約４５℃程度の水をタンク１０１の内部に貯留してもよい。また、使用者が約４５℃程度の温度よりも高い温度の水をタンク１０１の内部に貯留したい場合には、制御装置７０は、例えばファン３０６などを駆動することで第２の液体熱交換器３０２から流出した熱媒体を冷却することができる。つまり、約４５℃程度の水がタンク１０１の内部に満たされた後で、使用者が約４５℃程度の温度よりも高い温度の水をタンク１０１の内部に貯留したい場合には、制御装置７０は、例えばファン３０６などを駆動することで第２の液体熱交換器３０２から流出した熱媒体を冷却してもよい。
【０３９３】
一方で、使用者が夜間において約４５℃程度の水を使う頻度は、昼間と比較すると低い。例えば、翌日の朝までには比較的長い時間が存在するため、使用者は、約４５℃程度の温度よりも高い温度の水をタンク１０１の内部に貯留したいと考えることがある。この場合には、制御装置７０は、例えばファン３０６などを駆動することで第２の液体熱交換器３０２から流出した熱媒体を冷却してもよい。これにより、翌日の朝までに、約４５℃程度の温度よりも高い温度の水をタンク１０１の内部に貯留することができる。
【０３９４】
〔浴湯熱回収動作〕
図３５は、本実施形態に係る給湯暖房システムの浴湯熱回収動作を説明する図である。
浴湯熱回収動作は、浴槽５０に残った湯を循環させ、その湯の熱をタンク１０１に貯留された水で回収する動作である。図３５に表した塗りつぶし部分は、浴湯熱回収動作において水が流れる管路を表している。
【０３９５】
自動運転が終了したときに浴槽５０の内部に湯が残っている場合には、制御装置７０は、浴湯熱回収動作の制御を実行する。制御装置７０が浴湯熱回収動作を実行すると、風呂ポンプ２３５および回収ポンプ２３６が駆動する。また、制御装置７０は、水制御弁１１４および風呂切替弁２７８を開く。
【０３９６】
図３５に表した矢印Ａ３７のように、風呂ポンプ２３５が駆動すると、浴槽５０の内部の水は、第１の風呂戻り管６２３と、第２の風呂戻り管６２４と、風呂ポンプ入口管６２６を流れ、風呂ポンプ２３５により風呂ポンプ出口管６１４に送り出される。風呂ポンプ出口管６１４を流れる水は、風呂熱交換器２０７Ａの第２の内管６５７に導かれる。風呂熱交換器２０７Ａの第２の内管６５７を流れる水の温度は、例えば約４０℃程度である。
【０３９７】
一方で、図３５に表した矢印Ａ３６のように、回収ポンプ２３６が駆動すると、第１の回収ポンプ入口管６５８を流れる水は、回収ポンプ２３６により回収ポンプ出口管６５９に送り出される。回収ポンプ出口管６５９を流れる水は、タンク１０１の内部に導かれる。水制御弁１１４が開いているため、タンク１０１の内部は、タンク１０１の下部に接続された給水管１５１を流れ、混合水導入管１５４を介してガス湯沸かし部２０Ａに供給される。
【０３９８】
ガス湯沸かし部２０Ａに供給された水は、燃焼装置２０１を通過し、給湯熱交換器２０６Ａの出口管６０７に導かれる。このとき、燃焼装置２０１は、燃焼動作を行わない。つまり、燃焼装置２０１を流れる水は、第１のバーナ２０３および第２のバーナ２０４によっては加熱されない。給湯熱交換器２０６Ａの出口管６０７を流れる水は、給湯熱交換器２０６Ａの出口管６０７から分岐した風呂熱交換器２０７Ａの接続管６５５に導かれる。図３５に表した矢印Ａ３８のように、風呂熱交換器２０７Ａの接続管６５５を流れる水は、風呂熱交換器２０７Ａの第１の内管６５６に導かれる。風呂熱交換器２０７Ａの第１の内管６５６を流れる水の温度は、例えば約１５℃程度である。
【０３９９】
このとき、風呂熱交換器２０７Ａの第１の内管６５６を流れる水は、風呂熱交換器２０７Ａの第２の内管６５７を流れる水により加熱される。風呂熱交換器２０７Ａにおいて加熱され、風呂熱交換器２０７Ａから流出して中間配管６５３を流れる水の温度は、例えば約４５℃程度である。一方で、風呂熱交換器２０７Ａから流出し第１の風呂往き管６１９を流れる水の温度は、例えば約３０℃程度である。
【０４００】
中間配管６５３を流れる水は、第１の回収ポンプ入口管６５８に導かれる。図３５に表した矢印Ａ３６のように、第１の回収ポンプ入口管６５８を流れる水は、回収ポンプ２３６により回収ポンプ出口管６５９に送り出され、タンク１０１の内部に導かれる。タンク１０１の内部に導かれる水の温度は、例えば約４５℃程度である。
【０４０１】
このようにして、浴湯熱回収動作において、浴槽５０に残った湯の熱は、タンク１０１に貯留された水で回収される。
【０４０２】
なお、本実施形態の給湯暖房システム２Ａでは、暖房経路（暖房系統の管路）および浴槽経路（浴槽系統の管路）は、互いに分離されている。そのため、浴湯熱回収動作が実行された場合であっても、浴槽５０の内部の少なくとも一部の水が、浴槽５０に戻らずシスターン２３７に流れることはなく、シスターン２３７から溢れることはない。
【０４０３】
〔低温暖房動作〕
図３６は、本実施形態に係る給湯暖房システムの低温暖房動作を説明する図である。
低温暖房動作は、低温暖房装置４０２を運転させて居室（床面を含む）を暖房する動作である。図３６に表した塗りつぶし部分は、低温暖房動作において水が流れる管路を表している。
【０４０４】
使用者が低温暖房ボタン（図示せず）を押すと、制御装置７０は、低温暖房装置４０２が設置された居室の温度（例えば床面温度）を急速に上昇させるホットダッシュ運転の制御を実行する。ホットダッシュ運転は、図１４に関して前述した通りである。制御装置７０は、例えば約３０分間にわたってホットダッシュ運転を継続する。また、制御装置７０は、ホットダッシュ運転の開始と略同時にヒートポンプ部３０の運転を開始する。
【０４０５】
制御装置７０が低温暖房動作のうちのホットダッシュ運転の制御を実行すると、回収ポンプ２３６および暖房ポンプ２７５が駆動する。また、制御装置７０は、湯制御弁１１７を開く。
【０４０６】
図３６に表した矢印Ａ３６のように、回収ポンプ２３６が駆動すると、第１の回収ポンプ入口管６５８を流れる水は、回収ポンプ２３６により回収ポンプ出口管６５９に送り出される。回収ポンプ出口管６５９を流れる水は、タンク１０１の内部に導かれる。タンク１０１の内部に導かれる水の温度は、例えば約４５℃程度である。
【０４０７】
図３６に表した矢印Ａ３５のように、湯制御弁１１７が開いているため、タンク１０１内の上部に形成された層の水（例えば約４５℃程度の水）は、混合水導入管１５４を流れ、ガス湯沸かし部２０Ａに供給される。ガス湯沸かし部２０Ａに供給された水は、燃焼装置２０１の内部を流れ、第１のバーナ２０３および第２のバーナ２０４の少なくともいずれかにより加熱される。給湯潜熱熱交換器２０５において加熱された水の温度は、例えば約４５℃程度である。給湯熱交換器２０６Ａにおいて加熱された水の温度は、例えば約８０℃程度である。
【０４０８】
続いて、燃焼装置２０１において加熱された水（湯）は、給湯熱交換器２０６Ａの出口管６０７を流れ、給水切替三方弁２７７を介して第３の液体熱交換器２７２の接続管６５１に導かれる。図３６に表した矢印Ａ４０のように、第３の液体熱交換器２７２の接続管６５１を流れる水は、第３の液体熱交換器２７２の第１の内管６５２に導かれる。第３の液体熱交換器２７２の第１の内管６５２を流れる水の温度は、例えば約８０℃程度である。
【０４０９】
一方で、図３６に表した矢印Ａ３３のように、暖房ポンプ２７５が駆動すると、シスターン２３７の内部の水は、シスターン出口管６２９を流れ、暖房ポンプ２７５により暖房ポンプ出口管６６２に送り出される。暖房ポンプ出口管６６２を流れる水は、第１の液体熱交換器３０１の入口管６１５を介して第１の液体熱交換器３０１の内管３５２に導かれる。第１の液体熱交換器３０１の内管３５２を流れる水は、第１の液体熱交換器３０１の出口管６１６に導かれる。第１の液体熱交換器３０１の出口管６１６を流れる水の温度は、例えば約３０℃程度である。第１の液体熱交換器３０１の出口管６１６を流れる水は、第３の液体熱交換器２７２の第２の内管６５４に導かれる。
【０４１０】
このとき、第３の液体熱交換器２７２の第２の内管６５４を流れる水は、第３の液体熱交換器２７２の第１の内管６５２を流れる水により加熱される。第３の液体熱交換器２７２から流出して第３の液体熱交換器２７２の出口管６６４を流れる水の温度は、例えば約８０℃程度である。一方で、第３の液体熱交換器２７２から流出して中間配管６５３を流れる水の温度は、例えば約４５℃程度である。
【０４１１】
第３の液体熱交換器２７２の出口管６６４を流れる水は、第３の液体熱交換器２７２の出口管６６４から分岐した第１の高温暖房往き管６２７に導かれる。第１の高温暖房往き管６２７を流れる水は、第１の高温暖房往き管６２７から分岐した第１の暖房バイパス管６６３に導かれる。第１の暖房バイパス管６６３を流れる水は、蓄熱四方弁２７９を介して第２の暖房往き管６３５に導かれる。
【０４１２】
第２の暖房往き管６３５を流れる水は、低温往き熱動弁２４１を介して低温暖房装置４０２に供給される。低温暖房装置４０２に供給された水は、液体合流部４０５を介して暖房戻り管６２８に導かれてシスターン２３７に戻る。
【０４１３】
一方で、第３の液体熱交換器２７２から流出して中間配管６５３を流れる水は、第１の回収ポンプ入口管６５８に導かれる。図３６に表した矢印Ａ３６のように、第１の回収ポンプ入口管６５８を流れる水は、回収ポンプ２３６により回収ポンプ出口管６５９に送り出される。
【０４１４】
居室が冷えている場合において、低温暖房動作のうちのホットダッシュ運転が開始された直後では、低温暖房装置４０２に供給された約８０℃程度の温度の水は、冷やされ、冷たい水としてシスターン２３７に戻る。ヒートポンプ部３０は、運転開始から所定時間が経過すると、熱交換を行う能力を有する。このとき、ヒートポンプ部３０の圧縮機３０４は、四方切替弁３０７を介して第１の液体熱交換器３０１に熱媒体を供給する。そのため、低温暖房動作において、第１の液体熱交換器３０１は、暖房機として機能する。一方で、低温暖房動作において、第２の液体熱交換器３０２は、冷房機として機能する。そして、ホットダッシュ運転の時間が経過してしばらくすると、シスターン２３７に戻る水の温度が上昇し始める。
【０４１５】
そこで、制御装置７０は、使用者が低温暖房ボタン（図示せず）を押してから例えば約３０分間にわたってホットダッシュ運転を行った後、定常運転の制御を実行する。定常運転は、図１４に関して前述した通りである。
【０４１６】
低温暖房動作のうちの定常運転において水が流れる管路は、低温暖房動作のうちのホットダッシュ運転において水が流れる管路と同じである。ホットダッシュ運転では、第１の液体熱交換器３０１を流れる水は加熱されない一方で、定常運転では、第１の液体熱交換器３０１を流れる水は、第１の液体熱交換器３０１の内部における熱媒体循環路３５１を流れる熱媒体により加熱される。第１の液体熱交換器３０１から流出し第１の液体熱交換器３０１の出口管６１６を流れる水の温度は、例えば約４５℃程度である。
【０４１７】
第１の液体熱交換器３０１の出口管６１６を流れる水は、第３の液体熱交換器２７２の第２の内管６５４に導かれる。このとき、第３の液体熱交換器２７２の第２の内管６５４を流れる水は、第３の液体熱交換器２７２の第１の内管６５２を流れる水により加熱される。第３の液体熱交換器２７２から流出して第３の液体熱交換器２７２の出口管６６４を流れる水の温度は、例えば約６０℃程度である。これにより、例えば約６０℃程度の温度の水が低温暖房装置４０２に供給される。
【０４１８】
〔低温低負荷暖房動作〕
図３７および図３８は、本実施形態に係る給湯暖房システムの低温低負荷暖房動作を説明する図である。
低温低負荷暖房動作は、ヒートポンプ部３０を用いて、低温暖房装置４０２を運転させて居室（床面を含む）を暖房する動作である。図３７および図３８に表した塗りつぶし部分は、低温低負荷暖房動作において水が流れる管路を表している。
【０４１９】
図３６に関して前述したように、低温暖房動作のうちの定常運転においては、例えば約６０℃程度の温度の水が低温暖房装置４０２に供給される。ここで、居室の温度の過度の上昇を抑えるため、制御装置７０は、低温低負荷暖房動作の制御を実行する。低温低負荷暖房動作では、例えば約４０℃程度の温度の水が低温暖房装置４０２に供給される。
【０４２０】
図３７に表したように、制御装置７０が低温低負荷暖房動作の制御を実行すると、暖房ポンプ２７５が駆動する。また、ヒートポンプ部３０の圧縮機３０４は、四方切替弁３０７を介して第１の液体熱交換器３０１に熱媒体を供給する。そのため、低温低負荷暖房動作において、第１の液体熱交換器３０１は、暖房機として機能する。一方で、低温低負荷暖房動作において、第２の液体熱交換器３０２は、冷房機として機能する。
【０４２１】
図３７に表した矢印Ａ３３のように、暖房ポンプ２７５が駆動すると、シスターン２３７の内部の水は、シスターン出口管６２９を流れ、暖房ポンプ２７５により暖房ポンプ出口管６６２に送り出される。暖房ポンプ出口管６６２に送り出された水は、第１の液体熱交換器３０１の入口管６１５を流れ、第１の液体熱交換器３０１の内管３５２に導かれる。
【０４２２】
第１の液体熱交換器３０１の内管３５２を流れる水は、第１の液体熱交換器３０１において加熱される。第１の液体熱交換器３０１の出口管６１６を流れる水の温度は、例えば約４５℃程度である。第１の液体熱交換器３０１から流出した水は、ヒートポンプ出口三方弁２４４Ａを介して第１の暖房往き管６１７に導かれる。第１の暖房往き管６１７を流れる水は、蓄熱四方弁２７９を介して第２の暖房往き管６３５に導かれる。
【０４２３】
第２の暖房往き管６３５を流れる水は、低温往き熱動弁２４１を介して低温暖房装置４０２に供給される。これにより、例えば約４０℃程度の温度の水が低温暖房装置４０２に供給される。低温暖房装置４０２に供給された水は、液体合流部４０５を介して暖房戻り管６２８に導かれてシスターン２３７に戻る。低温低負荷暖房動作では、ヒートポンプ部３０を用いて低温暖房装置４０２を運転させるため、エネルギー効率の向上を図ることができる。
【０４２４】
例えば居室の断熱性能が比較的高い場合には、低温暖房装置４０２に供給される水の温度が例えば約４０℃程度であっても、居室の温度が過度に上昇することがある。この場合には、図３８に表したように、制御装置７０は、ヒートポンプ部３０の運転開始／運転停止の制御ではなく、第１の液体熱交換器３０１において加熱された水を第３の液体熱交換器２７２に導く。すなわち、第１の液体熱交換器３０１から流出した水は、ヒートポンプ出口三方弁２４４Ａを介して第１の液体熱交換器３０１の出口管６１６を流れ、第３の液体熱交換器２７２に導かれる。
【０４２５】
一方で、制御装置７０は、回収ポンプ２３６の運転を開始する。回収ポンプ２３６が駆動すると、タンク１０１の下部から流出した水は、回収切替四方弁２８５を介して第１の給水接続管６６７を流れ、図３８に表した矢印Ａ４０のように、給水切替三方弁２７７を介して第３の液体熱交換器２７２の接続管６５１に導かれる。第３の液体熱交換器２７２の接続管６５１を流れた水は、第３の液体熱交換器２７２の第１の内管６５２に導かれる。このとき、第３の液体熱交換器２７２の第２の内管６５４を流れる水は、第３の液体熱交換器２７２の第２の内管６５４を流れる水により加熱される。第３の液体熱交換器２７２から流出して中間配管６５３を流れる水の温度は、例えば約４５℃程度である。
【０４２６】
第３の液体熱交換器２７２から流出して中間配管６５３を流れる水は、第１の回収ポンプ入口管６５８に導かれる。図３８に表した矢印Ａ３６のように、第１の回収ポンプ入口管６５８を流れる水は、回収ポンプ２３６により回収ポンプ出口管６５９に送り出される。回収ポンプ出口管６５９を流れる水は、タンク１０１の内部に導かれる。タンク１０１の内部に導かれる水の温度は、例えば約４５℃程度である。
【０４２７】
このようにして、制御装置７０は、ヒートポンプ出口三方弁２４４Ａを切り替えることより、第１の液体熱交換器３０１において加熱された水が低温暖房装置４０２に導かれる状態と、第３の液体熱交換器２７２に導かれる状態と、を切り替える。これにより、低温低負荷暖房動作では、居室温度の過度の上昇が抑えられるとともに、ヒートポンプ部３０の効率の低下が抑えられる。
【０４２８】
〔第１の高温暖房動作〕
図３９は、本実施形態に係る給湯暖房システムの第１の高温暖房動作を説明する図である。
第１の高温暖房動作は、高温暖房装置４０１を運転させて居室（例えば浴室など）を暖房する動作である。図３９に表した塗りつぶし部分は、第１の高温暖房動作において水が流れる管路を表している。
【０４２９】
使用者が高温暖房ボタン（図示せず）を押すと、制御装置７０は、第１の高温暖房動作の制御を実行する。制御装置７０が第１の高温暖房動作の制御を実行すると、回収ポンプ２３６および暖房ポンプ２７５が駆動する。また、制御装置７０は、湯制御弁１１７を開く。
【０４３０】
第１の高温暖房動作において回収ポンプ２３６が駆動したときの水の流れは、図３６に関して前述した低温暖房動作において回収ポンプ２３６が駆動したときの水の流れと同じである。但し、第１の高温暖房動作において、タンク１０１の内部に導かれる水の温度は、例えば約６０℃程度である。そのため、混合水導入管１５４を流れ、ガス湯沸かし部２０Ａに供給される水の温度は、例えば約６０℃程度である。また、給湯熱交換器２０６Ａにおいて加熱された水の温度は、例えば約８０℃程度である。
【０４３１】
一方で、図３６に表した矢印Ａ３３のように、暖房ポンプ２７５が駆動すると、シスターン２３７の内部の水は、シスターン出口管６２９を流れ、暖房ポンプ２７５により暖房ポンプ出口管６６２に送り出される。暖房ポンプ出口管６６２を流れる水は、ヒートポンプ入口三方弁２４３を介して第２の暖房バイパス管６６５に導かれる。すなわち、暖房ポンプ出口管６６２を流れる水は、第１の液体熱交換器３０１を通らない。  
【０４３２】
第２の暖房バイパス管６６５を流れる水は、第１の液体熱交換器３０１の出口管６１６に導かれる。第１の液体熱交換器３０１の出口管６１６を流れる水の温度は、例えば約３０℃程度である。第１の液体熱交換器３０１の出口管６１６を流れる水は、第３の液体熱交換器２７２の第２の内管６５４に導かれる。
【０４３３】
このとき、第３の液体熱交換器２７２の第２の内管６５４を流れる水は、第３の液体熱交換器２７２の第１の内管６５２を流れる水により加熱される。第３の液体熱交換器２７２から流出して第３の液体熱交換器２７２の出口管６６４を流れる水の温度は、例えば約８０℃程度である。一方で、第３の液体熱交換器２７２から流出して中間配管６５３を流れる水の温度は、例えば約６０℃程度である。
【０４３４】
第３の液体熱交換器２７２の出口管６６４を流れる水は、第３の液体熱交換器２７２の出口管６６４から分岐した第１の高温暖房往き管６２７と、蓄熱四方弁２７９を介して第１の暖房バイパス管６６３と、に導かれる。第１の暖房バイパス管６６３を流れる水は、第１の高温暖房往き管６２７を流れる水と合流し、第２の高温暖房往き管４５１を流れて高温暖房装置４０１に供給される。高温暖房装置４０１に供給される水の温度は、例えば約８０℃程度である。高温暖房装置４０１に供給された水は、液体合流部４０５を介して暖房戻り管６２８に導かれてシスターン２３７に戻る。
【０４３５】
〔第２の高温暖房動作〕
図４０は、本実施形態に係る給湯暖房システムの第２の高温暖房動作を説明する図である。
図４０を参照して説明する第２の高温暖房動作は、図３９に関して前述した第１の高温暖房動作と同様に、高温暖房装置４０１を運転させて居室（例えば浴室など）を暖房する動作である。図４０に表した塗りつぶし部分は、第２の高温暖房動作において水が流れる管路を表している。
【０４３６】
使用者が高温暖房ボタン（図示せず）を押したときに、ヒートポンプ部３０が運転中である場合には、制御装置７０は、図４０を参照して説明する第２の高温暖房動作の制御を実行する。制御装置７０が第２の高温暖房動作の制御を実行すると、回収ポンプ２３６および暖房ポンプ２７５が駆動する。また、制御装置７０は、湯制御弁１１７を開く。さらに、ヒートポンプ部３０の圧縮機３０４は、四方切替弁３０７を介して第１の液体熱交換器３０１に熱媒体を供給する。そのため、第２の高温暖房動作において、第１の液体熱交換器３０１は、暖房機として機能する。一方で、第２の高温暖房動作において、第２の液体熱交換器３０２は、冷房機として機能する。
【０４３７】
第２の高温暖房動作において回収ポンプ２３６が駆動したときの水の流れは、図３９に関して前述した第１の高温暖房動作において回収ポンプ２３６が駆動したときの水の流れと同じである。管路を流れる水の温度は、図３９に関して前述した第１の高温暖房動作において管路を流れる水の温度と同じである。すなわち、タンク１０１の内部に導かれる水の温度は、例えば約６０℃程度である。混合水導入管１５４を流れ、ガス湯沸かし部２０Ａに供給される水の温度は、例えば約６０℃程度である。また、給湯熱交換器２０６Ａにおいて加熱された水の温度は、例えば約８０℃程度である。
【０４３８】
一方で、図３６に表した矢印Ａ３３のように、暖房ポンプ２７５が駆動すると、シスターン２３７の内部の水は、シスターン出口管６２９を流れ、暖房ポンプ２７５により暖房ポンプ出口管６６２に送り出される。暖房ポンプ出口管６６２を流れる水は、第１の液体熱交換器３０１の入口管６１５を介して第１の液体熱交換器３０１の内管３５２に導かれる。
【０４３９】
このとき、第１の液体熱交換器３０１の内管３５２を流れる水は、第１の液体熱交換器３０１の内部における熱媒体循環路３５１を流れる熱媒体により加熱される。第１の液体熱交換器３０１から流出し第１の液体熱交換器３０１の出口管６１６を流れる水の温度は、例えば約４５℃程度である。
【０４４０】
第１の液体熱交換器３０１の出口管６１６を流れる水は、第３の液体熱交換器２７２の第２の内管６５４に導かれる。このとき、第３の液体熱交換器２７２の第２の内管６５４を流れる水は、第３の液体熱交換器２７２の第１の内管６５２を流れる水により加熱される。第３の液体熱交換器２７２から流出して第３の液体熱交換器２７２の出口管６６４を流れる水の温度は、例えば約８０℃程度である。これにより、例えば約８０℃程度の温度の水が高温暖房装置４０１に供給される。なお、例えば約８０℃程度の温度の水が高温暖房装置４０１に供給され、シスターン２３７に戻るときの管路は、図３９に関して前述した第１の高温暖房動作における管路と同じである。
【０４４１】
〔第１のヒートポンプ部停止動作〕
図４１と図２４は、本実施形態に係る給湯暖房システムの第１のヒートポンプ部停止動作を説明する図である。
図４１は、制御装置７０が、ヒートポンプ部３０を用いて、低温暖房装置４０２に湯を送ることで、床暖房動作（低温低負荷暖房動作）実行している例を示している。あるいは、制御装置７０は、ヒートポンプ出口三方弁２４４Ａを切り替えることにより、第１の液体熱交換器３０１において加熱された水が低温暖房装置４０２に導かれる状態と、第３の液体熱交換器２７２に導かれる状態と、を切り替えてもよい。この場合には、図４１は、制御装置７０が、ヒートポンプ部３０を用いて、低温暖房装置４０２と第３の液体熱交換器２７２とに交互に湯を送ることで、床暖房動作（低温低負荷暖房動作）とタンク１０１の内部の水を加熱する動作とを交互に実行している例を示している。
【０４４２】
図４１に示すように、制御装置７０が低温低負荷暖房動作の制御を実行すると、暖房ポンプ２７５の駆動を開始する。そうすると、シスターン２３７の内部の水は、シスターン出口管６２９を流れ、暖房ポンプ２７５により暖房ポンプ出口管６６２に送り出される。暖房ポンプ出口管６６２を流れる水は、第１の液体熱交換器３０１の入口管６１５を介して第１の液体熱交換器３０１の内管３５２に導かれる。このとき、第１の液体熱交換器３０１は、暖房機として機能している。本実施形態の第１の液体熱交換器３０１は、本発明の「液体熱交換器」に相当する。そのため、第１の液体熱交換器３０１の内管３５２を流れる水は、第１の液体熱交換器３０１の内部における熱媒体循環路３５１を流れる熱媒体により加熱される。第１の液体熱交換器３０１から流出した水の温度は、例えば約４５℃程度である。
【０４４３】
第１の液体熱交換器３０１から流出した水は、第１の液体熱交換器３０１の出口管６１６を流れ、第１の暖房往き管６１７に導かれる。第１の暖房往き管６１７を流れる水は、蓄熱四方弁２７９と、第２の暖房往き管６３５と、低温往き熱動弁２４１と、を介して低温暖房装置４０２に供給される。これにより、例えば約４５℃程度の温度の水が低温暖房装置４０２に供給される。低温低負荷暖房動作では、ヒートポンプ部３０を用いて低温暖房装置４０２を運転させるため、エネルギー効率の向上を図ることができる。
【０４４４】
あるいは、制御装置７０は、第１の液体熱交換器３０１において加熱された水が低温暖房装置４０２に導かれる状態と、第３の液体熱交換器２７２に導かれる状態と、を切り替えてもよい。例えば居室の断熱性能が比較的高い場合には、低温暖房装置４０２に供給される水の温度が例えば約４０℃程度であっても、居室の温度が過度に上昇することがある。この場合には、制御装置７０は、ヒートポンプ部３０の運転開始／運転停止の制御ではなく、第１の液体熱交換器３０１において加熱された水を第３の液体熱交換器２７２に導く。すなわち、図２４に関して前述したように、第１の液体熱交換器３０１から流出した水は、第１の液体熱交換器３０１の出口管６１６を流れ、第３の液体熱交換器２７２の第２の内管６５４に導かれる。第３の液体熱交換器２７２の第２の内管６５４を流れる水は、第３の液体熱交換器２７２の出口管６６４と、第１の低温能力管６３２と、第２の低温能力管６３３と、を流れ、シスターン２３７に導かれる。
【０４４５】
一方で、図２４に表した矢印Ａ３４のように、回収ポンプ２３６が駆動すると、タンク１０１の内部の水は、タンク１０１の下部に接続された給水管１５１を流れ、回収切替四方弁２８５および給水切替三方弁２７７を介して第３の液体熱交換器２７２の接続管６５１に導かれる。第３の液体熱交換器２７２の接続管６５１を流れる水は、第３の液体熱交換器２７２の第１の内管６５２に導かれる。
【０４４６】
このとき、第３の液体熱交換器２７２の第１の内管６５２を流れる水の温度は、例えば約１５℃程度である。そして、第３の液体熱交換器２７２の第１の内管６５２を流れる水は、第３の液体熱交換器２７２の第２の内管６５４を流れる水により加熱される。第３の液体熱交換器２７２において加熱され、第３の液体熱交換器２７２から流出して中間配管６５３を流れる水の温度は、例えば約４５℃程度である。一方で、第３の液体熱交換器２７２から流出して第３の液体熱交換器２７２の出口管６６４を流れる水の温度は、例えば約１５℃程度である。
【０４４７】
中間配管６５３を流れる水は、第１の回収ポンプ入口管６５８を流れ、回収ポンプ２３６により回収ポンプ出口管６５９に送り出される。回収ポンプ出口管６５９を流れる水は、タンク１０１の内部に導かれる。これにより、タンク１０１内の上部には、高温（例えば約４５℃程度）の水の層が形成される。タンク１０１内の下部には、低温（例えば約１５℃程度）の水の層が形成される。
【０４４８】
ここで、給湯暖房システム２Ａが低温暖房装置４０２を用いて低温暖房装置４０２による暖房運転を行っている際に、使用者がスイッチを押して暖房運転（床暖房の運転）を停止し、ヒートポンプ部３０の運転を停止することがある。ヒートポンプ部３０の運転が停止した場合には、暖房機として機能していた第１の液体熱交換器３０１での放熱が止まる。このため、第１の液体熱交換器３０１内では、液体状態の熱媒体の量が少なくなる。一方で、第２の液体熱交換器３０２内では、液体状態の熱媒体の量が増える。
【０４４９】
その後、使用者が再びスイッチを押して低温暖房装置４０２により暖房運転を行うと、ヒートポンプ部３０の圧縮機３０４が動いても第２の液体熱交換器３０２内で液体状態になっている熱媒体の隙間を、気体状態の熱媒体が通過して圧縮機３０４に吸い込まれてしまう。
【０４５０】
ヒートポンプ部３０の運転がしばらく継続すると、第２の液体熱交換器３０２内における熱媒体循環路３５１の内壁にへばりついていた液体状態の熱媒体が、圧縮機３０４に吸い込まれる気体状態の熱媒体に押されて動き、圧縮機３０４に吸い込まれる。しかし、その間（例えば１０分間位）では、第1の液体熱交換器３０１では熱媒体不足が生じることで能力低下状態が続いてしまい、暖房の定常運転ができるのはそれ以降になってしまう。このため、ヒートポンプ部３０の次回の運転開始時において、運転能力が回復するのには時間を要してしまう。そのため、ヒートポンプ部３０の運転効率が悪化してしまう。
【０４５１】
これに対して、本実施形態に係る給湯暖房システム２Ａでは、制御装置７０は、ヒートポンプ部３０の暖房運転を実行しているときに、暖房運転を停止する信号を受信すると、第１の液体熱交換器３０１の熱を移動させ、第１の液体熱交換器３０１の内部における熱媒体を冷却する動作の制御を実行する。具体的には、制御装置７０は、ヒートポンプ部３０の暖房運転を実行しているときに、ヒートポンプ部３０の暖房運転を停止する信号を受信すると、ヒートポンプ出口三方弁２４４Ａを制御し、第１の液体熱交換器３０１の出口管６１６を流れる水が、第３の液体熱交換器２７２の第２の内管６５４に導かれる状態に設定する。すなわち、制御装置７０は、ヒートポンプ部３０の暖房運転を実行しているときに、ヒートポンプ部３０の暖房運転を停止する信号を受信すると、図２４に関して前述した給水予熱動作の制御と同様の制御を実行する。この場合において、図２４に関して前述した給水予熱動作の制御と異なる点は、制御装置７０が、給水予熱動作に入ってからヒートポンプ部３０の暖房運転を停止（圧縮機３０４を停止）させ、給水予熱動作を継続実施している点である。なお、「ヒートポンプ部３０の暖房運転」は、第１の液体熱交換器３０１を暖房機として機能させる運転に相当する。
【０４５２】
すなわち、使用者が外出時にヒートポンプ部３０を停止させる場合において、制御装置７０は、ヒートポンプ部３０の暖房運転を実行しているときに、ヒートポンプ部３０の暖房運転を停止する信号を受信すると、回収ポンプ２３６および暖房ポンプ２７５を駆動する。あるいは、制御装置７０は、回収ポンプ２３６および暖房ポンプ２７５の運転を継続する。また、制御装置７０は、ヒートポンプ出口三方弁２４４Ａを制御し、第１の液体熱交換器３０１の出口管６１６を流れる水が第３の液体熱交換器２７２の第２の内管６５４に導かれる状態に設定する。また、制御装置７０は、低温往き熱動弁２４１を閉じる。
【０４５３】
図２４に示すように、制御装置７０が暖房ポンプ２７５を駆動すると、シスターン２３７の内部の水は、シスターン出口管６２９を流れ、暖房ポンプ２７５により暖房ポンプ出口管６６２に送り出される。暖房ポンプ出口管６６２を流れる水は、第１の液体熱交換器３０１の入口管６１５を介して第１の液体熱交換器３０１の内管３５２に導かれる。第１の液体熱交換器３０１の内管３５２を流れる水は、第１の液体熱交換器３０１の内部における熱媒体循環路３５１を流れる熱媒体により加熱される。第１の液体熱交換器３０１から流出した水の温度は、例えば約４５℃程度である。
【０４５４】
第１の液体熱交換器３０１から流出した水は、第１の液体熱交換器３０１の出口管６１６を流れ、第３の液体熱交換器２７２の第２の内管６５４に導かれる。第３の液体熱交換器２７２の第２の内管６５４を流れる水は、第３の液体熱交換器２７２の出口管６６４と、第１の低温能力管６３２と、第２の低温能力管６３３と、を流れ、シスターン２３７に導かれる。
【０４５５】
一方で、制御装置７０が回収ポンプ２３６を駆動すると、タンク１０１の内部の水は、タンク１０１の下部に接続された給水管１５１を流れ、回収切替四方弁２８５および給水切替三方弁２７７を介して第３の液体熱交換器２７２の接続管６５１に導かれる。第３の液体熱交換器２７２の接続管６５１を流れる水は、第３の液体熱交換器２７２の第１の内管６５２に導かれる。
【０４５６】
このとき、第３の液体熱交換器２７２の第１の内管６５２を流れる水の温度は、例えば約１５℃程度である。そして、第３の液体熱交換器２７２の第１の内管６５２を流れる水は、第３の液体熱交換器２７２の第２の内管６５４を流れる水により加熱される。第３の液体熱交換器２７２において加熱され、第３の液体熱交換器２７２から流出して中間配管６５３を流れる水の温度は、例えば約４５℃程度である。一方で、第３の液体熱交換器２７２から流出して第３の液体熱交換器２７２の出口管６６４を流れる水の温度は、例えば約１５℃程度である。
【０４５７】
中間配管６５３を流れる水は、第１の回収ポンプ入口管６５８を流れ、回収ポンプ２３６により回収ポンプ出口管６５９に送り出される。回収ポンプ出口管６５９を流れる水は、タンク１０１の内部に導かれる。つまり、例えば約４５℃程度の温度の水がタンク１０１の内部に導かれる。これにより、使用者が外出時にヒートポンプ部３０を停止させる場合において、制御装置７０は、ヒートポンプ部３０の暖房運転を実行しているときに、ヒートポンプ部３０の暖房運転を停止する信号を受信すると、第１の液体熱交換器３０１の熱を第３の液体熱交換器２７２を介してタンク部１０に移動させタンク１０１の内部の水を加熱する動作の制御を実行する。
【０４５８】
このようにして、制御装置７０は、低温低負荷暖房動作の制御を給水予熱動作の制御に切り替えて実行することで、第１の液体熱交換器３０１内の残った熱をタンク１０１内の水において熱回収する。つまり、第１の液体熱交換器３０１の内管３５２内に残っている熱い湯の熱は、第３の液体熱交換器２７２を介してタンク１０１内の水に移動することで、第１の液体熱交換器３０１の内管３５２内に残っていた熱い湯は、温度を下げることができる。
【０４５９】
これにより、ヒートポンプ部３０の暖房運転が停止された場合であっても、第１の熱交換器３０１内において液体状態の熱媒体の量を確保することができる。すなわち、ヒートポンプ部３０の第１の液体熱交換器３０１内の熱媒体を液体の状態で留めておくことができる。そのため、ヒートポンプ部３０の次回の運転開始時において、液体の熱媒体がヒートポンプ部３０の第１の液体熱交換器３０１内に存在するため、ヒートポンプ部３０を起動する際に運転能力が回復するための時間を短縮することができる。これにより、ヒートポンプ部３０の運転効率を高めることができる。
【０４６０】
〔第２のヒートポンプ部停止動作〕
図４２は、本実施形態に係る給湯暖房システムの第２のヒートポンプ部停止動作を説明する図である。
続いて、図４２を参照して、給湯暖房システム２Ａにおいて、制御装置７０がヒートポンプ部３０の暖房運転により浴槽５０内の湯を加熱する追い焚き動作を実行しているときに、ヒートポンプ部３０を停止する動作について説明する。
【０４６１】
図４２に示す第２のヒートポンプ部停止動作では、制御装置７０は、追い焚き動作を実行して、ヒートポンプ部３０を用いて、浴槽５０から導かれた水を加熱する。例えば、浴槽５０の内部に水が残っている状態で使用者が追い焚きボタン（図示せず）を押し、水の温度が比較的低い場合には、制御装置７０は、浴槽５０の内部の水の温度が、例えば４２℃の設定温度になるように、追い焚き動作の制御を実行する。
【０４６２】
制御装置７０が追い焚き動作の制御を実行すると、風呂ポンプ２３５と回収ポンプ２３６と暖房ポンプ２７５との駆動を開始する。また、制御装置７０は、湯制御弁１１７を開く。さらに、ヒートポンプ部３０の圧縮機３０４は、四方切替弁３０７を介して第１の液体熱交換器３０１に熱媒体を供給する。そのため、追い焚き動作において、第１の液体熱交換器３０１は、暖房機として機能し、第２の液体熱交換器３０２は、冷房機として機能する。
【０４６３】
制御装置７０が暖房ポンプ２７５を駆動すると、シスターン２３７の内部の水は、シスターン出口管６２９を流れ、暖房ポンプ２７５により暖房ポンプ出口管６６２に送り出される。暖房ポンプ出口管６６２を流れる水は、第１の液体熱交換器３０１の入口管６１５を介して第１の液体熱交換器３０１の内管３５２に導かれる。このとき、第１の液体熱交換器３０１は、暖房機として機能している。そのため、第１の液体熱交換器３０１の内管３５２を流れる水は、第１の液体熱交換器３０１の内部における熱媒体循環路３５１を流れる熱媒体により加熱される。第１の液体熱交換器３０１から流出した水の温度は、例えば約４５℃程度である。
【０４６４】
第１の液体熱交換器３０１から流出した水は、第１の液体熱交換器３０１の出口管６１６を流れ、第３の液体熱交換器２７２の第２の内管６５４に導かれる。第３の液体熱交換器２７２の第２の内管６５４を流れる水は、第３の液体熱交換器２７２の出口管６６４と、第１の低温能力管６３２と、第２の低温能力管６３３と、を流れ、シスターン２３７に導かれる。
【０４６５】
また、制御装置７０が回収ポンプ２３６を駆動すると、水が、回収ポンプ２３６により回収ポンプ出口管６５９に送り出される。そして、回収ポンプ出口管６５９を流れる水は、タンク１０１の内部に導かれる。タンク１０１の内部に導かれた水は、燃焼装置２０１の内部に導かれ、給湯熱交換器２０６Ａの入口管６０６と出口管６０７と、第３の液体熱交換器２７２の第１の内管６５２と、風呂熱交換器２０７Ａの第１の内管６５６と、を流れる。このとき、第３の液体熱交換器２７２の第１の内管６５２を流れる水は、第３の液体熱交換器２７２の第２の内管６５４を流れる水により加熱される。第３の液体熱交換器２７２において加熱され中間配管６５３を流れる水の温度は、例えば約４５℃程度である。中間配管６５３を流れる水は、風呂熱交換器２０７Ａの第１の内管６５６と、接続管６５５と、第２の回収ポンプ入口管６６６と、を介して、回収ポンプ２３６に導かれる。
【０４６６】
また、制御装置７０が風呂ポンプ２３５を駆動すると、浴槽５０の内部の水は、第１の風呂戻り管６２３と、第２の風呂戻り管６２４と、風呂ポンプ入口管６２６と、を流れ、風呂ポンプ２３５により風呂ポンプ出口管６１４に送り出される。風呂ポンプ出口管６１４を流れる水は、風呂熱交換器２０７Ａの第２の内管６５７に導かれる。
【０４６７】
このとき、風呂熱交換器２０７Ａの第２の内管６５７を流れる水は、風呂熱交換器２０７Ａの第１の内管６５６を流れる水により加熱される。風呂熱交換器２０７Ａにおいて加熱され、風呂熱交換器２０７Ａから流出して第１の風呂往き管６１９を流れる水の温度は、例えば約４５℃程度である。第１の風呂往き管６１９を流れる水は、第２の風呂往き管６２１を流れ、循環金具（図示せず）を介して浴槽５０に供給される。
【０４６８】
ここで、浴槽５０内の湯の温度が設定温度に到達し、ヒートポンプ部３０の暖房運転が停止すると、ヒートポンプ部３０の第１の液体熱交換器３０１での放熱が止まる。そうすると、図４１に関して前述した床暖房運転の場合と同様に、ヒートポンプ部３０の次回の運転開始時において、運転能力が回復するために時間を要してしまう。そのため、ヒートポンプ部３０の運転効率が悪化してしまう。
【０４６９】
これに対して、本実施形態に係る給湯暖房システム２Ａでは、制御装置７０は、浴槽５０の内部の水の温度と設定温度との間の差が所定温度（例えば０．５℃）以内になるとヒートポンプ部３０の暖房運転を停止するとともに風呂ポンプ２３５および暖房ポンプ２７５の運転を継続する。「所定温度」は、例えば約０．５℃程度である。つまり、制御装置７０は、ヒートポンプ部３０の運転中に、利用者が入浴している場合でも、浴槽５０内の水の温度が例えば４１．５℃になった時点で圧縮機３０７およびファン３０６の運転を停止して気体熱交換器３０３を高温状態とするとともに、風呂ポンプ２３５およびダンボポンプ２７５の運転を継続する。このように、第２のヒートポンプ部停止動作では、所定温度以内の温度に関する信号が「ヒートポンプ部３０の暖房運転を停止する信号」に相当する。続いて、制御装置７０は、浴槽５０の内部の水の温度が設定温度に到達すると風呂ポンプ２３５および暖房ポンプ２７５の運転を停止する動作の制御を実行する。
【０４７０】
このように、制御装置７０は、浴槽５０の内部の水の温度と設定温度との間の差が所定温度以内になると、ヒートポンプ部３０の暖房運転を停止するとともに風呂ポンプ２３５および暖房ポンプ２７５の運転を継続する。これにより、第１の液体熱交換器３０１の内部における熱媒体を冷却することができる。また、制御装置７０は、浴槽５０の内部の水の温度が設定温度に到達すると風呂ポンプ２３５および暖房ポンプ２７５の運転を停止する。つまり、制御装置７０は、ヒートポンプ部３０の暖房運転を停止した後に、風呂ポンプ２３５および暖房ポンプ２７５の運転を停止する。そのため、浴槽５０の内部の水の温度を上昇させるための熱として第１の液体熱交換器３０１の残熱を利用することができる。これにより、熱エネルギーの損失を抑え、熱効率を高めることができる。また、第１の液体熱交換器３０１の内部における熱媒体を冷却することができるため、ヒートポンプ部３０の暖房運転が停止された場合であっても、第１の液体熱交換器３０１内の熱媒体を液体の状態で留めておくことができる。そのため、ヒートポンプ部３０の次回の運転開始時において、液体の熱媒体が第１の液体熱交換器３０１内に存在するため、ヒートポンプ部３０を起動する際に運転能力が回復するための時間を短縮することができる。これにより、ヒートポンプ部３０の運転効率を高めることができる。
【０４７１】
以上説明したように、本発明の各実施形態の給湯暖房システム２，２Ａ，２Ｂでは、制御装置７０は、第１の液体熱交換器３０１を暖房機として機能させヒートポンプ部３０の暖房運転を実行しているときに、ヒートポンプ部３０の暖房運転を停止する信号を受信すると、第１の液体熱交換器３０１の熱を移動させ第１の液体熱交換器３０１の内部における熱媒体を冷却する動作の制御を実行する。
【０４７２】
これにより、ヒートポンプ部３０の暖房運転が停止された場合であっても、第１の液体熱交換器３０１内において液体状態の熱媒体の量を確保することができる。すなわち、ヒートポンプ部３０の第１の液体熱交換器３０１内の熱媒体を液体の状態で留めておくことができる。そのため、ヒートポンプ部３０の次回の運転開始時において、液体の熱媒体がヒートポンプ部３０の第１の液体熱交換器３０１内に存在するため、ヒートポンプ部３０を起動する際に運転能力が回復するための時間を短縮することができる。これにより、ヒートポンプ部３０の運転効率を高めることができる。
【０４７３】
また、制御装置７０は、暖房運転を停止する信号を受信すると、第１の液体熱交換器３０１の熱をタンク部１０、１０Ａに移動させタンク１０１の内部の水を加熱する動作の制御を実行する。
これにより、ヒートポンプ部３０の暖房運転が停止された場合であっても、ヒートポンプ部３０の第１の液体熱交換器３０１内の熱媒体を液体の状態で留めておくことができる。そのため、ヒートポンプ部３０の次回の運転開始時において、液体の熱媒体がヒートポンプ部３０の第１の液体熱交換器３０１内に存在するため、ヒートポンプ部３０を起動する際に運転能力が回復するための時間を短縮することができる。これにより、ヒートポンプ部３０の運転効率を高めることができる。
【０４７４】
また、ガス湯沸かし部２０、２０Ａ、２０Ｂは、浴槽系統の管路の水を送り出す風呂ポンプ２３５を有し、制御装置７０は、ヒートポンプ部３０の暖房運転を実行することで浴槽５０の内部の水を風呂ポンプ２３５により循環させて加熱する追い焚き動作を実行しているときに、浴槽５０の内部の水の温度と設定温度との間の差が所定温度以内になると暖房運転を停止するとともに風呂ポンプ２３５の運転を継続し、浴槽５０の内部の水の温度が設定温度に到達すると風呂ポンプ５０の運転を停止する動作の制御を実行する。
【０４７５】
これにより、第１の液体熱交換器３０１の内部における熱媒体を冷却することができる。また、浴槽５０の内部の水の温度を上昇させるための熱として第１の液体熱交換器３０１の残熱を利用することができる。これにより、熱エネルギーの損失を抑え、熱効率を高めることができる。また、第１の液体熱交換器３０１の内部における熱媒体を冷却することができるため、ヒートポンプ部３０の暖房運転が停止された場合であっても、ヒートポンプ部３０の第１の液体熱交換器３０１内の熱媒体を液体の状態で留めておくことができる。そのため、ヒートポンプ部３０の次回の運転開始時において、液体の熱媒体がヒートポンプ部３０の第１の液体熱交換器３０１内に存在するため、ヒートポンプ部３０を起動する際に運転能力が回復するための時間を短縮することができる。これにより、ヒートポンプ部３０の運転効率を高めることができる。
【０４７６】
以上、本発明の実施形態について説明した。しかし、本発明は、上記実施形態に限定されず、特許請求の範囲を逸脱しない範囲で種々の変更を行うことができる。上記実施形態の構成は、その一部を省略したり、上記とは異なるように任意に組み合わせたりすることができる。
【符号の説明】
【０４７７】
２、２Ａ・・・給湯暖房システム、  １０、１０Ａ・・・タンク部、  ２０、２０Ａ・・・ガス湯沸かし部、  ２１・・・筐体、  ３０・・・ヒートポンプ部、  ３１・・・吸気部、  ３２・・・排気部、  ３３・・・筐体、  ４０・・・暖房装置、  ５０・・・浴槽、  ７０・・・制御装置、  １０１・・・タンク、  １０２・・・減圧弁、  １０３・・・プレート熱交換器、  １０４・・・水抜き栓、  １１１・・・第１のタンク表面サーミスタ、  １１２・・・第２のタンク表面サーミスタ、  １１３・・・タンク内サーミスタ、  １１４・・・水制御弁、  １１５・・・水量センサ、  １１６・・・水温サーミスタ、  １１７・・・湯制御弁、  １１８・・・湯量センサ、  １１９・・・湯温サーミスタ、  １２１・・・混合サーミスタ、  １２３・・・プレート入口サーミスタ、  １５１・・・給水管、  １５２・・・水導入管、  １５３・・・湯導入管、  １５４・・・混合水導入管、  ２０１・・・燃焼装置、  ２０２・・・燃焼室、  ２０３・・・第１のバーナ、  ２０４・・・第２のバーナ、  ２０５・・・給湯潜熱熱交換器、  ２０６、２０６Ａ・・・給湯熱交換器、  ２０７、２０７Ａ・・・風呂熱交換器、  ２０８・・・燃焼ファン、  ２１１・・・元ガス電磁弁、  ２１２・・・ガス比例弁、  ２１３・・・第１のガス電磁弁、  ２１４・・・第２のガス電磁弁、  ２１５・・・点火プラグ、  ２１６・・・フレームロッド、２１７・・・過熱防止装置、  ２１８・・・水管サーミスタ、  ２１９・・・熱交換サーミスタ、  ２２１・・・水量センサ  ２２２・・・バイパスサーボ、  ２２３・・・給湯サーミスタ、  ２２４・・・湯量サーボ、  ２２５・・・給湯受け皿、  ２２６・・・排気口、  ２２７・・・水抜き栓、  ２２８・・・吸気口、  ２３１・・・中和器、  ２３２・・・中和器水位電極、  ２３３・・・ドレンタンク、  ２３４・・・水位電極、  ２３５・・・風呂ポンプ、  ２３６・・・回収ポンプ、  ２３７・・・シスターン、  ２３８・・・水位電極、  ２３９・・・オーバーフロー弁、  ２４１・・・熱動弁、  ２４２・・・電磁弁、  ２４３・・・ヒートポンプ入口三方弁、  ２４４・・・ヒートポンプ出口三方弁、  ２４４Ａ・・・ヒートポンプ出口三方弁、  ２４５・・・風呂往き四方弁、  ２４６・・・風呂往き三方弁、  ２４７・・・第１のドレン切替三方弁、  ２４８・・・電磁弁、  ２４９・・・風呂戻り四方弁、  ２５１・・・プレート四方弁、  ２５２・・・第２のドレン切替三方弁、  ２５３・・・風呂水流スイッチ、  ２５４・・・風呂戻りサーミスタ、  ２５５・・・水位センサ、  ２５６・・・第１の風呂往きサーミスタ、  ２５７・・・第２の風呂往きサーミスタ、  ２５８・・・電磁弁、  ２５９・・・第１の低温能力四方弁、  ２６１・・・第２の低温能力四方弁、  ２６２・・・蓄熱三方弁、  ２６３・・・低温能力切替弁、  ２６４・・・電磁弁、  ２６５・・・逆止弁、  ２６６・・・注湯電磁弁、  ２６７、２６８・・・逆止弁、  ２６９・・・湯量センサ、  ２７１・・・注湯三方弁、  ２７２・・・第３の液体熱交換器、２７４・・・循環水量センサ、  ２７５・・・暖房ポンプ、  ２７６・・・補給水電磁弁、  ２７７・・・給水切替三方弁、  ２７８・・・風呂切替弁、  ２７９・・・蓄熱四方弁、  ２８１・・・電磁弁、  ２８２・・・第１の回収三方弁、  ２８３・・・第２の回収三方弁、  ２８４・・・第３の回収三方弁、  ２８５・・・回収切替四方弁、  ２８６・・・逆止弁、  ２８７・・・入口サーミスタ、  ２８８・・・接続管サーミスタ  ２８９・・・暖房高温サーミスタ、  ２９１・・・中間配管サーミスタ、  ２９２・・・風呂熱交換器サーミスタ、  ２９３・・・タンク入口サーミスタ、  ２９４・・・大気開放弁、  ３０１・・・第１の液体熱交換器、  ３０２・・・第２の液体熱交換器、  ３０３・・・気体熱交換器、  ３０４・・・圧縮機、  ３０５・・・膨張弁、  ３０６・・・ファン、  ３０７・・・四方切替弁、  ３０８・・・除霜弁、  ３１１・・・入口サーミスタ、  ３１２・・・出口サーミスタ、  ３１３・・・水抜き栓、  ３１４・・・圧力センサ、  ３１５・・・給気口、  ３２５・・・排気口、  ３５１・・・熱媒体循環路、  ３５２、３５３・・・内管、  ３５４・・・熱媒体バイパス管、  ３５５・・・出口管、  ３５６・・・入口管、  ３５７・・・水抜き管、  ４０１・・・高温暖房装置、  ４０２・・・低温暖房装置、  ４０３・・・暖房ファン、  ４０４・・・熱動弁、  ４０５・・・液体合流部、  ４５１・・・第２の高温暖房往き管、  ４５２・・・高温暖房戻り管、  ４５３・・・低温暖房往き管、  ４５４・・・低温暖房戻り管、  ６０１・・・ガス管、  ６０２・・・第１のガス分岐管、  ６０３・・・第２のガス分岐管、  ６０４・・・入口管、  ６０５・・・出口管、  ６０６・・・入口管、  ６０７・・・出口管、  ６０８・・・入口管、  ６０９・・・出口管、  ６１１・・・給湯バイパス管、  ６１２・・・給湯管、  ６１３・・・熱回収循環路、  ６１４・・・風呂ポンプ出口管、  ６１５・・・入口管、  ６１６・・・出口管、  ６１７・・・第１の暖房往き管、  ６１８・・・暖房バイパス管、  ６１９・・・第１の風呂往き管、  ６２１・・・第２の風呂往き管、  ６２２・・・第３の風呂往き管、  ６２３・・・第１の風呂戻り管、  ６２４・・・第２の風呂戻り管、  ６２５・・・第３の風呂戻り管、  ６２６・・・風呂ポンプ入口管、  ６２７・・・第１の高温暖房往き管、  ６２８・・・暖房戻り管、  ６２９・・・シスターン出口管、  ６３１・・・浴槽バイパス管、  ６３２・・・第１の低温能力管、  ６３３・・・第２の低温能力管、  ６３４・・・第３の低温能力管、  ６３５・・・第２の暖房往き管、  ６３６・・・第３の暖房往き管、  ６３７・・・第４の暖房往き管、  ６３８・・・タンク往き管、  ６３９・・・ドレン排出管、  ６４１・・・第１のドレンタンク出口管、  ６４２・・・第２のドレンタンク出口管、  ６４３・・・第１の注湯管、  ６４４・・・第２の注湯管、  ６４５・・・第３の注湯管、  ６４６・・・プレート往き管、  ６５１・・・接続管、  ６５２・・・第１の内管、  ６５３・・・中間配管、  ６５４・・・第２の内管、  ６５５・・・接続管、  ６５６・・・第１の内管、  ６５７・・・第２の内管、  ６５８・・・第１の回収ポンプ入口管、  ６５９・・・回収ポンプ出口管、  ６６１・・・給湯往き管、  ６６２・・・暖房ポンプ出口管、  ６６３・・・第１の暖房バイパス管、  ６６４・・・出口管、  ６６５・・・第２の暖房バイパス��、  ６６６・・・第２の回収ポンプ入口管、  ６６７・・・第１の給水接続管、  ６６８・・・第２の給水接続管、  ６９１・・・第１の共通管、  ６９２・・・第２の共通管
【図１】
2019117000.tif 000003
【図２】
2019117000.tif 000004
【図３】
2019117000.tif 000005
【図４】
2019117000.tif 000006
【図５】
2019117000.tif 000007
【図６】
2019117000.tif 000008
【図７】
2019117000.tif 000009
【図８】
2019117000.tif 000010
【図９】
2019117000.tif 000011
【図１０】
2019117000.tif 000012
【図１１】
2019117000.tif 000013
【図１２】
2019117000.tif 000014
【図１３】
2019117000.tif 000015
【図１４】
2019117000.tif 000016
【図１５】
2019117000.tif 000017
【図１６】
2019117000.tif 000018
【図１７】
2019117000.tif 000019
【図１８】
2019117000.tif 000020
【図１９】
2019117000.tif 000021
【図２０】
2019117000.tif 000022
【図２１】
2019117000.tif 000023
【図２２】
2019117000.tif 000024
【図２３】
2019117000.tif 000025
【図２４】
2019117000.tif 000026
【図２５】
2019117000.tif 000027
【図２６】
2019117000.tif 000028
【図２７】
2019117000.tif 000029
【図２８】
2019117000.tif 000030
【図２９】
2019117000.tif 000031
【図３０】
2019117000.tif 000032
【図３１】
2019117000.tif 000033
【図３２】
2019117000.tif 000034
【図３３】
2019117000.tif 000035
【図３４】
2019117000.tif 000036
【図３５】
2019117000.tif 000037
【図３６】
2019117000.tif 000038
【図３７】
2019117000.tif 000039
【図３８】
2019117000.tif 000040
【図３９】
2019117000.tif 000041
【図４０】
2019117000.tif 000042
【図４１】
2019117000.tif 000043
【図４２】
2019117000.tif 000044